(57)【要約】【課題】  本発明は、クライアント端末２にＣＤの音楽データを容易に記録保持させる。【解決手段】  本発明は、クライアント端末２でＣＤが再生された際にこれをポータルサーバ３でディスク登録し、そのクライアント端末２で音楽データの記録保持が要求されたときには、ポータルサーバ３から取得可能曲提示情報をクライアント端末２に送信してその取得可能曲提示情報の中から記録保持対象の音楽データを任意に選択させ、音楽データ配信サーバＳＶ１からクライアント端末２に対し、その任意に選択された記録保持対象の音楽データを送信して記録保持させることにより、クライアント端末２で音楽データの記録保持のためにわざわざＣＤを装填させることなく、音楽データを容易に記録保持できる。【選択図】        図１
2005332478.tif 000002
【特許請求の範囲】
【請求項１】
ユーザ毎のユーザ識別情報とパスワード情報とを対応付けてユーザ登録情報として登録するためのデータベースが構築され、当該データベースに上記ユーザ登録情報が登録された登録用記憶媒体と、
コンテンツ記録保持端末から送信された、上記ユーザ識別情報及び上記パスワード情報と、当該コンテンツ記録保持端末で、コンテンツデータの記録された光ディスクの再生結果に基づいて生成された当該光ディスクの物理的構造の個体差に関するディスク固有情報とを受信する情報受信手段と、
上記情報受信手段によって受信された上記ユーザ識別情報及び上記パスワード情報に基づいて、上記登録用記憶媒体内の上記データベースに登録されている上記ユーザ登録情報を検索することにより当該受信された上記ユーザ識別情報及び上記パスワード情報を含む上記ユーザ登録情報を特定し、上記登録用記憶媒体内の上記データベースに対して上記ディスク固有情報を、当該特定した上記ユーザ登録情報の少なくとも上記ユーザ識別情報に対応付けて登録すると共に、上記ディスク固有情報によって特定される上記光ディスクに記録されている上記コンテンツデータを特定可能なディスク情報を当該ディスク固有情報に対応付けて登録する登録手段と、
上記ディスク情報によって特定可能な上記コンテンツデータを記憶するコンテンツ記憶媒体と、
上記コンテンツ記録保持端末から送信された、上記ユーザ識別情報及び上記パスワード情報と、取得可能コンテンツ提示要求信号とを受信する提示要求受信手段と、
上記提示要求受信手段によって受信された上記ユーザ識別情報及び上記パスワード情報に基づいて、上記登録用記憶媒体内の上記データベースに登録されている上記ユーザ登録情報を検索することにより当該受信された上記ユーザ識別情報及び上記パスワード情報を含む上記ユーザ登録情報の上記ユーザ識別情報に対応付けられて登録されている上記ディスク固有情報を特定し、当該特定した上記ディスク固有情報に対応付けられて登録されている上記ディスク情報に基づいて取得可能コンテンツ提示情報を生成する提示情報生成手段と、
上記提示情報生成手段によって生成された上記取得可能コンテンツ提示情報を上記コンテンツ記録保持端末に送信する情報送信手段と、
上記コンテンツ記録保持端末から送信された、上記取得可能コンテンツ提示情報の中で任意に選択された記録保持対象の上記コンテンツデータを示すコンテンツ取得要求信号を受信する取得要求受信手段と、
上記取得要求受信手段によって受信された上記コンテンツ取得要求信号に基づいて、上記コンテンツ記憶媒体から上記記録保持対象の上記コンテンツデータを読み出して上記コンテンツ記録保持端末に送信するデータ送信手段と
を具えることを特徴とするコンテンツ提供装置。
【請求項２】
上記光ディスクは、
上記コンテンツデータが記録されるコンテンツデータ記録領域と、
上記コンテンツデータ記録領域に記録される上記コンテンツデータの管理用の管理データが記録される管理データ記録領域と
を具え、
上記ディスク固有情報は、上記管理データに基づいて生成される上記光ディスク固有の固有管理情報を含む
ことを特徴とする請求項１に記載のコンテンツ提供装置。
【請求項３】
上記登録手段は、
上記情報受信手段によって受信された上記ユーザ識別情報及び上記パスワード情報に基づいて、上記登録用記憶媒体内の上記データベースに登録されている上記ユーザ登録情報を検索した結果、当該受信された上記ユーザ識別情報及び上記パスワード情報の少なくとも一方が上記データベースに登録されていないことを検出したとき、上記登録用記憶媒体内の上記データベースに対して、上記ユーザ識別情報及び上記パスワード情報と共に上記情報受信手段によって受信された上記ディスク固有情報の登録を取り止める
ことを特徴とする請求項１に記載のコンテンツ提供装置。
【請求項４】
上記提示情報生成手段は、
上記提示要求受信手段によって受信された上記ユーザ識別情報及び上記パスワード情報に基づいて、上記登録用記憶媒体内の上記データベースに登録されている上記ユーザ登録情報を検索した結果、当該受信された上記ユーザ識別情報及び上記パスワード情報の少なくとも一方が上記データベースに登録されていないことを検出したとき、上記取得可能コンテンツ提示情報の生成を取り止める
ことを特徴とする請求項１に記載のコンテンツ提供装置。
【請求項５】
上記登録用記憶媒体には、
上記ユーザ毎の上記ユーザ識別情報と、上記パスワード情報と、上記コンテンツ記録保持端末固有の端末識別情報とが上記ユーザ登録情報として登録され、
上記情報受信手段は、
上記コンテンツ記録保持端末から送信された、上記ユーザ識別情報及び上記パスワード情報並びに上記ディスク固有情報と、上記端末識別情報とを受信し、
上記登録手段は、
上記情報受信手段によって受信された上記ユーザ識別情報及び上記パスワード情報並びに上記端末識別情報に基づいて、上記登録用記憶媒体内の上記データベースに登録されている上記ユーザ登録情報を検索することにより、当該受信された上記ユーザ識別情報及び上記パスワード情報並びに上記端末識別情報を含む上記ユーザ登録情報を特定し、上記登録用記憶媒体内の上記データベースに対して上記ディスク固有情報を、当該特定した上記ユーザ登録情報の少なくとも上記ユーザ識別情報及び上記端末識別情報に対応付けて登録すると共に、上記ディスク情報を当該ディスク固有情報に対応付けて登録し、
上記提示要求受信手段は、
上記コンテンツ記録保持端末から送信された、上記ユーザ識別情報及び上記パスワード情報並びに上記端末識別情報と上記取得可能コンテンツ提示要求信号とを受信し、
上記提示情報生成手段は、
上記提示要求受信手段によって受信された上記ユーザ識別情報及び上記パスワード情報並びに上記端末識別情報に基づいて、上記登録用記憶媒体内の上記データベースに登録されている上記ユーザ登録情報を検索することにより、当該受信された上記ユーザ識別情報及び上記パスワード情報並びに上記端末識別情報を含む上記ユーザ登録情報の上記ユーザ識別情報及び上記端末識別情報に対応付けられて登録されている上記ディスク固有情報を特定し、当該特定した上記ディスク固有情報に対応付けられて登録されている上記ディスク情報に基づいて上記取得可能コンテンツ提示情報を生成する
ことを特徴とする請求項１に記載のコンテンツ提供装置。
【請求項６】
他のコンテンツ記録保持端末から送信された上記ユーザ識別情報及び上記パスワード情報並びに当該他のコンテンツ記録保持端末固有の他の端末識別情報を受信する登録情報受信手段と、
上記登録情報受信手段によって受信された上記ユーザ識別情報及び上記パスワード情報に基づいて、上記登録用記憶媒体内の上記データベースに登録されている上記ユーザ登録情報を検索することにより、当該受信された上記ユーザ識別情報及び上記パスワード情報を含む上記ユーザ登録情報を特定し、上記登録用記憶媒体内の上記データベースに対して上記他の端末識別情報を、当該特定した上記ユーザ登録情報の少なくとも上記ユーザ識別情報に対応付けて登録して、上記特定した上記ユーザ登録情報の内容を更新する登録情報更新手段と
を具え、
上記提示要求受信手段は、
上記他のコンテンツ記録保持端末から送信された、上記ユーザ識別情報及び上記パスワード情報並びに上記他の端末識別情報と、上記取得可能コンテンツ提示要求信号とを受信し、
上記提示情報生成手段は、
上記提示要求受信手段によって受信された上記ユーザ識別情報及び上記パスワード情報並びに上記他の端末識別情報に基づいて、上記登録用記憶媒体内の上記データベースに登録されている上記ユーザ登録情報を検索することにより、当該受信された上記ユーザ識別情報及び上記パスワード情報並びに上記他の端末識別情報を含む上記ユーザ登録情報の上記ユーザ識別情報に対応付けられて登録されている上記ディスク固有情報を特定し、当該特定した上記ディスク固有情報に対応付けられて登録されている上記ディスク情報に基づいて上記取得可能コンテンツ提示情報を生成する
ことを特徴とする請求項５に記載のコンテンツ提供装置。
【請求項７】
上記登録手段は、
上記情報受信手段によって受信された上記ディスク固有情報に基づいて、上記登録用記憶媒体内の上記データベースに登録されている上記ディスク固有情報を検索することにより当該データベースに、上記受信された上記ディスク固有情報がすでに登録されていることを検出したときには、当該登録用記憶媒体内の上記データベースに対して、上記受信された上記ディスク固有情報の登録を取り止める
ことを特徴とする請求項１に記載のコンテンツ提供装置。
【請求項８】
コンテンツデータの記録された光ディスクを再生する再生手段と、
上記再生手段による上記光ディスクの再生結果に基づいて、当該光ディスクの物理的構造の個体差に関するディスク固有情報を生成する生成手段と、
予めユーザ毎のユーザ識別情報とパスワード情報とを対応付けてユーザ登録情報として登録しているコンテンツ提供装置に対して、上記ユーザ識別情報及び上記パスワード情報と、上記生成手段によって生成された上記ディスク固有情報とを送信することにより、当該送信した上記ユーザ識別情報及び上記パスワード情報を含む上記ユーザ登録情報を特定させ、当該特定させたユーザ登録情報の少なくとも上記ユーザ識別情報に上記ディスク固有情報を対応付けて追加登録させると共に、当該ディスク固有情報によって特定される上記光ディスクに記録されている上記コンテンツデータを特定可能なディスク情報を上記ディスク固有情報にさらに対応付けて登録させる情報送信手段と、
記録保持用に取得可能な上記コンテンツデータの提示を要求するための取得可能コンテンツ提示要求信号を、上記ユーザ識別情報及び上記パスワード情報と共に上記コンテンツ提供装置に送信する提示要求送信手段と、
上記提示要求送信手段による上記取得可能コンテンツ提示要求信号の送信に応じて上記コンテンツ提供装置から、当該提示要求送信手段によって送信された上記ユーザ識別情報及び上記パスワード情報を含む上記ユーザ登録情報の当該ユーザ識別情報に対応付けられて登録されている上記ディスク固有情報が特定され、当該特定された上記ディスク固有情報にさらに対応付けられて登録されている上記ディスク情報に基づいて生成されて送信された取得可能コンテンツ提示情報を受信する情報受信手段と、
上記情報受信手段によって受信された上記取得可能コンテンツ提示情報の中で任意に選択された記録保持対象の上記コンテンツデータを示すコンテンツ取得要求信号を上記コンテンツ提供装置に送信する取得要求送信手段と、
上記取得要求送信手段による上記コンテンツ取得要求信号の送信に応じて、上記コンテンツ提供装置から送信された、上記記録保持対象の上記コンテンツデータを受信するデータ受信手段と、
上記データ受信手段によって受信された上記コンテンツデータを記録保持する記録保持手段と
を具えることを特徴とするコンテンツ記録保持端末。
【請求項９】
上記光ディスクは、
上記コンテンツデータが記録されるコンテンツデータ記録領域と、
上記コンテンツデータ記録領域に記録される上記コンテンツデータの管理用の管理データが記録される管理データ記録領域と
を具え、
上記生成手段は、
上記再生手段によって上記光ディスクから再生された上記管理データに基づく上記光ディスク固有の固有管理情報を含み、かつ当該光ディスクの物理的構造の個体差に関する上記ディスク固有情報を生成する
ことを特徴とする請求項８に記載のコンテンツ記録保持端末。
【請求項１０】
上記情報送信手段は、
予め上記ユーザ毎の上記ユーザ識別情報及び上記パスワード情報と本端末固有の端末識別情報とを対応付けて上記ユーザ登録情報として登録している上記コンテンツ提供装置に対して、上記ユーザ識別情報及び上記パスワード情報並びに上記端末識別情報と上記ディスク固有情報とを送信することにより、当該送信した上記ユーザ識別情報及び上記パスワード情報並びに上記端末識別情報を含む上記ユーザ登録情報を特定させ、当該特定させたユーザ登録情報の少なくとも上記ユーザ識別情報及び上記端末識別情報に上記ディスク固有情報を対応付けて追加登録させると共に、当該ディスク固有情報によって特定される上記光ディスクに記録されている上記コンテンツデータを特定可能な上記ディスク情報を上記ディスク固有情報にさらに対応付けて登録させ、
上記提示要求送信手段は、
上記取得可能コンテンツ提示要求信号を、上記ユーザ識別情報及び上記パスワード情報並びに上記端末識別情報と共に上記コンテンツ提供装置に送信し、
上記情報受信手段は、
上記提示要求送信手段による上記取得可能コンテンツ提示要求信号の送信に応じて上記コンテンツ提供装置から、当該提示要求送信手段によって送信された上記ユーザ識別情報及び上記パスワード情報並びに上記端末識別情報を含む上記ユーザ登録情報の当該ユーザ識別情報及び上記端末識別情報に対応付けられた上記ディスク固有情報が特定され、当該特定された上記ディスク固有情報にさらに対応付けられた上記ディスク情報に基づいて生成されて送信された上記取得可能コンテンツ提示情報を受信する
ことを特徴とする請求項８に記載のコンテンツ記録保持端末。
【請求項１１】
情報処理装置に対して、
登録用記憶媒体内にユーザ毎のユーザ識別情報とパスワード情報とを対応付けてユーザ登録情報として登録するためのデータベースが構築された状態で、コンテンツ記録保持端末から送信された上記ユーザ識別情報及び上記パスワード情報と、当該コンテンツ記録保持端末で、コンテンツデータの記録された光ディスクの再生結果に基づいて生成された当該光ディスクの物理的構造の個体差に関するディスク固有情報とを受信する情報受信ステップと、
上記受信した上記ユーザ識別情報及び上記パスワード情報に基づいて、上記登録用記憶媒体内の上記データベースにすでに登録されている上記ユーザ登録情報を検索することにより、当該受信した上記ユーザ識別情報及び上記パスワード情報を含む上記ユーザ登録情報を特定し、上記登録用記憶媒体内の上記データベースに対して上記ディスク固有情報を、当該特定した上記ユーザ登録情報の少なくとも上記ユーザ識別情報に対応付けて登録すると共に、上記ディスク固有情報によって特定される上記光ディスクに記録されている上記コンテンツデータを特定可能なディスク情報を当該ディスク固有情報に対応付けて登録する登録ステップと、
上記コンテンツ記録保持端末から送信された、上記ユーザ識別情報及び上記パスワード情報と、取得可能コンテンツ提示要求信号とを受信する提示要求受信ステップと、
上記受信した上記ユーザ識別情報及び上記パスワード情報に基づいて、上記登録用記憶媒体内の上記データベースに登録されている上記ユーザ登録情報を検索することにより当該受信した上記ユーザ識別情報及び上記パスワード情報を含む上記ユーザ登録情報の上記ユーザ識別情報に対応付けて登録している上記ディスク固有情報を特定し、当該特定した上記ディスク固有情報に対応付けて登録している上記ディスク情報に基づいて取得可能コンテンツ提示情報を生成する提示情報生成ステップと、
上記生成した上記取得可能コンテンツ提示情報を上記コンテンツ記録保持端末に送信する情報送信ステップと、
上記コンテンツ記録保持端末から送信された、上記取得可能コンテンツ提示情報の中から任意に選択された記録保持対象の上記コンテンツデータを示すコンテンツ取得要求信号を受信する取得要求受信ステップと、
上記受信した上記コンテンツ取得要求信号に基づいて、上記ディスク情報によって特定可能な上記コンテンツデータを記憶するコンテンツ記憶媒体から上記記録保持対象の上記コンテンツデータを読み出して上記コンテンツ記録保持端末に送信するデータ送信ステップと
を実行させるためのコンテンツ提供プログラム。
【請求項１２】
情報処理装置に対して、
コンテンツデータの記録された光ディスクに対する再生結果に基づいて、当該光ディスクの物理的構造の個体差に関するディスク固有情報を生成する生成ステップと、
予めユーザ毎のユーザ識別情報とパスワード情報とを対応付けてユーザ登録情報として登録しているコンテンツ提供装置に対して、上記ユーザ識別情報及び上記パスワード情報と、上記生成した上記ディスク固有情報とを送信することにより、当該送信した上記ユーザ識別情報及び上記パスワード情報を含む上記ユーザ登録情報を特定させ、当該特定させたユーザ登録情報の少なくとも上記ユーザ識別情報に上記ディスク固有情報を対応付けて追加登録させると共に、当該ディスク固有情報によって特定される上記光ディスクに記録されている上記コンテンツデータを特定可能なディスク情報を上記ディスク固有情報にさらに対応付けて登録させる情報送信ステップと、
記録保持用に取得可能な上記コンテンツデータの提示を要求するための取得可能コンテンツ提示要求信号を、上記ユーザ識別情報及び上記パスワード情報と共に上記コンテンツ提供装置に送信する提示要求送信ステップと、
上記取得可能コンテンツ提示要求信号の送信に応じて上記コンテンツ提供装置から、当該取得可能コンテンツ提示要求信号と共に送信した上記ユーザ識別情報及び上記パスワード情報を含む上記ユーザ登録情報の当該ユーザ識別情報に対応付けられて登録されている上記ディスク固有情報が特定され、当該特定された上記ディスク固有情報にさらに対応付けられて登録されている上記ディスク情報に基づいて生成されて送信された取得可能コンテンツ提示情報を受信する情報受信ステップと、
上記受信した上記取得可能コンテンツ提示情報の中で任意に選択された記録保持対象の上記コンテンツデータを示すコンテンツ取得要求信号を上記コンテンツ提供装置に送信する取得要求送信ステップと、
上記コンテンツ取得要求信号の送信に応じて、上記コンテンツ提供装置から送信された上記記録保持対象の上記コンテンツデータを受信するデータ受信ステップと、
上記受信した上記記録保持対象の上記コンテンツデータを記録保持する記録保持ステップと
を実行させるためのコンテンツ記録保持プログラム。
【発明の詳細な説明】
【技術分野】
【０００１】
本発明はコンテンツ記録保持端末に関し、例えばネットワーク上で提供されている音楽に関する各種サービスを受けることのできるコンテンツ記録保持端末（以下、これをクライアント端末と呼ぶ）で、光ディスクにコンテンツデータとして記録されている音楽データを記録保持する場合に適用して好適なものである。
【背景技術】
【０００２】
従来の光ディスクの読取装置は、予め成型加工によって例えば音楽データが記録されたデータ記録領域と、光ディスク自身の物理的構造の個体差に関する固有データを追記録可能な固有データ記録領域とを有するその光ディスクのデータ記録領域から音楽データを読み出す際に、まず光ディスクの物理的構造の個体差に関する測定データを測定する。
【０００３】
そして読取装置は、その測定データと、光ディスクの固有データ記録領域から読み出した固有データとを比較することで、当該測定データと固有データとが一致したときにのみ光ディスクから音楽データを読み出している。
【０００４】
すなわち読取装置は、音楽データの読み出しに用いられた光ディスクが正規の光ディスクであれば、測定データと、固有データ記録領域から読み出した固有データとが一致することにより、その正規の光ディスクからは何ら問題無く音楽データを読み出すことができる。
【０００５】
しかしながら正規の光ディスクをコピーして作製された光ディスクは、それ固有の物理的構造を有するものの、固有データ記録領域に対し正規の光ディスクと同じ固有データが複写されている。
【０００６】
従って読取装置は、音楽データの読み出しに用いられた光ディスクが、正規の光ディスクをコピーして製作されたものであれば、かかる光ディスクに対して実際に測定した物理的構造の固体差に関する測定データが、固有データ記録領域内に記録されている固有データとは異なることにより、当該コピーによって不正に作製された光ディスクからは音楽データを読み出さないようにすることができていた（例えば、特許文献１参照）。
【特許文献１】特開２００３−１５１２０９公報（第３頁、第４頁、図１、図２）
【発明の開示】
【発明が解決しようとする課題】
【０００７】
ところでかかる読取装置に対しては、近年、ハードディスク等の内蔵型記録媒体を設け、正規の光ディスクから読み出した音楽データを、個人的利用を目的として、その内蔵型記録媒体に記録保持（いわゆる、リッピング）させることが提案されている。
【０００８】
そしてかかる読取装置に対しては、音楽データを記録保持させた後、正規の光ディスクに記録されていた音楽データに対する読み出しを要求する毎に、内蔵型記録媒体からその音楽データを読み出させることにより、かかる読取装置に対し正規の光ディスクを度々装填しなくても、音楽データを利用し易くすることができると考えられる。
【０００９】
ところがかかる読取装置では、光ディスクに記録されている音楽データを内蔵型記録媒体に記録保持する際に、その読取装置に対しわざわざ光ディスクを装填させるという煩雑な作業が必要となり、記録保持対象の音楽データを容易には記録保持し難いという問題があった。
【００１０】
本発明は以上の点を考慮してなされたもので、コンテンツ記録保持端末に対して、光ディスクに記録されているコンテンツデータを容易に記録保持させ得るコンテンツ提供装置を提案しようとするものである。
【課題を解決するための手段】
【００１１】
かかる課題を解決するため本発明においては、コンテンツ提供装置において、コンテンツ記録保持端末から送信された、ユーザ識別情報及びパスワード情報と、当該コンテンツ記録保持端末で、コンテンツデータの記録された光ディスクの再生結果に基づいて生成された当該光ディスクの物理的構造の個体差に関するディスク固有情報とを受信すると、その受信したユーザ識別情報及びパスワード情報に基づいて、登録用記憶媒体内に構築されたデータベースにすでに登録しているユーザ毎のユーザ識別情報とパスワード情報とを対応付けてなるユーザ登録情報を検索することにより当該受信したユーザ識別情報及びパスワード情報を含むユーザ登録情報を特定し、登録用記憶媒体内のデータベースに対してディスク固有情報を、当該特定したユーザ登録情報の少なくともユーザ識別情報に対応付けて登録すると共に、ディスク固有情報によって特定される光ディスクに記録されたコンテンツデータを特定可能なディスク情報を当該ディスク固有情報に対応付けて登録し、この状態でコンテンツ記録保持端末からユーザ識別情報及びパスワード情報と共に送信された取得可能コンテンツ提示要求信号を受信すると、当該受信したユーザ識別情報及びパスワード情報に基づいて、登録用記憶媒体内のデータベースにすでに登録しているユーザ登録情報を検索することにより当該受信したユーザ識別情報及びパスワード情報を含むユーザ登録情報のユーザ識別情報に対応付けて登録しているディスク固有情報を特定してその特定したディスク固有情報に対応付けて登録しているディスク情報に基づいて取得可能コンテンツ提示情報を生成してコンテンツ記録保持端末に送信し、その結果、コンテンツ記録保持端末から送信された、取得可能コンテンツ提示情報の中の任意に選択された記録保持対象のコンテンツデータを示すコンテンツ取得要求信号を受信すると、当該受信したコンテンツ取得要求信号に基づいて、コンテンツ記憶媒体から記録保持対象に選択されたコンテンツデータを読み出してコンテンツ記録保持端末に送信するようにした。
【００１２】
従ってコンテンツ提供装置では、コンテンツ記録保持端末に対し、記録保持対象として選択されたコンテンツデータが記録されている光ディスクをそのコンテンツデータの記録保持のためにわざわざ装填させるような煩雑な作業を何ら行わせることなく、データベースに登録済みのディスク固有情報によって特定し得る光ディスクに記録されているコンテンツデータのうち記録保持対象のコンテンツデータを任意に選択させ、その選択された記録保持対象のコンテンツデータをコンテンツ記録保持端末に送信して記録保持させることができる。
【００１３】
また本発明においては、コンテンツ記録保持端末において、コンテンツデータの記録された光ディスクに対する再生結果に基づいて、当該光ディスクの物理的構造の個体差に関するディスク固有情報を生成し、予めユーザ毎のユーザ識別情報とパスワード情報とを対応付けてユーザ登録情報として登録しているコンテンツ提供装置に対して、ユーザ識別情報及びパスワード情報と、当該生成したディスク固有情報とを送信することにより、当該送信したユーザ識別情報及びパスワード情報を含むユーザ登録情報を特定させ、当該特定させたユーザ登録情報の少なくともユーザ識別情報にディスク固有情報を対応付けて追加登録させると共に、当該ディスク固有情報によって特定される光ディスクに記録されているコンテンツデータを特定可能なディスク情報をディスク固有情報にさらに対応付けて登録させた後、記録保持用に取得可能なコンテンツデータの提示を要求するための取得可能コンテンツ提示要求信号を、ユーザ識別情報及びパスワード情報と共にコンテンツ提供装置に送信することでそのコンテンツ提供装置から、当該送信したユーザ識別情報及びパスワード情報を含むユーザ登録情報の当該ユーザ識別情報に対応付けられて登録されているディスク固有情報が特定され、当該特定されたディスク固有情報にさらに対応付けられて登録されているディスク情報に基づいて生成されて送信された取得可能コンテンツ提示情報を受信すると、その取得可能コンテンツ提示情報の中から任意に選択された記録保持対象のコンテンツデータを示すコンテンツ取得要求信号を再びコンテンツ提供装置に送信しその結果、当該コンテンツ提供装置から送信された記録保持対象のコンテンツデータを受信して記録保持するようにした。
【００１４】
従ってコンテンツ記録保持端末では、記録保持対象のコンテンツデータが記録されている光ディスクをそのコンテンツデータの記録保持のためにわざわざ装填させるような煩雑な作業を何ら行わせることなく、コンテンツ提供装置から、データベースに登録済みのディスク固有情報によって特定し得る光ディスクに記録されているコンテンツデータを取得可能なものとして示す取得可能コンテンツ提示情報を取得して記録保持対象のコンテンツデータを任意に選択させ、その選択された記録保持対象のコンテンツデータをそのコンテンツ提供装置に要求するだけで、コンテンツ提供装置から送信された記録保持対象のコンテンツデータを受信して記録保持することができる。
【発明の効果】
【００１５】
本発明によれば、コンテンツ提供装置において、登録用記憶媒体内のデータベースに、コンテンツ記録保持端末から送信されたユーザ識別情報及びパスワード情報をユーザ登録情報として登録しておくと共に、光ディスクの物理的構造の個体差に関するディスク固有情報をそのユーザ登録情報のユーザ識別情報に対応付けて登録し、かつそのときにそのディスク固有情報によって特定される光ディスクに記録されたコンテンツデータを特定可能なディスク情報を当該ディスク固有情報に対応付けて登録しておき、この状態でコンテンツ記録保持端末からユーザ識別情報及びパスワード情報と共に送信された取得可能コンテンツ提示要求信号を受信すると、当該受信したユーザ識別情報及びパスワード情報に基づいて、登録用記憶媒体内のデータベースにすでに登録しているユーザ登録情報を検索して当該受信したユーザ識別情報及びパスワード情報を含むユーザ登録情報のユーザ識別情報に対応付けて登録しているディスク固有情報を特定し、その特定したディスク固有情報に対応付けて登録しているディスク情報に基づいて取得可能コンテンツ提示情報を生成してコンテンツ記録保持端末に送信し、その結果、コンテンツ記録保持端末から送信された、その取得可能コンテンツ提示情報の中から任意に選択された記録保持対象のコンテンツデータを示すコンテンツ取得要求信号を受信すると、当該受信したコンテンツ取得要求信号に基づいて、コンテンツ記憶媒体から記録保持対象に選択されたコンテンツデータを読み出してコンテンツ記録保持端末に送信するようにしたことにより、コンテンツ記録保持端末において、記録保持対象のコンテンツデータが記録されている光ディスクをそのコンテンツデータの記録保持のためにわざわざコンテンツ記録保持端末に装填させるような煩雑な作業を何ら行わせることなく、データベースに登録済みのディスク固有情報で特定可能な光ディスクに記録されているコンテンツデータのうち記録保持対象のコンテンツデータを任意に選択させ、当該選択された記録保持対象のコンテンツデータをそのコンテンツ記録保持端末に送信して記録保持させることができ、かくしてコンテンツ記録保持端末に対し光ディスクに記録されているコンテンツデータを容易に記録保持させることができる。
【発明を実施するための最良の形態】
【００１６】
以下図面について、本発明の一実施の形態を詳述する。
【００１７】
（１）音楽関連サービス提供システム
（１−１）システム構成
図１において、１は全体として音楽関連サービス提供システムを示し、この音楽関連サービス提供システム１の運営業者と契約しているユーザのクライアント端末２と、当該クライアント端末２を管理するポータルサーバ３と、当該クライアント端末２に対して音楽に関する各種サービスを提供する複数のサーバＳＶ１乃至ＳＶ６とを有している。
【００１８】
この実施の形態の場合、音楽データ配信サーバＳＶ１は、ＡＴＲＡＣ３（Adaptive Transform Acoustic Coding 3）、ＡＡＣ（Advanced Audio Coding ）、ＷＭＡ（Windows（登録商標） Media Audio ）、ＲｅａｌＡＵＤＩＯ  Ｇ２  Ｍｕｓｉｃ  Ｃｏｄｅｃ、ＭＰ３（MPEG Audio Layer-3）形式等でなる音楽データをクライアント端末２に配信する音楽データ配信サービスを提供する。
【００１９】
また物販サーバＳＶ２は、ＣＤ（Compact Disc）やＤＶＤ（Digital Versatile Disc）等をクライアント端末２を介してユーザに販売する物販サービスを提供する。
【００２０】
さらにラジオ放送情報配信サーバＳＶ３は、ラジオ局を介して放送されているラジオ放送のラジオ番組や音楽等についてのラジオ放送情報をクライアント端末２に配信するラジオ放送情報配信サービスを提供する。
【００２１】
さらにインターネットラジオサーバＳＶ４は、インターネットに相当するネットワークＮＴを介してラジオ放送データをストリーミング配信の形態でクライアント端末２に向けて放送するインターネットラジオ放送サービスを提供する。
【００２２】
さらにディスク情報提供サーバＳＶ５は、個々のＣＤに関する、当該ＣＤに記録されている楽曲の曲名や演奏時間、アーティスト名等でなるディスク情報をＣＤデータベースに登録しておいてクライアント端末２に提供するディスク情報提供サービスを提供する。
【００２３】
これに加えて課金サーバＳＶ６は、ポータルサーバ３等からの要求に応じてユーザに対し様々な料金を課すための課金処理を実行するようになされている。
【００２４】
（１−２）クライアント端末２の構成
（１−２−１）クライアント端末２の機能回路ブロック構成
次にクライアント端末２の機能回路ブロックによるハードウェア構成を説明する。図２に示すようにクライアント端末２は、その筐体表面やリモートコントローラ（図示せず）に設けられた各種操作ボタンでなる操作入力部２０がユーザによって操作されると、当該操作入力部２０でこれを認識し、当該操作に応じた操作入力信号を入力処理部２１に送出する。
【００２５】
入力処理部２１は、操作入力部２０から与えられる操作入力信号を特定の操作コマンドに変換しバス２２を介して制御部２３に送出する。
【００２６】
制御部２３は、バス２２を介して接続された各回路から与えられる操作コマンドや制御信号に基づいてこれら各回路の動作を制御する。
【００２７】
表示制御部２４は、バス２２を介して供給される映像データに対してディジタルアナログ変換処理を施し、その結果得られるアナログ映像信号を表示部２５に送出する。
【００２８】
表示部２５は、例えば液晶ディスプレイ等の表示デバイスであって、筐体表面に直接取り付けられている場合や外付けされている場合がある。
【００２９】
そして表示部２５は、制御部２３による処理結果や各種映像データが表示制御部２４を介してアナログ映像信号として供給されると、当該アナログ映像信号に基づく映像を表示する。
【００３０】
音声制御部２６は、バス２２を介して供給される音声データに対してディジタルアナログ変換処理を施し、その結果得られるアナログ音声信号をスピーカ２７に送出する。スピーカ２７は、音声制御部２６から供給されるアナログ音声信号に基づく音声を出力する。
【００３１】
外部記録媒体記録再生部２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
【００３２】
外部記録媒体記録再生部２８は、外部記録媒体からコンテンツデータとして映像データを読み出したとき、当該読み出した映像データをバス２２を介して表示制御部２４に供給する。
【００３３】
これにより表示制御部２４は、外部記録媒体記録再生部２８により外部記録媒体からコンテンツデータとして読み出された映像データをアナログ映像信号に変換して表示部２５に供給する。
【００３４】
また外部記録媒体記録再生部２８は、外部記録媒体からコンテンツデータとして音声データを読み出したとき、当該読み出した音声データをバス２２を介して音声制御部２６に供給する。
【００３５】
これにより音声制御部２６は、外部記録媒体記録再生部２８により外部記録媒体からコンテンツデータとして読み出された音声データをアナログ音声信号に変換してスピーカ２７に供給する。
【００３６】
さらに制御部２３は、外部記録媒体記録再生部２８により外部記録媒体から読み出されたコンテンツデータをバス２２を介してクライアント端末２内部の記憶媒体２９に送出し、その記憶媒体２９に対して当該コンテンツデータを記憶する（以下、このようにコンテンツデータを記憶媒体２９に記憶することをリッピングと呼ぶ）ことができる。
【００３７】
そして制御部２３は、記憶媒体２９からコンテンツデータとしてイメージデータ又はビデオデータ等の映像データを読み出したときには、当該読み出した映像データをバス２２を介して表示制御部２４に供給する。
【００３８】
また制御部２３は、記憶媒体２９からコンテンツデータとしてオーディオデータ等の音声データを読み出したときには、当該読み出した音声データをバス２２を介して音声制御部２６に供給する。
【００３９】
これに加えて制御部２３は、記憶媒体２９から音楽データを読み出して外部記録媒体記録再生部２８に転送することにより当該外部記録媒体記録再生部２８により外部記録媒体に対しその音楽データを記録させることもできる。
【００４０】
放送信号受信部３０は、各ラジオ局から送信されるラジオ放送波を受信し、チューナ部３１に供給する。
【００４１】
チューナ部３１は、制御部２３の制御のもと、放送信号受信部３０を介して受信されたラジオ放送波の中から例えば操作入力部２０を介して指定されたラジオ局に対応する放送周波数のラジオ放送信号を抽出して所定の受信処理を施し、この結果得られる音声データをバス２２を介して音声制御部２６に送出する。
【００４２】
音声制御部２６は、チューナ部３１から与えられた音声データをアナログ音声信号に変換してスピーカ２７に送出することにより、当該スピーカ２７からラジオ局で放送されているラジオ番組の番組音声を出力させ、かくしてユーザに対しラジオ番組の番組音声を聴取させることができる。
【００４３】
また制御部２３は、チューナ部３１で得られた音声データを記憶媒体２９に送出して記憶することにより、ラジオ番組の番組音声を録音することもできる。
【００４４】
さらに制御部２３は、通信制御部３２及びネットワークインタフェース３３を順次介してネットワークＮＴに接続し、当該ネットワークＮＴ上のポータルサーバ３やその他サーバＳＶ１乃至ＳＶ５にアクセスすることができ、これによりポータルサーバ３やその他サーバＳＶ１乃至ＳＶ５との間で各種情報や各種データを送受信する。
【００４５】
エンコーダ／デコーダ部３４は、ネットワークＮＴからネットワークインタフェース３３及び通信制御部３２を順次介して受信された圧縮符号化されているコンテンツデータ、あるいは記憶媒体２９や外部記録媒体から読み出された圧縮符号化されているコンテンツデータを復号し表示制御部２４や音声制御部２６に送出する。
【００４６】
またエンコーダ／デコーダ部３４は、外部記録媒体から読み出された圧縮符号化されてはいないコンテンツデータや、チューナ部３１から与えられる音声データ等を圧縮符号化し、当該圧縮符号化したコンテンツデータを記憶媒体２９に送出する。
【００４７】
これによりエンコーダ／デコーダ部３４で圧縮符号化されたコンテンツデータは、制御部２３の制御のもと記憶媒体２９に記憶される。
【００４８】
著作権管理部３５は、ネットワークＮＴからネットワークインタフェース３３及び通信制御部３２を順次介してダウンロードされるコンテンツデータに対応する著作権管理情報や、外部記録媒体記録再生部２８により外部記録媒体から読み出されたコンテンツデータに対応する著作権管理情報を生成する。
【００４９】
著作権管理部３５で生成された著作権管理情報は、制御部２３の制御のもとにコンテンツデータと対応付けられて記憶媒体２９に登録される。
【００５０】
また著作権管理部３５は、記憶媒体２９と特定の外部記録媒体との間で著作権管理情報を対応付けたコンテンツデータをチェックアウトするときや、当該特定の外部記録媒体と記憶媒体２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
【００５１】
ページ情報生成部３６は、ネットワークＮＴからネットワークインタフェース３３及び通信制御部３２を順次介して受信されたＸＭＬ（eXtensible Markup Language）ファイル、あるいはＨＴＭＬ（Hyper Text Markup language）ファイル等のページ情報を解釈して表示部２５に表示するための映像データを生成し、当該生成した映像データを表示制御部２４に送出する。
【００５２】
認証処理部３７は、ネットワークインタフェース３３を介して接続されるネットワークＮＴ上のポータルサーバ３やその他サーバＳＶ１乃至ＳＶ４に対し認証情報を通信制御部３２及びネットワークインタフェース３３を順次介して送信する等の認証処理を実行する。
【００５３】
認証情報記憶部３８は、認証処理部３７がポータルサーバ３やその他サーバＳＶ１乃至ＳＶ４に対しアクセスするときに必要となる認証情報を記憶する。
【００５４】
ラジオ放送表示制御部３９は、現在、ユーザによる聴取用に受信中のラジオ放送に関するラジオ放送情報を要求するための要求信号を通信制御部３２及びネットワークインタフェース３３を順次介して、当該受信中のラジオ放送を放送しているラジオ局に対応するラジオ放送情報配信サーバＳＶ３に送信する。
【００５５】
その結果、ラジオ放送表示制御部３９は、ネットワークＮＴ上のラジオ放送情報配信サーバＳＶ３から送信されたラジオ放送情報をネットワークインタフェース３３及び通信制御部３２を順次介して受信すると共に、当該受信したラジオ放送情報を表示制御部２４に送出することにより表示部２５に対し、現在受信中のラジオ番組の番組名や、当該受信中の楽曲のタイトル及びアーティスト名等からなるラジオ放送情報を表示させる。
【００５６】
（１−２−２）ディレクトリ管理
クライアント端末２の制御部２３は、記憶媒体２９に対して記憶するコンテンツデータを、図３に示すディレクトリ構成で管理する。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
【００５７】
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
【００５８】
このようなコンテンツデータについてのディレクトリ管理は、記憶媒体２９に記憶されているデータベースファイルによって行われる。
【００５９】
（１−３）ポータルサーバ３の機能回路ブロック構成
次に、図４を用いてポータルサーバ３の機能回路ブロックによるハードウェア構成を説明する。ポータルサーバ３内の制御部５０は、バス５１を介して接続される各回路の動作を制御する。
【００６０】
通信制御部５２は、制御部５０の制御のもと、ネットワークインタフェース５３を介してクライアント端末２やその他サーバＳＶ１乃至ＳＶ６と各種情報を送受信する。
【００６１】
顧客データベース部５４には、音楽関連サービス提供システム１の運営業者とすでに契約を完了しているユーザのユーザＩＤ（Identification）情報とパスワード情報とが対応付けられて顧客情報として登録されている。
【００６２】
ページ情報記憶部５５には、音楽関連サービス提供システム１の運営業者が管理するページ情報等が記憶されている。
【００６３】
なおページ情報は、ＸＭＬ等の言語によって記述されており、音楽データ配信サーバＳＶ１、物販サーバＳＶ２、ラジオ放送情報配信サーバＳＶ３及びインターネットラジオサーバＳＶ４等にアクセスするためのＵＲＬ（Uniform Resource Locator）情報を含んでいる。
【００６４】
認証処理部５６は、クライアント端末２から送信されたユーザＩＤ情報及びパスワード情報をネットワークインタフェース５３及び通信制御部５２を順次介して受信すると、ユーザ認証処理として、当該受信したユーザＩＤ情報及びパスワード情報が顧客データベース部５４に顧客情報として登録されているか否かを確認する。
【００６５】
そして認証処理部５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部５７に一時記憶する。
【００６６】
このとき制御部５０は、認証処理部５６によるユーザ認証処理の結果、ユーザが正規ユーザであると認証されると、ページ情報記憶部５５に記憶されている契約者用のページ情報をポータル認証結果情報と共に通信制御部５２及びネットワークインタフェース５３を順次介してクライアント端末２に送信する。
【００６７】
なお制御部５０は、認証処理部５６によるユーザ認証処理の結果、ユーザが正規ユーザであると認証されなかったときには、認証エラー情報を、ページ情報記憶部５５に記憶されている認証の失敗を示す認証失敗通知ページ情報と共に通信制御部５２及びネットワークインタフェース５３を順次介してクライアント端末２に送信するように構成しても良い。
【００６８】
また認証処理部５６は、音楽データ配信サーバＳＶ１、物販サーバＳＶ２及びラジオ放送情報配信サーバＳＶ３からユーザに対する認証処理が実行された結果、当該ユーザのクライアント端末２から取得して送信されるポータル認証結果情報（後述する認証チケット）をネットワークインタフェース５３及び通信制御部５２を順次介して受信すると、当該受信したポータル認証結果情報と、認証情報記憶部５７に一時記憶していた当該ユーザに対応するポータル認証結果情報とを比較する。
【００６９】
これにより認証処理部５６は、音楽データ配信サーバＳＶ１、物販サーバＳＶ２及びラジオ放送情報配信サーバＳＶ３から受信したポータル認証結果情報に対する認証処理として、正規のポータル認証結果情報であるか否かを確認する確認処理を実行し、その確認結果を示す確認結果情報を通信制御部５２及びネットワークインタフェース５３を順次介して当該音楽データ配信サーバＳＶ１、物販サーバＳＶ２及びラジオ放送情報配信サーバＳＶ３に返信する。
【００７０】
周波数情報記憶部５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
【００７１】
ＵＲＬ記憶部５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
【００７２】
（１−４）音楽データ配信サーバＳＶ１の機能回路ブロック構成
次に、図５を用いて音楽データ配信サーバＳＶ１の機能回路ブロックによるハードウェア構成を説明する。音楽データ配信サーバＳＶ１内の制御部７０は、バス７１を介して接続される各回路の動作を制御する。
【００７３】
通信制御部７２は、制御部７０の制御のもと、ネットワークインタフェース７３を介してクライアント端末２やポータルサーバ３等と各種情報や、コンテンツデータ等の各種データを送受信する。
【００７４】
顧客データベース部７４には、音楽データ配信サーバＳＶ１の運営業者とすでに契約を完了しているユーザのユーザＩＤ情報とパスワード情報とが対応付けられて顧客情報として登録されている。ただし認証処理部７５が、クライアント端末２から送信される、ポータルサーバ３によって発行されたポータル認証結果情報に基づいてユーザを認証処理する機能を有する場合には、顧客データベース部７４を設けなくてもよい。
【００７５】
ページ情報記憶部７６には、音楽データ配信サーバＳＶ１が管理する、ダウンロード可能な音楽データを紹介する音楽データ配信用のページ情報等が記憶されている。
【００７６】
因みに音楽データ配信用のページ情報は、ＸＭＬ等の言語によって記述されており、クライアント端末２を利用するユーザに対してダウンロードを希望する音楽データを選択させることができる。
【００７７】
そして制御部７０は、クライアント端末２から送信される、音楽データ配信用のページ情報を要求するページ情報取得要求信号をネットワークインタフェース７３及び通信制御部７２を順次介して受信すると、当該受信したページ情報取得要求信号に応じて、ページ情報記憶部７６に記憶された音楽データ配信用のページ情報を通信制御部７２及びネットワークインタフェース７３を順次介してクライアント端末２に送信する。
【００７８】
認証処理部７５は、クライアント端末２から送信される、当該クライアント端末２を利用するユーザのユーザＩＤ情報及びパスワード情報をネットワークインタフェース７３及び通信制御部７２を順次介して受信すると、ユーザ認証処理として、当該受信したユーザＩＤ情報及びパスワード情報が顧客データベース部７４に顧客情報として登録されているか否かを確認する。
【００７９】
また認証処理部７５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース７３及び通信制御部７２を順次介して受信し、当該受信したポータル認証結果情報を通信制御部７２及びネットワークインタフェース７３を順次介してポータルサーバ３に送信する。
【００８０】
そして認証処理部７５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース７３及び通信制御部７２を順次介して受信し、当該受信した確認結果情報に基づいてユーザが音楽関連サービス提供システム１の運営業者とすでに契約を完了している正規ユーザであるか否かを確認する。
【００８１】
このようにして認証処理部７５は、ユーザ認証処理が終了すると、そのユーザ認証処理の結果を示したサーバ認証結果情報（後述するサービスセッションＩＤ情報）を発行する。
【００８２】
このとき制御部７０は、認証処理部７５によるユーザ認証処理の結果、ユーザが正規ユーザであると認証されると、ページ情報記憶部７６に契約者用として記憶されている音楽データ配信用のページ情報をサーバ認証結果情報と共に通信制御部７２及びネットワークインタフェース７３を順次介してクライアント端末２に送信する。
【００８３】
これに対して制御部７０は、認証処理部７５によるユーザ認証処理の結果、ユーザが正規ユーザであると認証されなかったときには、認証エラー情報を、ページ情報記憶部７６に記憶されている認証の失敗を示す認証失敗通知ページ情報と共に通信制御部７２及びネットワークインタフェース７３を順次介してクライアント端末２に送信する。
【００８４】
ところで認証情報記憶部７７には、認証処理部７５により発行されたサーバ認証結果情報が一時記憶されると共に、当該認証処理部７５により、クライアント端末２を利用するユーザをユーザ認証処理するときに必要とされる各種認証情報が記憶されている。
【００８５】
音楽データ記憶部７８には、上述のＡＴＲＡＣ３形式やＭＰ３形式等で圧縮符号化された複数の音楽データが各々のコンテンツＩＤ情報等の検索キーと対応付けられて記憶されている。
【００８６】
検索部７９は、クライアント端末２に対し音楽データ配信用のページ情報が送信された結果、当該クライアント端末２から送信される、ダウンロード希望の音楽データ検索用の検索キーが格納されそのダウンロード希望の音楽データをダウンロード要求するダウンロード要求信号がネットワークインタフェース７３及び通信制御部７２を順次介して受信されると、当該受信されたダウンロード要求信号からその検索キーを取り出す。
【００８７】
そして検索部７９は、かかる検索キーに基づいて、音楽データ記憶部７８内の複数の音楽データの中から当該検索キーの示す検索条件に該当するダウンロード希望の音楽データを検索する。
【００８８】
これにより制御部７０は、その検索されたダウンロード希望の音楽データを通信制御部７２及びネットワークインタフェース７３を順次介してクライアント端末２に送信する。
【００８９】
また制御部７０は、このときクライアント端末２への音楽データのダウンロードに伴うユーザに対する課金処理用の課金情報を通信制御部７２及びネットワークインタフェース７３を順次介して課金サーバＳＶ６に送信することにより、課金サーバＳＶ６に対し当該ユーザに対する音楽データのダウンロードに応じた課金処理を実行させる。
【００９０】
（１−５）物販サーバＳＶ２の機能回路ブロック構成
次に、図６を用いて物販サーバＳＶ２の機能回路ブロックによるハードウェア構成を説明する。物販サーバＳＶ２内の制御部９０は、バス９１を介して接続される各回路の動作を制御する。
【００９１】
通信制御部９２は、制御部９０の制御のもと、ネットワークインタフェース９３を介してクライアント端末２やポータルサーバ３等と各種情報を送受信する。
【００９２】
顧客データベース部９４には、物販サーバＳＶ２の運営業者とすでに契約を完了しているユーザのユーザＩＤ情報とパスワード情報とが対応付けられて顧客情報として登録されている。ただし認証処理部９５が、クライアント端末２から送信される、ポータルサーバ３によって発行されたポータル認証結果情報に基づいてユーザを認証処理する機能を有する場合には、顧客データベース部９４を設けなくてもよい。
【００９３】
ページ情報記憶部９６には、物販サーバＳＶ２が管理する、販売対象のＣＤやＤＶＤ等のパッケージメディアを紹介するパッケージメディア販売用のページ情報等が記憶されている。
【００９４】
因みにパッケージメディア販売用のページ情報は、ＸＭＬ等の言語によって記述されており、クライアント端末２を利用するユーザに対して購入を希望するＣＤやＤＶＤ等のパッケージメディアを選択させることができる。
【００９５】
そして制御部９０は、クライアント端末２から送信される、パッケージメディア販売用のページ情報を要求するページ情報取得要求信号をネットワークインタフェース９３及び通信制御部９２を順次介して受信すると、当該受信したページ情報取得要求信号に応じて、ページ情報記憶部９６に記憶されたパッケージメディア販売用のページ情報を通信制御部９２及びネットワークインタフェース９３を順次介してクライアント端末２に送信する。
【００９６】
認証処理部９５は、クライアント端末２から送信される、当該クライアント端末２を利用するユーザのユーザＩＤ情報及びパスワード情報をネットワークインタフェース９３及び通信制御部９２を順次介して受信すると、ユーザ認証処理として、当該受信したユーザＩＤ情報及びパスワード情報が顧客データベース部９４に顧客情報として登録されているか否かを確認する。
【００９７】
また認証処理部９５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース９３及び通信制御部９２を順次介して受信し、当該受信したポータル認証結果情報を通信制御部９２及びネットワークインタフェース９３を順次介してポータルサーバ３に送信する。
【００９８】
そして認証処理部９５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース９３及び通信制御部９２を順次介して受信し、当該受信した確認結果情報に基づいてユーザが音楽関連サービス提供システム１の運営業者とすでに契約を完了している正規ユーザであるか否かを確認する。
【００９９】
このようにして認証処理部９５は、ユーザ認証処理が終了すると、そのユーザ認証処理の結果を示したサーバ認証結果情報（後述するサービスセッションＩＤ情報）を発行する。
【０１００】
このとき制御部９０は、認証処理部９５によるユーザ認証処理の結果、ユーザが正規ユーザであると認証されると、ページ情報記憶部９６に契約者用として記憶されているパッケージメディア販売用のページ情報をサーバ認証結果情報と共に通信制御部９２及びネットワークインタフェース９３を順次介してクライアント端末２に送信する。
【０１０１】
これに対して制御部９０は、認証処理部９５によるユーザ認証処理の結果、ユーザが正規ユーザであると認証されなかったときには、認証エラー情報を、ページ情報記憶部９６に記憶されている認証の失敗を示す認証失敗通知ページ情報と共に通信制御部９２及びネットワークインタフェース９３を順次介してクライアント端末２に送信する。
【０１０２】
ところで認証情報記憶部９７には、認証処理部９５により発行されたサーバ認証結果情報が一時記憶されると共に、当該認証処理部９５により、クライアント端末２を利用するユーザをユーザ認証処理するときに必要とされる各種認証情報が記憶されている。
【０１０３】
パッケージメディア情報記憶部９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
【０１０４】
検索部９９は、クライアント端末２に対しパッケージメディア販売用のページ情報が送信された結果、当該クライアント端末２から送信される、特定のＣＤやＤＶＤ等のパッケージメディアに関するパッケージメディア情報を要求するメディア情報要求信号がネットワークインタフェース９３及び通信制御部９２を順次介して受信されると、当該受信されたメディア情報要求信号から当該特定のパッケージメディア検索用の検索キーを取り出す。
【０１０５】
そして検索部９９は、かかる検索キーに基づいて、パッケージメディア情報記憶部９８内の複数のパッケージメディア情報の中から当該検索キーの示す検索条件に該当する特定のパッケージメディアのパッケージメディア情報を検索する。
【０１０６】
これにより制御部９０は、その検索されたパッケージメディア情報を通信制御部９２及びネットワークインタフェース９３を順次介してクライアント端末２に送信し、かくしてユーザに対し特定のパッケージメディアに関するパッケージメディア情報を提示する。
【０１０７】
その結果、制御部９０は、クライアント端末２から送信される、上述の特定のパッケージメディアを購入要求する購入要求信号をネットワークインタフェース９３及び通信制御部９２を順次介して受信すると、当該クライアント端末２を利用するユーザへの当該特定のパッケージメディアの引き渡し手続等の購入処理を実行する。
【０１０８】
また制御部９０は、特定のパッケージメディアの購入に伴うユーザに対する課金処理用の課金情報を通信制御部９２及びネットワークインタフェース９３を順次介して課金サーバＳＶ６に送信することにより、課金サーバＳＶ６に対し当該ユーザに対する特定のパッケージメディアの購入に応じた課金処理を実行させる。
【０１０９】
さらに制御部９０は、課金サーバＳＶ６によるユーザに対する課金処理が完了すると、パッケージメディアの購入処理が完了したことを示す購入完了ページ情報を通信制御部９２及びネットワークインタフェース９３を順次介してクライアント端末２に送信する。
【０１１０】
（１−６）ラジオ放送情報配信サーバＳＶ３の機能回路ブロック構成
次に、図７を用いてラジオ放送情報配信サーバＳＶ３の機能回路ブロックによるハードウェア構成を説明する。ラジオ放送情報配信サーバＳＶ３内の制御部１１０は、バス１１１を介して接続される各回路の動作を制御する。
【０１１１】
通信制御部１１２は、制御部１１０の制御のもと、ネットワークインタフェース１１３を介してクライアント端末２やポータルサーバ３等と各種情報を送受信する。
【０１１２】
顧客データベース部１１４には、ラジオ放送情報配信サーバＳＶ３の運営業者とすでに契約を完了しているユーザのユーザＩＤ情報とパスワード情報とが対応付けられて顧客情報として登録されている。ただし認証処理部１１５が、クライアント端末２から送信される、ポータルサーバ３によって発行されたポータル認証結果情報に基づいてユーザを認証処理する機能を有する場合には、顧客データベース部１１４を設けなくてもよい。
【０１１３】
ページ情報記憶部１１６には、ラジオ放送情報配信サーバＳＶ３が管理し、当該ラジオ放送情報配信サーバＳＶ３に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
【０１１４】
因みにオンエアリスト情報配信用のページ情報は、ＸＭＬ等の言語によって記述され、クライアント端末２を利用するユーザに対し、ラジオ番組の放送日時情報や番組名等を、取得希望のオンエアリスト情報に対する検索キーとして入力させるための入力ボックス等が設けられている。
【０１１５】
オンエアリスト情報記憶部１１７には、ラジオ放送情報配信サーバＳＶ３に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
【０１１６】
そして制御部１１０は、クライアント端末２から送信される、オンエアリスト情報配信用のページ情報を要求するページ情報取得要求信号をネットワークインタフェース１１３及び通信制御部１１２を順次介して受信すると、当該受信したページ情報取得要求信号に応じて、ページ情報記憶部１１６に記憶されたオンエアリスト情報配信用のページ情報を通信制御部１１２及びネットワークインタフェース１１３を順次介してクライアント端末２に送信する。
【０１１７】
その結果、検索部１１８は、クライアント端末２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１３及び通信制御部１１２を順次介して受信すると、当該受信したオンエアリスト情報要求信号から検索キーを取り出す。
【０１１８】
そして検索部１１８は、かかる検索キーに基づいて、オンエアリスト情報記憶部１１７内のオンエアリスト情報全体に対し当該検索キーの示す検索条件に該当する所定範囲部分を取得希望のオンエアリスト情報として検索する。
【０１１９】
これにより制御部１１０は、その検索された取得希望のオンエアリスト情報を通信制御部１１２及びネットワークインタフェース１１３を順次介してクライアント端末２に送信する。
【０１２０】
またナウオンエア情報記憶部１１９には、ラジオ放送情報配信サーバＳＶ３に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
【０１２１】
そして認証処理部１１５は、クライアント端末２からナウオンエア情報を取得要求するナウオンエア情報要求信号と共に送信される、当該クライアント端末２を利用するユーザのユーザＩＤ情報及びパスワード情報をネットワークインタフェース１１３及び通信制御部１１２を順次介して受信すると、ユーザ認証処理として、当該受信したユーザＩＤ情報及びパスワード情報が顧客データベース部１１４に顧客情報として登録されているか否かを確認する。
【０１２２】
また認証処理部１１５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース１１３及び通信制御部１１２を順次介して受信し、当該受信したポータル認証結果情報を通信制御部１１２及びネットワークインタフェース１１３を順次介してポータルサーバ３に送信する。
【０１２３】
そして認証処理部１１５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース１１３及び通信制御部１１２を順次介して受信し、当該受信した確認結果情報に基づいてユーザが音楽関連サービス提供システム１の運営業者とすでに契約を完了している正規ユーザであるか否かを確認する。
【０１２４】
このようにして認証処理部１１５は、ユーザ認証処理が終了すると、そのユーザ認証処理の結果を示したサーバ認証結果情報（後述するサービスセッションＩＤ情報）を発行する。
【０１２５】
このとき制御部１１０は、認証処理部１１５によるユーザ認証処理の結果、ユーザが正規ユーザであると認証されると、ナウオンエア情報記憶部１１９に記憶されているナウオンエア情報をサーバ認証結果情報と共に通信制御部１１２及びネットワークインタフェース１１３を順次介してクライアント端末２に送信する。
【０１２６】
これに対して制御部１１０は、認証処理部１１５によるユーザ認証処理の結果、ユーザが正規ユーザであると認証されなかったときには、認証エラー情報を、ページ情報記憶部１１６に記憶されている認証の失敗を示す認証失敗通知ページ情報と共に通信制御部１１２及びネットワークインタフェース１１３を順次介してクライアント端末２に送信する。
【０１２７】
このようにして制御部１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバＳＶ３が提供するラジオ放送情報配信サービスを受けさせないようにしている。
【０１２８】
ところで認証情報記憶部１２０には、認証処理部１１５により発行されたサーバ認証結果情報が一時記憶されると共に、当該認証処理部１１５により、クライアント端末２を利用するユーザをユーザ認証処理するときに必要とされる各種認証情報が記憶されている。
【０１２９】
（１−７）ディスク情報提供サーバＳＶ５の機能回路ブロック構成
次に、図８を用いてディスク情報提供サーバＳＶ５の機能回路ブロックによるハードウェア構成を説明する。ディスク情報提供サーバＳＶ５内の制御部１３０は、バス１３１を介して接続される各回路の動作を制御する。
【０１３０】
通信制御部１３２は、制御部１３０の制御のもと、ネットワークインタフェース１３３を介してクライアント端末２等とディスク情報等の各種情報を送受信する。
【０１３１】
ディスク情報記憶部１３４には、市販のＣＤに関するディスク情報（すなわち、ＣＤに音楽データとして記録されている楽曲の曲名や演奏時間、アーティスト名、個々の楽曲の音楽データに対するコンテンツＩＤ情報等でなる）と、当該ＣＤの音楽データに対する管理データに基づいて生成されたそのＣＤ固有の固有管理情報とが対応付けられて登録されている。
【０１３２】
検索部１３５は、クライアント端末２からＣＤの再生時に送信されるそのＣＤの固有管理情報を含むディスク情報取得要求信号が、ネットワークインタフェース１３３及び通信制御部１３２を順次介して受信されると、制御部１３０の制御のもと、当該受信されたディスク情報報要求信号に含まれる固有管理情報を検索キーとして、ディスク情報記憶部１３４に記憶している複数のディスク情報の中から、当該検索キーの示す検索条件に該当するディスク情報を検索する。
【０１３３】
そして制御部１３０は、この検索部１３５によって検索されたディスク情報を、通信制御部１３２及びネットワークインタフェース１３３を順次介してクライアント端末２に送信する。
【０１３４】
このようにしてディスク情報提供サーバＳＶ５は、クライアント端末２で再生されたＣＤに対するディスク情報を、当該クライアント端末２に提供し得るようになされている。
【０１３５】
（１−８）各サーバの処理概要
次に図９乃至図１４に示すシーケンスチャートを用いて、クライアント端末２とポータルサーバ３との間で実行される処理や、クライアント端末２とその他の音楽データ配信サーバＳＶ１、物販サーバＳＶ２及びラジオ放送情報配信サーバＳＶ３との間で実行される処理の概要を説明する。
【０１３６】
（１−８−１）クライアント端末２及びポータルサーバ３間のユーザ認証処理手順
まず図９を用いて、クライアント端末２とポータルサーバ３との間で実行されるユーザ認証処理手順について説明する。
【０１３７】
音楽関連サービス提供システム１の運営業者と契約しているユーザのクライアント端末２において制御部２３は、例えばクライアント端末２に対して電源を投入する操作が行われ、又はユーザにより操作入力部２０の特定の操作ボタンが押下されたことに応じてその操作入力部２０で認識された操作入力信号が入力処理部２１で操作コマンドに変換されて与えられると、認証要求処理を開始する。
【０１３８】
クライアント端末２で認証要求処理を開始すると、ステップＳＰ１において、制御部２３は、認証情報記憶部３８に対し予め一時記憶している認証セッションＩＤ情報等を格納した接続要求信号を生成し、当該生成した接続要求信号を通信制御部３２及びネットワークインタフェース３３を順次介してポータルサーバ３に送信する。
【０１３９】
因みに認証セッションＩＤ情報は、クライアント端末２とポータルサーバ３とがユーザ認証処理等の各種処理の実行用に通信接続する毎に、個々の通信接続状態（すなわち、セッション）の識別用としてポータルサーバ３によって発行される識別情報である。
【０１４０】
なおかかる認証セッションＩＤ情報については、ユーザ認証処理等に利用するうえで、ポータルサーバ３による発行時点を基準とした所定の有効期限（例えば１分程度）が設定されている。
【０１４１】
従ってポータルサーバ３から認証セッションＩＤ情報を取得したクライアント端末２は、その認証セッションＩＤ情報を有効期限以内にポータルサーバ３に対して提示することができない場合、ポータルサーバ３により、当該認証セッションＩＤ情報で特定される通信接続状態が切断されたと判断される。
【０１４２】
これによりポータルサーバ３は、過去に発行した認証セッションＩＤ情報が、音楽関連サービス提供システム１の運営業者と契約してはいないユーザによりユーザ認証処理等に対し不当に利用されることを防止している。
【０１４３】
また認証情報記憶部３８に一時記憶されている認証セッションＩＤ情報は、クライアント端末２とポータルサーバ３とが以前にユーザ認証処理等の実行用に通信接続したとき、そのポータルサーバ３によって発行されたものである。
【０１４４】
クライアント端末２から接続要求信号が送信されると、これに応じてステップＳＰ２においてポータルサーバ３の制御部５０は、ネットワークインタフェース５３及び通信制御部５２を順次介してその接続要求信号を受信し、当該受信した接続要求信号に格納されている認証セッションＩＤ情報等を認証処理部５６に送出する。
【０１４５】
そして認証処理部５６は、制御部５０の制御のもと、クライアント端末２から接続要求信号として受信された認証セッションＩＤ情報等に基づいてユーザ認証処理を実行する。
【０１４６】
その結果、制御部５０は、認証処理部５６により、クライアント端末２から受信した認証セッションＩＤ情報等の有効期限が切れる等して、当該クライアント端末２を利用するユーザを正規ユーザであると認証することができなかったときには、認証エラーを示す認証エラー情報を通信制御部５２及びネットワークインタフェース５３を順次介してクライアント端末２に送信する。
【０１４７】
ステップＳＰ３において、クライアント端末２の制御部２３は、ポータルサーバ３から送信された認証エラー情報をネットワークインタフェース３３及び通信制御部３２を順次介して受信すると、これに応じて認証情報記憶部３８に記憶しているユーザＩＤ情報及びパスワード情報等を読み出し、当該読み出したユーザＩＤ情報及びパスワード情報等を通信制御部３２及びネットワークインタフェース３３を順次介してポータルサーバ３に送信する。
【０１４８】
ステップＳＰ４において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
【０１４９】
これにより認証処理部５６は、制御部５０の制御のもとにユーザ認証処理として、そのクライアント端末２から受信されたユーザＩＤ情報及びパスワード情報等が、顧客データベース部５４に登録されている顧客情報に含まれているか否かを検出する。
【０１５０】
その結果、認証処理部５６は、クライアント端末２を利用するユーザを正規ユーザであると認証すると、制御部５０の制御のもとにポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
【０１５１】
そして制御部５０は、認証処理部５６によりそのクライアント端末２に対して発行された認証セッションＩＤ情報等を通信制御部５２及びネットワークインタフェース５３を順次介してクライアント端末２に送信する。
【０１５２】
ステップＳＰ５において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７に送出する。
【０１５３】
そして認証処理部３７は、制御部２３の制御のもとに、ポータルサーバ３から受信されたその認証セッションＩＤ情報等を認証情報記憶部３８に一時記憶する。
【０１５４】
これにより制御部２３は、ポータルサーバ３に対しページ情報を要求するためのページ情報取得要求信号を、ポータルサーバ３から受信して認証情報記憶部３８に一時記憶されたその認証セッションＩＤ情報等と共に通信制御部３２及びネットワークインタフェース３３を順次介してポータルサーバ３に送信する。
【０１５５】
ステップＳＰ６において、ポータルサーバ３の制御部５０は、クライアント端末２から送信されたページ情報取得要求信号及び認証セッションＩＤ情報等をネットワークインタフェース５３及び通信制御部５２を順次介して受信し、当該受信した認証セッションＩＤ情報等を認証処理部５６に送出する。
【０１５６】
これにより認証処理部５６は、制御部５０の制御のもと、クライアント端末２から受信された認証セッションＩＤ情報等と、上述のステップＳＰ４においてクライアント端末２に対して発行し認証情報記憶部５７に一時記憶していた認証セッションＩＤ情報等とを比較するようにしてユーザ認証処理を実行する。
【０１５７】
その結果ステップＳＰ７において、認証処理部５６は、クライアント端末２を利用するユーザを正規ユーザであると認証すると、当該クライアント端末２からのページ情報の取得要求が正当な要求であると判断し、クライアント端末２に対して発行していた認証セッションＩＤ情報等の有効期限を延長する。
【０１５８】
これにより制御部５０は、ページ情報記憶部５５から、ユーザによって取得要求されたページ情報を読み出すと共に、当該読み出したページ情報を、認証処理部５６により有効期限の延長された認証セッションＩＤ情報等と共に通信制御部５２及びネットワークインタフェース５３を順次介してクライアント端末２に送信する。
【０１５９】
ステップＳＰ８において、クライアント端末２の制御部２３は、ポータルサーバ３から送信されたページ情報と、有効期限の延長された認証セッションＩＤ情報等とをネットワークインタフェース３３及び通信制御部３２を順次介して受信し、当該受信したページ情報をページ情報生成部３６に送出すると共に、その有効期限の延長された認証セッションＩＤ情報等を認証処理部３７に送出する。
【０１６０】
ページ情報生成部３６は、制御部２３から与えられたページ情報に基づいて、音楽データ配信サーバＳＶ１、物販サーバＳＶ２及びラジオ放送情報配信サーバＳＶ３へのリンクが埋め込まれたページの映像データを生成し、当該生成した映像データを表示制御部２４に送出する。
【０１６１】
これにより表示制御部２４は、ページ情報生成部３６から与えられた映像データに対してディジタルアナログ変換処理を施し、得られたアナログ映像信号を表示部２５に送出することにより当該表示部２５にそのアナログ映像信号に基づく映像としてポータルサーバ３のページを表示させる。
【０１６２】
また認証処理部３７は、制御部２３の制御のもと認証情報記憶部３８において、ポータルサーバ３から受信された、有効期限の延長された認証セッションＩＤ情報等をその有効期限が延長される前の認証セッションＩＤ情報等に上書きするようにして一時記憶することにより、上述のステップＳＰ５において一時記憶していた認証セッションＩＤ情報等を有効期限の延長された認証セッションＩＤ情報等に更新する。
【０１６３】
（１−８−２）クライアント端末２及び各サーバＳＶ１乃至ＳＶ３間のユーザ認証処理手順
次に、図１０において、クライアント端末２と、音楽データ配信サーバＳＶ１、物販サーバＳＶ２及びラジオ放送情報配信サーバＳＶ３との間で実行するユーザ認証処理について以下に説明する。
【０１６４】
この場合、かかるユーザ認証処理としては、クライアント端末２が図９について上述したようにポータルサーバ３からページ情報を一旦取得し、引き続きそのページ情報に埋め込まれたリンクにより音楽データ配信サーバＳＶ１、物販サーバＳＶ２及びラジオ放送情報配信サーバＳＶ３にアクセスして実行されるユーザ認証処理（以下、これを間接アクセス認証処理と呼ぶ）がある。
【０１６５】
またかかるユーザ認証処理としては、クライアント端末２がポータルサーバ３のページ情報を取得せずに、予めブックマークとして登録しているＵＲＬ情報等により音楽データ配信サーバＳＶ１、物販サーバＳＶ２及びラジオ放送情報配信サーバＳＶ３に直接アクセスして実行されるユーザ認証処理（以下、これを直接アクセス認証処理と呼ぶ）もある。
【０１６６】
ただし間接アクセス認証処理については、クライアント端末２と、音楽データ配信サーバＳＶ１、物販サーバＳＶ２及びラジオ放送情報配信サーバＳＶ３とが何れの組合せであっても同様の手順で実行することができる。
【０１６７】
また直接アクセス認証処理についても、クライアント端末２と、音楽データ配信サーバＳＶ１、物販サーバＳＶ２及びラジオ放送情報配信サーバＳＶ３とが何れの組合せであっても同様の手順で実行することができる。
【０１６８】
そして間接アクセス認証処理及び直接アクセス認証処理では、クライアント端末２において音楽データ配信サーバＳＶ１、物販サーバＳＶ２及びラジオ放送情報配信サーバＳＶ３へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
【０１６９】
従って以下には、クライアント端末２のアクセス先として、説明を簡略化するうえで音楽データ配信サーバＳＶ１を代表として用い、さらに間接アクセス認証処理及び直接アクセス認証処理をまとめて１つのユーザ認証処理として説明する。
【０１７０】
まず、ステップＳＰ１０において、クライアント端末２の制御部２３は、ページ情報にリンクとして埋め込まれたＵＲＬ情報、又はすでにブックマークとして登録しているＵＲＬ情報等に従って、音楽データ配信用のページ情報（他の物販サーバＳＶ２やラジオ放送情報配信サーバＳＶ３では、パッケージメディア販売用のページ情報やオンエアリスト情報配信用のページ情報等となる）を取得要求するページ情報取得要求信号と共に、認証情報記憶部３８から読み出したサービスセッションＩＤ情報等を通信制御部３２及びネットワークインタフェース３３を順次介して音楽データ配信サーバＳＶ１に送信する。
【０１７１】
因みにサービスセッションＩＤ情報は、クライアント端末２と音楽データ配信サーバＳＶ１、物販サーバＳＶ２及びラジオ放送情報配信サーバＳＶ３とがユーザ認証処理等の各種処理の実行用に通信接続する毎に、個々の通信接続状態（すなわち、セッション）の識別用として、クライアント端末２がアクセスした音楽データ配信サーバＳＶ１、物販サーバＳＶ２及びラジオ放送情報配信サーバＳＶ３によって発行される識別情報である。
【０１７２】
なおかかるサービスセッションＩＤ情報については、上述した認証セッションＩＤ情報と同様に、ユーザ認証処理等に利用するうえで音楽データ配信サーバＳＶ１、物販サーバＳＶ２及びラジオ放送情報配信サーバＳＶ３による発行時点を基準とした所定の有効期限（例えば１分程度）が設定されている。
【０１７３】
従って各サーバＳＶ１乃至ＳＶ３からサービスセッションＩＤ情報を取得したクライアント端末２は、そのサービスセッションＩＤ情報を有効期限以内に発行元の音楽データ配信サーバＳＶ１、物販サーバＳＶ２及びラジオ放送情報配信サーバＳＶ３に対して提示することができない場合、これら発行元の音楽データ配信サーバＳＶ１、物販サーバＳＶ２及びラジオ放送情報配信サーバＳＶ３により、当該サービスセッションＩＤ情報で特定される通信接続状態が切断されたと判断される。
【０１７４】
これにより音楽データ配信サーバＳＶ１、物販サーバＳＶ２及びラジオ放送情報配信サーバＳＶ３は、過去に発行したサービスセッションＩＤ情報が、音楽関連サービス提供システム１の運営業者と契約してはいないユーザによりユーザ認証処理等に対し不当に利用されることを防止している。
【０１７５】
また認証情報記憶部３８に一時記憶されているサービスセッションＩＤ情報は、クライアント端末２と音楽データ配信サーバＳＶ１、物販サーバＳＶ２及びラジオ放送情報配信サーバＳＶ３とが以前にユーザ認証処理等の実行用に通信接続したとき、そのアクセス先の音楽データ配信サーバＳＶ１、物販サーバＳＶ２及びラジオ放送情報配信サーバＳＶ３によって発行されたものである。
【０１７６】
ステップＳＰ１１において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
【０１７７】
認証処理部７５は、制御部７０の制御のもと、クライアント端末２から受信されたサービスセッションＩＤ情報等と、認証情報記憶部７７にすでに一時記憶しているサービスセッションＩＤ情報等とを比較するようにしてユーザ認証処理を実行する。
【０１７８】
その結果、認証処理部７５は、例えばクライアント端末２から受信したサービスセッションＩＤ情報の有効期限がすでに切れていることにより、当該クライアント端末２を利用するユーザを正規ユーザであるとは認証することができないと、クライアント端末２からの音楽データ配信用のページ情報の取得要求が正当な要求ではないと判断する。
【０１７９】
そして制御部７０は、認証処理部７５によりクライアント端末２を利用するユーザが正規ユーザであると認証されないと、認証エラーを示す認証エラー情報と、音楽データ配信サーバＳＶ１を識別するショップコードとを通信制御部７２及びネットワークインタフェース７３を順次介してクライアント端末２に送信する。
【０１８０】
ステップＳＰ１２において、クライアント端末２の制御部２３は、音楽データ配信サーバＳＶ１から送信された認証エラー情報及びショップコードをネットワークインタフェース３３及び通信制御部３２を順次介して受信し、当該受信した認証エラー情報により、音楽データ配信サーバＳＶ１においてユーザが正規ユーザとして認証されなかったことを認識すると共に、その音楽データ配信サーバＳＶ１から受信したショップコードを認証情報記憶部３８に一時記憶する。
【０１８１】
そして制御部２３は、ポータルサーバ３に対して、音楽データ配信サーバＳＶ１にアクセスするための認証チケットを発行要求する認証チケット発行要求信号を生成し、当該生成した認証チケット発行要求信号を音楽データ配信サーバＳＶ１のショップコード、及びすでにポータルサーバ３から受信して認証情報記憶部３８に対し一時記憶している認証セッションＩＤ情報等と共に通信制御部３２及びネットワークインタフェース３３を順次介してポータルサーバ３に送信する。
【０１８２】
ステップＳＰ１３において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
【０１８３】
これにより認証処理部５６は、制御部５０の制御のもと、そのクライアント端末２から受信された認証セッションＩＤ情報等と、認証情報記憶部５７に対しすでに一時記憶している認証セッションＩＤ情報等とを比較するようにしてユーザ認証処理を実行する。
【０１８４】
その結果、認証処理部５６は、例えばクライアント端末２から受信された認証セッションＩＤ情報の有効期限がすでに切れており、当該クライアント端末２を利用するユーザを正規ユーザであるとは認証することができないと、クライアント端末２からの認証チケットの発行要求が正当な要求ではないと判断する。
【０１８５】
そして制御部５０は、認証処理部５６によりクライアント端末２を利用するユーザが正規ユーザであると認証されないと、認証エラーを示す認証エラー情報を通信制御部５２及びネットワークインタフェース５３を順次介してクライアント端末２に送信する。
【０１８６】
これに対して認証処理部５６は、例えばクライアント端末２から受信した認証セッションＩＤ情報の有効期限が未だ切れてはいないことで、クライアント端末２を利用するユーザを正規ユーザであると認証すると、当該クライアント端末２からの認証チケットの発行要求が正当な要求であると判断する。
【０１８７】
そして制御部５０は、認証処理部５６により、クライアント端末２を利用するユーザが正規ユーザであると認証されると、後述するステップＳＰ１８に移る。
【０１８８】
ステップＳＰ１４において、クライアント端末２の制御部２３は、ポータルサーバ３から送信された認証エラー情報をネットワークインタフェース３３及び通信制御部３２を順次介して受信すると、認証情報記憶部３８に記憶されているユーザＩＤ情報及びパスワード情報等を読み出すと共に、当該読み出したユーザＩＤ情報及びパスワード情報等を通信制御部３２及びネットワークインタフェース３３を順次介してポータルサーバ３に送信する。
【０１８９】
ステップＳＰ１５において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
【０１９０】
これにより認証処理部５６は、制御部５０の制御のもと、クライアント端末２から受信されたユーザＩＤ情報及びパスワード情報等が、顧客データベース部５４に登録されている顧客情報に含まれているか否かを検出するようにしてユーザ認証処理を実行する。
【０１９１】
その結果、認証処理部５６は、クライアント端末２を利用するユーザを正規ユーザであると認証すると、制御部５０の制御のもとポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
【０１９２】
そして制御部５０は、認証処理部５６によりそのクライアント端末２に対して発行された認証セッションＩＤ情報等を通信制御部５２及びネットワークインタフェース５３を順次介してクライアント端末２に送信する。
【０１９３】
ステップＳＰ１６において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７により認証情報記憶部３８に一時記憶する。
【０１９４】
そして制御部２３は、再びポータルサーバ３に対して、認証チケットを発行要求する認証チケット発行要求信号を生成すると共に、当該生成した認証チケット発行要求信号を、認証情報記憶部３８にすでに一時記憶しているショップコード、及びこのとき一時記憶した認証セッションＩＤ情報等と共に通信制御部３２及びネットワークインタフェース３３を順次介してポータルサーバ３に送信する。
【０１９５】
ここで本実施の形態では、クライアント端末２において認証情報記憶部３８に対しショップコードを一時記憶しておいたが、これに限らず、当該クライアント端末２とポータルサーバ３との間でステップＳＰ１２乃至ステップＳＰ１６の処理を実行する際にショップコードを順次送受信することにより、クライアント端末２において認証情報記憶部３８に対しショップコードを一時記憶しなくてもステップＳＰ１６においてポータルサーバ３に対しショップコードを送信することが可能である。
【０１９６】
ステップＳＰ１７において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
【０１９７】
これにより認証処理部５６は、制御部５０の制御のもと、そのクライアント端末２から受信された認証セッションＩＤ情報等と、認証情報記憶部５７にすでに一時記憶している認証セッションＩＤ情報等とを比較するようにしてユーザ認証処理を実行する。
【０１９８】
その結果、認証処理部５６は、例えばクライアント端末２から受信した認証セッションＩＤ情報等の有効期限が未だ切れてはいないために、クライアント端末２を利用するユーザを正規ユーザであると認証すると、当該クライアント端末２からの認証チケットの発行要求が正当な要求であると判断する。
【０１９９】
そして制御部５０は、認証処理部５６により、クライアント端末２を利用するユーザが正規ユーザであると認証されると、次のステップＳＰ１８に移る。
【０２００】
ステップＳＰ１８において、認証処理部５６は、制御部５０の制御のもと、上述のステップＳＰ１７においてクライアント端末２から受信したショップコード及び認証チケット発行要求信号に基づいて、ポータル認証結果情報として、当該ショップコードの示す音楽データ配信サーバＳＶ１へのアクセスを可能にする認証チケット等を発行する。
【０２０１】
そして認証処理部５６は、制御部５０の制御のもと、その発行した認証チケット等を認証情報記憶部５７に一時記憶すると共に、クライアント端末２に対して発行していた認証セッションＩＤ情報等の有効期限を延長する。
【０２０２】
これにより制御部５０は、認証チケット等を、認証処理部５６により有効期限の延長された認証セッションＩＤ情報等と共に通信制御部５２及びネットワークインタフェース５３を順次介してクライアント端末２に送信する。
【０２０３】
ステップＳＰ１９において、クライアント端末２の制御部２３は、ポータルサーバ３から送信された認証チケット等と、有効期限の延長された認証セッションＩＤ情報等とをネットワークインタフェース３３及び通信制御部３２を順次介して受信し、当該受信した認証セッションＩＤ情報を認証処理部３７に送出する。
【０２０４】
そして制御部２３は、そのポータルサーバ３から受信した認証チケット等を認証要求信号と共に通信制御部３２及びネットワークインタフェース３３を順次介して音楽データ配信サーバＳＶ１に送信する。
【０２０５】
また認証処理部３７は、このとき制御部２３の制御のもとに認証情報記憶部３８において、ポータルサーバ３から受信された有効期限の延長されている認証セッションＩＤ情報等をその有効期限が延長される前の認証セッションＩＤ情報等に上書きするようにして一時記憶することにより、上述のステップＳＰ１６において一時記憶していた認証セッションＩＤ情報等を有効期限の延長された認証セッションＩＤ情報等に更新する。
【０２０６】
ステップＳＰ２０において、音楽データ配信サーバＳＶ１の制御部７０は、クライアント端末２から送信された認証要求信号及び認証チケット等をネットワークインタフェース７３及び通信制御部７２を順次介して受信する。
【０２０７】
そして制御部７０は、そのクライアント端末２から受信した認証チケット等を当該認証チケット等の確認を要求する認証チケット確認要求信号と共に通信制御部７２及びネットワークインタフェース７３を順次介してポータルサーバ３に送信する。
【０２０８】
ステップＳＰ２１において、ポータルサーバ３の制御部５０は、音楽データ配信サーバＳＶ１から送信された認証チケット確認要求信号及び認証チケット等をネットワークインタフェース５３及び通信制御部５２を順次介して受信し、当該受信した認証チケット確認要求信号及び認証チケット等を認証処理部５６に送出する。
【０２０９】
そして認証処理部５６は、制御部５０の制御のもと認証チケット確認要求信号に応じて、その音楽データ配信サーバＳＶ１から受信された認証チケット等と、認証情報記憶部５７にすでに一時記憶している認証チケット等とを比較するようにして、当該音楽データ配信サーバＳＶ１から受信した認証チケットに対する確認処理を実行する。
【０２１０】
その結果、制御部５０は、認証処理部５６により、音楽データ配信サーバＳＶ１から受信した認証チケット等が正規の認証チケット等であると確認されると、当該認証チケット等を正規の認証チケット等であると確認したことを示す確認結果情報を通信制御部５２及びネットワークインタフェース５３を順次介して音楽データ配信サーバＳＶ１に送信する。
【０２１１】
ステップＳＰ２２において、音楽データ配信サーバＳＶ１の制御部７０は、ポータルサーバ３から送信された確認結果情報をネットワークインタフェース７３及び通信制御部７２を順次介して受信し、当該受信した確認結果情報を認証処理部７５に送出する。
【０２１２】
これにより認証処理部７５は、制御部７０の制御のもとにその確認結果情報に応じ、サーバ認証結果情報として、現時点のクライアント端末２と音楽データ配信サーバＳＶ１との通信接続状態に対するサービスセッションＩＤ情報等を発行すると共に、当該発行したサービスセッションＩＤ情報等を認証情報記憶部７７に一時記憶する。
【０２１３】
また制御部７０は、認証処理部７５によりそのクライアント端末２に対して発行されたサービスセッションＩＤ情報等を通信制御部７２及びネットワークインタフェース７３を順次介してクライアント端末２に送信する。
【０２１４】
ステップＳＰ２３において、クライアント端末２の制御部２３は、音楽データ配信サーバＳＶ１から送信されたサービスセッションＩＤ情報等をネットワークインタフェース３３及び通信制御部３２を順次介して受信し、当該受信したサービスセッションＩＤ情報等を認証処理部３７により認証情報記憶部３８に一時記憶させる。
【０２１５】
これにより制御部２３は、音楽データ配信用のページ情報を要求するページ情報取得要求信号を、音楽データ配信サーバＳＶ１から受信して認証情報記憶部３８に一時記憶させたサービスセッションＩＤ情報等と共に通信制御部３２及びネットワークインタフェース３３を順次介して音楽データ配信サーバＳＶ１に送信する。
【０２１６】
ステップＳＰ２４において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
【０２１７】
これにより認証処理部７５は、制御部７０の制御のもと、クライアント端末２から受信されたサービスセッションＩＤ情報等と、上述のステップＳＰ２２においてすでにクライアント端末２に対し発行して認証情報記憶部７７に一時記憶していたサービスセッションＩＤ情報等とを比較するようにしてユーザ認証処理を実行する。
【０２１８】
その結果、認証処理部７５は、例えばクライアント端末２から受信したサービスセッションＩＤ情報等の有効期限が未だ切れてはいないために、そのクライアント端末２を利用するユーザを正規ユーザであると認証すると、当該クライアント端末２からの音楽データ配信用のページ情報の取得要求が正当な要求であると判断する。
【０２１９】
そして制御部７０は、認証処理部７５により、クライアント端末２を利用するユーザが正規ユーザであると認証されると、次のステップＳＰ２５に移る。
【０２２０】
ステップＳＰ２５において、制御部７０は、ページ情報記憶部７６から、ユーザにより取得要求された音楽データ配信用のページ情報を読み出すと共に、認証処理部７５により、クライアント端末２に対して発行していたサービスセッションＩＤ情報等の有効期限を延長させる。
【０２２１】
そして制御部７０は、そのページ情報記憶部７６から読み出した音楽データ配信用のページ情報を、認証処理部７５により有効期限を延長させたサービスセッションＩＤ情報等と共に通信制御部７２及びネットワークインタフェース７３を順次介してクライアント端末２に送信する。
【０２２２】
ステップＳＰ２６において、クライアント端末２の制御部２３は、音楽データ配信サーバＳＶ１から送信された音楽データ配信用のページ情報と、有効期限の延長されたサービスセッションＩＤ情報等とをネットワークインタフェース３３及び通信制御部３２を順次介して受信し、当該受信した音楽データ配信用のページ情報をページ情報生成部３６に送出すると共に、その音楽データ配信サーバＳＶ１から受信したサービスセッションＩＤ情報等を認証処理部３７に送出する。
【０２２３】
これにより認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、上述のステップＳＰ２３において一時記憶していたサービスセッションＩＤ情報等を有効期限の延長されたサービスセッションＩＤ情報等に更新する。
【０２２４】
またページ情報生成部３６は、音楽データ配信用のページ情報に基づく映像データを生成し、当該生成した映像データを表示制御部２４に送出する。
【０２２５】
これにより表示制御部２４は、ページ情報生成部３６から与えられた映像データに対しディジタルアナログ変換処理を施し、得られたアナログ映像信号を表示部２５に送出することにより当該表示部２５にそのアナログ映像信号に基づく映像として音楽データ配信用のページを表示する。
【０２２６】
（１−８−３）音楽関連サービス提供処理
続いて図１１乃至図１４において、図１０について上述したクライアント端末２と、音楽データ配信サーバＳＶ１、物販サーバＳＶ２及びラジオ放送情報配信サーバＳＶ３との間で実行されたユーザ認証処理手順の終了後に、当該ユーザ認証処理手順においてクライアント端末２が音楽データ配信サーバＳＶ１、物販サーバＳＶ２及びラジオ放送情報配信サーバＳＶ３から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
【０２２７】
（１−８−３−１）音楽データ配信サービス提供処理手順
まず図１１を用いてクライアント端末２が、音楽データ配信サーバＳＶ１から音楽データ配信サービスの提供を受ける際の音楽データ配信サービス提供処理手順について説明する。
【０２２８】
ステップＳＰ３０において、クライアント端末２の制御部２３は、表示部２５に映像として表示された音楽データ配信用のページの一部を選択する制御コマンドが入力処理部２１から入力されると、当該入力された制御コマンドに応じて、ダウンロード希望の音楽データをダウンロード要求するダウンロード要求信号を生成する。
【０２２９】
そして制御部２３は、そのダウンロード要求信号を、すでに音楽データ配信サーバＳＶ１で発行され認証情報記憶部３８に対し一時記憶されているサービスセッションＩＤ情報等と共に通信制御部３２及びネットワークインタフェース３３を順次介して音楽データ配信サーバＳＶ１に送信する。
【０２３０】
ステップＳＰ３１において、音楽データ配信サーバＳＶ１の制御部７０は、クライアント端末２から送信されたダウンロード要求信号と、サービスセッションＩＤ情報等とをネットワークインタフェース７３及び通信制御部７２を順次介して受信し、当該受信したサービスセッションＩＤ情報等を認証処理部７５に送出する。
【０２３１】
これにより認証処理部７５は、制御部７０の制御のもと、クライアント端末２から受信されたサービスセッションＩＤ情報等と、認証情報記憶部７７に対しすでに一時記憶しているサービスセッションＩＤ情報等とを比較するようにしてユーザ認証処理を実行する。
【０２３２】
その結果、制御部７０は、認証処理部７５により、クライアント端末２を利用して音楽データのダウンロードを要求したユーザが正規ユーザであると認証されると、次のステップＳＰ３２に移る。
【０２３３】
ステップＳＰ３２において、検索部７９は、ダウンロード要求信号に格納されている検索キーに基づいて、音楽データ記憶部７８内の複数の音楽データの中から当該検索キーの示す検索条件に該当するダウンロード希望の音楽データを検索する。
【０２３４】
そして制御部７０は、検索部７９により音楽データが検索されると、認証処理部７５により、クライアント端末２に対し発行していたサービスセッションＩＤ情報等の有効期限を延長させて、次のステップＳＰ３３に移る。
【０２３５】
ステップＳＰ３３において制御部７０は、音楽データ記憶部７８から、検索部７９によって検索されたダウンロード希望の音楽データを読み出すと共に、当該読み出したダウンロード希望の音楽データを、認証処理部７５により有効期限の延長されたサービスセッションＩＤ情報等と共に通信制御部７２及びネットワークインタフェース７３を順次介してクライアント端末２に送信する。
【０２３６】
ステップＳＰ３４において、クライアント端末２の制御部２３は、音楽データ配信サーバＳＶ１から送信されたダウンロード希望の音楽データと、有効期限の延長されたサービスセッションＩＤ情報等とをネットワークインタフェース３３及び通信制御部３２を順次介して受信し、当該受信した音楽データを記憶媒体２９に記憶すると共に、その音楽データ配信サーバＳＶ１から受信したサービスセッションＩＤ情報等を認証処理部３７に送出する。
【０２３７】
認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２３８】
このようにしてクライアント端末２は、音楽データ配信サーバＳＶ１の提供している音楽データ配信サービスを利用して、ユーザにより取得の希望された音楽データをダウンロードすることができる。
【０２３９】
（１−８−３−２）物販サービス提供処理手順
次に図１２を用いてクライアント端末２が、物販サーバＳＶ２から物販サービスの提供を受ける際の物販サービス提供処理手順について説明する。
【０２４０】
ステップＳＰ４０において、クライアント端末２の制御部２３は、表示部２５に映像として表示されたパッケージメディア販売用のページの一部を選択する制御コマンドが入力処理部２１から入力されると、当該入力された制御コマンドに応じた特定のパッケージメディアに関するパッケージメディア情報を要求するメディア情報要求信号を生成する。
【０２４１】
そして制御部２３は、そのメディア情報要求信号を、すでに物販サーバＳＶ２で発行され認証情報記憶部３８に対し一時記憶されているサービスセッションＩＤ情報等と共に通信制御部３２及びネットワークインタフェース３３を順次介して物販サーバＳＶ２に送信する。
【０２４２】
ステップＳＰ４１において、物販サーバＳＶ２の制御部９０は、クライアント端末２から送信されたメディア情報要求信号と、サービスセッションＩＤ情報等とをネットワークインタフェース９３及び通信制御部９２を順次介して受信し、当該受信したサービスセッションＩＤ情報等を認証処理部９５に送出する。
【０２４３】
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
【０２４４】
その結果、制御部９０は、認証処理部９５により、クライアント端末２を利用してパッケージメディアに関するパッケージメディア情報を要求したユーザが正規ユーザであると認証されると、次のステップＳＰ４２に移る。
【０２４５】
ステップＳＰ４２において、検索部９９は、メディア情報要求信号に格納されている検索キーに基づいて、パッケージメディア情報記憶部９８内の複数のパッケージメディア情報の中から当該検索キーの示す検索条件に該当する特定のパッケージメディアのパッケージメディア情報を検索する。
【０２４６】
そして制御部９０は、検索部９９によりパッケージメディア情報が検索されると、認証処理部９５により、クライアント端末２に対し発行していたサービスセッションＩＤ情報等の有効期限を延長させて、次のステップＳＰ４３に移る。
【０２４７】
そしてステップＳＰ４３において制御部９０は、パッケージメディア情報記憶部９８から、検索部９９によって検索されたパッケージメディア情報を読み出すと共に、当該読み出したパッケージメディア情報を、認証処理部９５により有効期限の延長されたサービスセッションＩＤ情報等と共に通信制御部９２及びネットワークインタフェース９３を順次介してクライアント端末２に送信する。
【０２４８】
ステップＳＰ４４において、クライアント端末２の制御部２３は、物販サーバＳＶ２から送信されたパッケージメディア情報と、有効期限の延長されたサービスセッションＩＤ情報等とをネットワークインタフェース３３及び通信制御部３２を順次介して受信し、当該受信したパッケージメディア情報をページ情報生成部３６に送出すると共に、その物販サーバＳＶ２から受信したサービスセッションＩＤ情報等を認証処理部３７に送出する。
【０２４９】
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２５０】
またページ情報生成部３６は、制御部２３から与えられたパッケージメディア情報に基づいて映像データを生成し、当該生成した映像データを表示制御部２４によりアナログ映像信号に変換して表示部２５に送出する。
【０２５１】
このようにして制御部２３は、表示部２５に対しそのアナログ映像信号に基づく映像としてパッケージメディア情報を表示させると、次のステップＳＰ４５に移る。
【０２５２】
ステップＳＰ４５において、制御部２３は、表示部２５に映像として表示させたパッケージメディア情報に対応するパッケージメディアを購入要求する制御コマンドが入力処理部２１から入力されると、当該入力された制御コマンドに応じてそのパッケージメディアを購入要求する購入要求信号を生成する。
【０２５３】
そして制御部２３は、その購入要求信号を、すでに物販サーバＳＶ２から受信して認証情報記憶部３８に対し一時記憶されているサービスセッションＩＤ情報等（すなわち、有効期限の延長されたサービスセッションＩＤ情報等）と共に通信制御部３２及びネットワークインタフェース３３を順次介して物販サーバＳＶ２に送信する。
【０２５４】
ステップＳＰ４６において、物販サーバＳＶ２の制御部９０は、クライアント端末２から送信された購入要求信号と、サービスセッションＩＤ情報等とをネットワークインタフェース９３及び通信制御部９２を順次介して受信し、当該受信したサービスセッションＩＤ情報等を認証処理部９５に送出する。
【０２５５】
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
【０２５６】
その結果、制御部９０は、認証処理部９５により、クライアント端末２を利用してパッケージメディアの購入を要求したユーザが正規ユーザであると認証されると、次のステップＳＰ４７に移る。
【０２５７】
ステップＳＰ４７において、制御部９０は、クライアント端末２を利用するユーザに対し、購入要求されたパッケージメディアを引き渡すための手続等の購入処理を実行すると共に、当該パッケージメディアの購入に伴うユーザに対する課金処理用の課金情報を通信制御部９２及びネットワークインタフェース９３を順次介して課金サーバＳＶ６に送信することにより、その課金サーバＳＶ６に対し当該ユーザに対するパッケージメディアの購入に応じた課金処理を実行させる。
【０２５８】
また制御部９０は、認証処理部９５により、クライアント端末２に対し発行していたサービスセッションＩＤ情報等の有効期限を延長させる。
【０２５９】
ステップＳＰ４８において、制御部９０は、課金処理終了後、パッケージメディアの購入処理が完了したことを示す購入完了ページ情報を、認証処理部９５により有効期限の延長されたサービスセッションＩＤ情報等と共に通信制御部９２及びネットワークインタフェース９３を順次介してクライアント端末２に送信する。
【０２６０】
ステップＳＰ４９において、クライアント端末２の制御部２３は、物販サーバＳＶ２から送信された購入完了ページ情報と、有効期限の延長されたサービスセッションＩＤ情報等とをネットワークインタフェース３３及び通信制御部３２を順次介して受信し、当該受信した購入完了ページ情報をページ情報生成部３６に送出すると共に、その物販サーバＳＶ２から受信したサービスセッションＩＤ情報等を認証処理部３７に送出する。
【０２６１】
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２６２】
またページ情報生成部３６は、制御部２３から与えられた購入完了ページ情報に基づく映像データを生成し、当該生成した映像データを表示制御部２４によりアナログ映像信号に変換して表示部２５に送出する。
【０２６３】
これにより制御部２３は、表示部２５に対しそのアナログ映像信号に基づく映像として購入完了ページを表示させる。
【０２６４】
このようにしてクライアント端末２は、物販サーバＳＶ２の提供している物販サービスを利用して、ユーザに対して所望のパッケージメディアを購入させることができる。
【０２６５】
（１−８−３−３）オンエアリスト情報配信サービス提供処理手順
次に図１３を用いてクライアント端末２が、ラジオ放送情報配信サーバＳＶ３からラジオ放送情報配信サービスとして特にオンエアリスト情報配信サービスの提供を受ける際のラジオ放送情報配信サービス提供処理手順について説明する。
【０２６６】
ステップＳＰ６０において、クライアント端末２の制御部２３は、表示部２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部２１から入力されると、当該入力された制御コマンドに応じて、取得希望のオンエアリスト情報をダウンロード要求するオンエアリスト情報要求信号を生成する。
【０２６７】
そして制御部２３は、そのオンエアリスト情報要求信号を、すでにラジオ放送情報配信サーバＳＶ３で発行され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０２６８】
ステップＳＰ６１において、ラジオ放送情報配信サーバＳＶ３の制御部１１０は、クライアント端末２から送信されたオンエアリスト情報要求信号と、サービスセッションＩＤ情報等とをネットワークインタフェース１１３及び通信制御部１１２を順次介して受信し、当該受信したサービスセッションＩＤ情報等を認証処理部１１５に送出する。
【０２６９】
認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
【０２７０】
その結果、制御部１１０は、認証処理部１１５により、クライアント端末２を利用してオンエアリスト情報を要求したユーザが正規ユーザであると認証されると、次のステップＳＰ６２に移る。
【０２７１】
ステップＳＰ６２において、検索部１１８は、オンエアリスト情報要求信号に格納されている検索キーに基づいて、オンエアリスト情報記憶部１１７内のオンエアリスト情報全体に対し、当該検索キーの示す検索条件に該当する所定範囲部分を取得希望のオンエアリスト情報として検索する。
【０２７２】
そして制御部１１０は、検索部１１８によりオンエアリスト情報が検索されると、認証処理部１１５により、クライアント端末２に対し発行していたサービスセッションＩＤ情報等の有効期限を延長させて、次のステップＳＰ６３に移る。
【０２７３】
そしてステップＳＰ６３において制御部１１０は、オンエアリスト情報記憶部１１７から、検索部１１８によって検索されたオンエアリスト情報を読み出すと共に、当該読み出したオンエアリスト情報を、認証処理部１１５により有効期限の延長されたサービスセッションＩＤ情報等と共に通信制御部１１２及びネットワークインタフェース１１３を順次介してクライアント端末２に送信する。
【０２７４】
ステップＳＰ６４において、クライアント端末２の制御部２３は、ラジオ放送情報配信サーバＳＶ３から送信されたオンエアリスト情報と、有効期限の延長されたサービスセッションＩＤ情報等とをネットワークインタフェース３３及び通信制御部３２を順次介して受信し、当該受信したオンエアリスト情報をページ情報生成部３６に送出すると共に、そのラジオ放送情報配信サーバＳＶ３から受信したサービスセッションＩＤ情報等を認証処理部３７に送出する。
【０２７５】
認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２７６】
またページ情報生成部３６は、制御部２３から与えられたオンエアリスト情報に基づいて映像データを生成し、当該生成した映像データを表示制御部２４によりアナログ映像信号に変換して表示部２５に送出することにより当該表示部２５に対しそのアナログ映像信号に基づく映像としてオンエアリスト情報を表示させる。
【０２７７】
このようにしてクライアント端末２は、ラジオ放送情報配信サーバＳＶ３の提供しているラジオ放送情報配信サービスを利用して、ユーザに対して所望のオンエアリスト情報を取得させることができる。
【０２７８】
（１−８−３−４）ナウオンエア情報配信サービス提供処理手順
次に図１４を用いてクライアント端末２が、ラジオ放送情報配信サーバＳＶ３からラジオ放送情報配信サービスとして特にナウオンエア情報配信サービスの提供を受ける際のラジオ放送情報配信サービス提供処理手順について説明する。
【０２７９】
ただしナウオンエア情報を提供するラジオ放送情報配信サーバＳＶ３は、ラジオ局（コールサイン）毎に設けられている。
【０２８０】
そしてクライアント端末２には、初期状態において、各ラジオ局に対応するラジオ放送情報配信サーバＳＶ３のＵＲＬ情報が記憶されていない場合がある。
【０２８１】
そのため以下のラジオ放送情報配信サービス提供処理手順については、各ラジオ放送情報配信サーバＳＶ３のＵＲＬ情報をラジオ局のコールサイン毎にポータルサーバ３が管理している場合を例に挙げて説明する。
【０２８２】
またかかるラジオ放送情報配信サービス提供処理手順では、クライアント端末２が、ラジオ局毎の放送周波数を自動プリセットするためにポータルサーバ３に対して当該放送周波数を示す周波数情報を要求するときに、認証情報記憶部３８に対し認証セッションＩＤ情報等を一時記憶してはいない場合を想定している。このため、まずクライアント端末２は、ポータルサーバ３に対しユーザＩＤ情報及びパスワード情報等を送信することになる。
【０２８３】
ステップＳＰ７０において、クライアント端末２の制御部２３は、入力処理部２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部３８に記憶されているユーザＩＤ情報及びパスワード情報等と共に通信制御部３２及びネットワークインタフェース３３を順次介してポータルサーバ３に送信する。
【０２８４】
ステップＳＰ７１において、ポータルサーバ３の制御部５０は、クライアント端末２から送信された周波数情報要求信号、地域コード、ユーザＩＤ情報及びパスワード情報等をネットワークインタフェース５３及び通信制御部５２を順次介して受信し、そのクライアント端末２から受信したユーザＩＤ情報及びパスワード情報等を認証処理部５６に送出する。
【０２８５】
認証処理部５６は、制御部５０の制御のもと、クライアント端末２から受信されたユーザＩＤ情報及びパスワード情報等と、顧客データベース部５４に登録している顧客情報とを比較するようにしてユーザ認証処理を実行する。
【０２８６】
その結果、認証処理部５６は、クライアント端末２を利用するユーザを正規ユーザであると認証し、当該クライアント端末２からの周波数情報の取得要求が正当な要求であると判断すると、制御部５０の制御のもと、現時点のクライアント端末２とポータルサーバ３との通信接続状態に対する認証セッションＩＤ情報等を発行し、当該発行した認証セッションＩＤ情報等を認証情報記憶部５７に一時記憶する。
【０２８７】
そして制御部５０は、このように認証処理部５６によりユーザが正規ユーザであると認証されると、次のステップＳＰ７２に移る。
【０２８８】
ステップＳＰ７２において、制御部５０は、クライアント端末２から受信した地域コードに基づいて、周波数情報記憶部５８内の複数の周波数情報、ラジオ局名及びコールサインのリストの中から当該地域コードに対応する周波数情報、ラジオ局名及びコールサインを検索してリスト化し読み出す。
【０２８９】
これにより制御部５０は、周波数情報記憶部５８からリスト化して読み出した周波数情報、ラジオ局名及びコールサインを、上述のステップＳＰ７１において認証処理部５６によりクライアント端末２に対して発行された認証セッションＩＤ情報等と共に通信制御部５２及びネットワークインタフェース５３を順次介してクライアント端末２に送信する。
【０２９０】
ステップＳＰ７３において、クライアント端末２の制御部２３は、ポータルサーバ３から送信された周波数情報、ラジオ局名及びコールサインのリストと、認証セッションＩＤ情報等とをネットワークインタフェース３３及び通信制御部３２を順次介して受信し、当該ポータルサーバ３から受信した認証セッションＩＤ情報等を認証処理部３７に送出すると共に、周波数情報、ラジオ局名及びコールサインのリストを表示制御部２４に送出する。
【０２９１】
これにより認証処理部３７は、制御部２３の制御のもと、ポータルサーバ３から受信された認証セッションＩＤ情報等を認証情報記憶部３８に一時記憶する。
【０２９２】
また表示制御部２４は、制御部２３から与えられた周波数情報、ラジオ局名及びコールサインのリストを表示部２５に送出することにより当該表示部２５に対しそのリストを表示させる。
【０２９３】
さらに制御部２３は、このとき入力処理部２１から入力される選択コマンドに基づき、選択された周波数情報、ラジオ局名及びコールサインを記憶媒体２９にプリセットとして記憶して、次のステップＳＰ７４に移る。
【０２９４】
ステップＳＰ７４において、制御部２３は、入力処理部２１から入力されるチューニング制御コマンドに応じて、チューナ部３１を、ラジオ放送波の中からチューニング制御コマンドに対応する放送周波数で放送されているラジオ放送のラジオ放送信号を抽出するように制御する。
【０２９５】
これによりチューナ部３１は、放送信号受信部３０により受信されたラジオ放送波の中から、その放送周波数で放送されているラジオ放送信号を抽出して復号等の所定の受信処理を施し、この結果得られた音声データを音声制御部２６に送出する。
【０２９６】
従って音声制御部２６は、チューナ部３１から与えられる音声データをアナログ音声信号に変換してスピーカ２７に送出することにより当該スピーカ２７から、選択されたラジオ番組の音声を出力させることができる。
【０２９７】
ステップＳＰ７５において、ラジオ放送表示制御部３９は、制御部２３の制御のもと、記憶媒体２９から、上述のチューニング制御コマンドに対応する放送周波数を示す周波数情報に対応して記憶されているコールサインを読み出すと共に、当該読み出したコールサインを、認証情報記憶部３８に対しすでに一時記憶されている認証セッションＩＤ情報等と共に通信制御部３２及びネットワークインタフェース３３を順次介してポータルサーバ３に送信する。
【０２９８】
ステップＳＰ７６において、ポータルサーバ３の制御部５０は、クライアント端末２から送信されたコールサイン及び認証セッションＩＤ情報等をネットワークインタフェース５３及び通信制御部５２を順次介して受信し、当該受信した認証セッションＩＤ情報等を認証処理部５６に送出する。
【０２９９】
認証処理部５６は、制御部５０の制御のもと、クライアント端末２から受信された認証セッションＩＤ情報等と、認証情報記憶部５７に対しすでに一時記憶している認証セッションＩＤ情報等とを比較するようにしてユーザ認証処理を実行する。
【０３００】
その結果、制御部５０は、認証処理部５６により、クライアント端末２から受信した認証セッションＩＤ情報等が有効期限内のものであり、当該クライアント端末２を利用してコールサインを送信したユーザが正規ユーザであると認証されると、次のステップＳＰ７７に移る。
【０３０１】
ステップＳＰ７７において、制御部５０は、クライアント端末２から受信したコールサインに基づいて、ＵＲＬ記憶部５９内の複数のＵＲＬ情報の中から当該コールサインに対応付けられたＵＲＬ情報を検索する。
【０３０２】
また制御部５０は、認証処理部５６により、クライアント端末２に対し発行していた認証セッションＩＤ情報等の有効期限を延長させる。
【０３０３】
そして制御部５０は、ＵＲＬ記憶部５９から、その検索したＵＲＬ情報を読み出すと共に、当該読み出したＵＲＬ情報を、認証処理部５６により有効期限の延長された認証セッションＩＤ情報等と共に通信制御部５２及びネットワークインタフェース５３を順次介してクライアント端末２に送信する。
【０３０４】
ステップＳＰ７８において、クライアント端末２の制御部２３は、ポータルサーバ３から送信されたＵＲＬ情報と、有効期限の延長された認証セッションＩＤ情報等とをネットワークインタフェース３３及び通信制御部３２を順次介して受信し、当該受信した認証セッションＩＤ情報等を認証処理部３７に送出すると共に、ＵＲＬ情報をラジオ放送表示制御部３９に送出する。
【０３０５】
認証処理部３７は、制御部２３の制御のもと認証情報記憶部３８において、ポータルサーバ３から受信された有効期限の延長されている認証セッションＩＤ情報等をその有効期限が延長される前の認証セッションＩＤ情報等に上書きするようにして一時記憶することにより、当該認証情報記憶部３８に対しすでに一時記憶している認証セッションＩＤ情報等の内容を更新する。
【０３０６】
またラジオ放送表示制御部３９は、制御部２３の制御のもとに、当該制御部２３から与えられたＵＲＬ情報を、記憶媒体２９に記憶しているコールサインに対応付けて記憶媒体２９等に一時記憶する。
【０３０７】
そしてラジオ放送表示制御部３９は、制御部２３の制御のもとに、記憶媒体２９等に一時記憶したＵＲＬ情報に従って、ナウオンエア情報を取得要求するナウオンエア情報要求信号を、すでにラジオ放送情報配信サーバＳＶ３から受信され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０３０８】
ここでかかるラジオ放送情報配信サービス提供処理手順では、ステップＳＰ７８においてクライアント端末２からナウオンエア情報要求信号及びサービスセッションＩＤ情報等をラジオ放送情報配信サーバＳＶ３に送信する処理が、図１０について上述したステップＳＰ１０の処理に対応している。
【０３０９】
従ってこのラジオ放送情報配信サービス提供処理手順では、ステップＳＰ７８の処理に引き続き、クライアント端末２及びラジオ放送情報配信サーバＳＶ３並びにポータルサーバ３において、図１０について上述したステップＳＰ１１乃至ステップＳＰ１３及びステップＳＰ１８乃至ステップＳＰ２２と同様のユーザ認証処理を順次実行した後、続くステップＳＰ７９に移る。
【０３１０】
ステップＳＰ７９において、クライアント端末２のラジオ放送表示制御部３９は、制御部２３の制御のもとに再び、記憶媒体２９等に一時記憶していたＵＲＬ情報に従ってナウオンエア情報要求信号を、すでにラジオ放送情報配信サーバＳＶ３から受信して認証情報記憶部３８に対し一時記憶されているサービスセッションＩＤ情報等と共に通信制御部３２及びネットワークインタフェース３３を順次介してラジオ放送情報配信サーバＳＶ３に送信する。
【０３１１】
ステップＳＰ８０において、ラジオ放送情報配信サーバＳＶ３の制御部１１０は、クライアント端末２から送信されたナウオンエア情報要求信号と、サービスセッションＩＤ情報等とをネットワークインタフェース１１３及び通信制御部１１２を順次介して受信し、当該受信した認証セッションＩＤ情報等を認証処理部１１５に送出する。
【０３１２】
これにより認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
【０３１３】
その結果、認証処理部１１５は、クライアント端末２を利用するユーザを正規ユーザであると認証すると、当該クライアント端末２からのナウオンエア情報の取得要求が正当な要求であると判断する。
【０３１４】
そして制御部１１０は、認証処理部１１５により、クライアント端末２を利用するユーザが正規ユーザであると認証されると、当該認証処理部１１５により、そのクライアント端末２に対し発行していたサービスセッションＩＤ情報等の有効期限を延長させて、次のステップＳＰ８１に移る。
【０３１５】
ステップＳＰ８１において、制御部１１０は、ナウオンエア情報記憶部１１９からナウオンエア情報を読み出し、当該読み出したナウオンエア情報を、認証処理部１１５により有効期限の延長されたサービスセッションＩＤ情報等と共に通信制御部１１２及びネットワークインタフェース１１３を順次介してクライアント端末２に送信する。
【０３１６】
ステップＳＰ８２において、クライアント端末２の制御部２３は、ラジオ放送情報配信サーバＳＶ３から送信されたナウオンエア情報と、有効期限の延長されたサービスセッションＩＤ情報等とをネットワークインタフェース３３及び通信制御部３２を順次介して受信し、当該受信したサービスセッションＩＤ情報等を認証処理部３７に送出すると共に、ナウオンエア情報をラジオ放送表示制御部３９に送出する。
【０３１７】
これにより認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０３１８】
またラジオ放送表示制御部３９は、制御部２３から与えられたナウオンエア情報を表示制御部２４を介して表示部２５に送出することにより、当該表示部２５に対し、現在受信中のラジオ放送のラジオ番組に関するナウオンエア情報を表示させる。
【０３１９】
そしてかかるラジオ放送情報配信サービス提供処理手順では、この後、クライアント端末２がステップＳＰ７９におけるナウオンエア情報の取得要求を定期的に繰り返し実行すると共に、ラジオ放送情報配信サーバＳＶ３がクライアント端末２からその取得要求を受けてステップＳＰ８０及びステップＳＰ８１の処理を順次実行する。
【０３２０】
これによりクライアント端末２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末２の表示部２５に表示することができる。
【０３２１】
（１−９）クライアント端末２のハードウェア回路ブロック構成
（１−９−１）回路構成
次にクライアント端末２のハードウェア回路ブロックによるハードウェア構成を説明する。かかるクライアント端末２のハードウェア回路ブロックによるハードウェア構成では、一部の機能を後述するソフトウェアモジュールに従って実現している。
【０３２２】
図１５に示すようにクライアント端末２は、その筐体表面やリモートコントローラ（図示せず）に設けられた各種操作ボタンでなる操作入力部２００がユーザによって操作されると、当該操作入力部２００でこれを認識し、当該操作に応じた操作入力信号を入力処理部２０１へ送出する。
【０３２３】
入力処理部２０１は、供給される操作入力信号に対して所定の処理を施すことにより、当該操作入力信号を操作コマンドに変換し、これをバス２０２を介してＣＰＵ（Central Processing Unit）２０３に供給する。
【０３２４】
ＣＰＵ２０３は、ＲＯＭ（Read Only Memory）２０４に予め格納されている基本プログラムやアプリケーションプログラム等の各種プログラムをバス２０２を介してＲＡＭ（Random Access Memory）２０５に読み出し、これら各種プログラムに従って全体を制御すると共に、所定の演算処理や、入力処理部２０１から供給される操作コマンドに応じた各種処理を実行する。
【０３２５】
ディスプレイ２０６は、例えば液晶ディスプレイ等の表示デバイスであって、筐体表面に直接取り付けられている場合や外付けされている場合がある。
【０３２６】
そしてディスプレイ２０６は、ＣＰＵ２０３による処理結果や各種映像データが表示処理部２０７を介してアナログ映像信号として供給されると、当該アナログ映像信号に基づく映像を表示する。
【０３２７】
メディアドライブ２０８は、例えばＣＤや、フラッシュメモリが外装ケースに内包されるメモリスティック（登録商標）に記録されたコンテンツデータを読み出して再生し、又は当該ＣＤやメモリスティックに対し記録対象のコンテンツデータを記録する。
【０３２８】
そしてメディアドライブ２０８は、ＣＤやメモリスティックからコンテンツデータとして映像データを読み出したときには、当該再生した映像データをバス２０２を介して表示処理部２０７に供給する。
【０３２９】
またメディアドライブ２０８は、ＣＤやメモリスティックからコンテンツデータとして音声データを読み出したときには、当該再生した音声データを音声処理部２０９に供給する。
【０３３０】
表示処理部２０７は、バス２０２を介して供給される映像データに対してディジタルアナログ変換処理を施し、その結果得られるアナログ映像信号をディスプレイ２０６に供給することにより、当該ディスプレイ２０６にそのアナログ映像信号に基づく映像を表示させる。
【０３３１】
また音声処理部２０９は、バス２０２を介して供給される音声データに対してディジタルアナログ変換処理を施し、その結果得られるアナログ音声信号を２チャンネルのスピーカ２１０に送出することにより、当該スピーカ２１０からそのアナログ音声信号に基づくステレオ音声を出力させる。
【０３３２】
さらにＣＰＵ２０３は、メディアドライブ２０８で読み出したコンテンツデータをバス２０２を介してハードディスクドライブ２１１に送出することにより、当該ハードディスクドライブ２１１にそのコンテンツデータをコンテンツファイルとして記憶し得るようにもなされている。
【０３３３】
因みにＣＰＵ２０３は、ハードディスクドライブ２１１に対して記憶したコンテンツデータを、図３について上述したディレクトリ構成で管理している。
【０３３４】
そしてＣＰＵ２０３は、ハードディスクドライブ２１１に記憶したコンテンツファイルを当該ハードディスクドライブ２１１からコンテンツデータとして読み出すこともできる。
【０３３５】
なおＣＰＵ２０３は、ハードディスクドライブ２１１からコンテンツデータとして映像データを読み出したときには、当該読み出した映像データをバス２０２を介して表示処理部２０７に供給する。
【０３３６】
またＣＰＵ２０３は、ハードディスクドライブ２１１からコンテンツデータとして音声データを読み出したときには、当該読み出した音声データを音声処理部２０９に供給する。
【０３３７】
アンテナ２１２は、各ラジオ局から送信されてくるラジオ放送波を受信し、これをＡＭ／ＦＭチューナでなるチューナ２１３に送出する。
【０３３８】
チューナ２１３は、ＣＰＵ２０３の制御のもと、アンテナ２１２を介して受信されたラジオ放送波の中から例えば操作入力部２００を介して指定されたラジオ局に対応する放送周波数のラジオ放送信号を抽出して所定の受信処理を施し、この結果得られる音声データをバス２０２を介して音声処理部２０９に供給する。
【０３３９】
音声処理部２０９は、チューナ２１３から与えられた音声データをアナログ音声信号に変換してスピーカ２１０に送出することにより、当該スピーカ２１０からラジオ局で放送されているラジオ番組の番組音声を出力させ、かくしてユーザに対しラジオ番組の番組音声を聴取させることができる。
【０３４０】
またＣＰＵ２０３は、チューナ２１３で得られた音声データをハードディスクドライブ２１１に送出して記録することにより、ラジオ番組の番組音声を録音することもできる。
【０３４１】
さらにＣＰＵ２０３は、通信処理部２１４、ネットワークインタフェース２１５を順次介してネットワークＮＴに接続し、当該ネットワークＮＴ上のポータルサーバ３やその他サーバＳＶ１乃至ＳＶ５にアクセスすることができ、これによりポータルサーバ３やその他サーバＳＶ１乃至ＳＶ５との間で各種データを送受信することができる。
【０３４２】
（１−９−２）プログラムモジュール構成
図１６に示すように、上述の図１５に示したハードウェア回路ブロックによるハードウェア構成のクライアント端末２に実装されるプログラムモジュールとしては、ＯＳ上で動作するようになされており、ポータルサーバ３やその他サーバＳＶ１乃至ＳＶ５との間でやりとりを行う。
【０３４３】
ＨＴＴＰ(Hyper Text Transfer Protocol)メッセージプログラム２４０は、ポータルサーバ３やその他サーバＳＶ１乃至ＳＶ５との間のやりとりをＨＴＴＰ通信で行うものであり、コミュニケータプログラム２４１は、ＨＴＴＰメッセージプログラム２４０とデータのやりとりを行うプログラムモジュールである。
【０３４４】
コミュニケータプログラム２４１の上位には、コンテンツのコーデックを解釈して再生するコンテンツ再生モジュール２４２、著作権保護に関する情報を取り扱う著作権保護管理モジュール２４３が位置し、そのコンテンツ再生モジュール２４２、著作権保護管理モジュール２４３の上位に対して、インターネットラジオの選局及び再生を行うインターネットラジオ選局再生モジュール２４４、楽曲購入及び試聴曲の再生を司る楽曲購入再生モジュール２４５がそれぞれ位置している。
【０３４５】
インターネットラジオ選局再生モジュール２４４と、楽曲購入再生モジュール２４５とにより再生された音声データは、音声処理部２０９に転送されることにより、最終的にスピーカ２１０から音声として出力される。
【０３４６】
インターネットラジオ選局再生モジュール２４４、楽曲購入再生モジュール２４５の上位にはＸＭＬブラウザ２４６が位置し、各種サーバからのＸＭＬファイルを解釈し、ディスプレイ２０６に対して映像表示を行う。
【０３４７】
例えば、ＸＭＬブラウザ２４６を介してユーザに選択された楽曲は楽曲購入再生モジュール２４５で購入処理され、ハードディスクコンテンツコントローラ２４７を介してハードディスクドライブ２１１に書き込まれる。
【０３４８】
なおコミュニケータプログラム２４１には、ライブラリ２４８の認証ライブラリ２４８Ａが接続されており、当該認証ライブラリ２４８Ａはポータルサーバ３等と連携して各種認証処理を行うようになされている。
【０３４９】
さらにコミュニケータプログラム２４１の上位には、データベースアクセスモジュール２４９、コンテンツデータアクセスモジュール２５０及びハードディスクコンテンツコントローラ２４７が位置する。
【０３５０】
このデータベースアクセスモジュール２４９は、ハードディスクドライブ２１１に構築された各種データベースにアクセスし、コンテンツデータアクセスモジュール２５０はハードディスクドライブ２１１に格納されたコンテンツデータにアクセスし、ハードディスクコンテンツコントローラ２４７はハードディスクドライブ２１１に格納されたコンテンツデータを管理するようになされている。
【０３５１】
ハードディスクコンテンツコントローラ２４７の上位には、ラジオ局が放送した楽曲のタイトルやアーティスト名等を表示するためのラジオ放送情報表示モジュール２５１、及びラジオ局を選局したり、当該ラジオ局から受信した楽曲としてのコンテンツデータをハードディスクドライブ２１１に記憶（録音）するチューナ選局再生／録音モジュール２５２が位置している。
【０３５２】
例えば、オーディオユーザインタフェース２５３を介して選局されたラジオ局から受信した楽曲は、コンテンツデータアクセスモジュール２５０を介してハードディスクドライブ２１１へ書き込まれるようになされている。
【０３５３】
またチューナ選局再生／録音モジュール２５２により再生されたコンテンツデータとしての音声データは、音声処理部２０９に転送されることにより、最終的にスピーカ２１０から音声として出力される。
【０３５４】
ラジオ放送情報表示モジュール２５１は、チューナ選局再生／録音モジュール２５２によって現在ラジオ局が放送している楽曲のタイトルやアーティスト名等のナウオンエア情報のようなラジオ放送情報をラジオ放送情報配信サーバＳＶ３からＨＴＴＰメッセージプログラム２４０経由で受信し、これをオーディオユーザインタフェース（ＵＩ）２５３を介してディスプレイ２０６に表示する。
【０３５５】
なおオーディオユーザインタフェース２５３を介してディスプレイ２０６に表示したラジオ放送情報は、ライブラリ２４８のクリップライブラリ２４８Ｂに一時的に記憶することもでき、ユーザからの指示に従って最終的にはデータベースアクセスモジュール２４９を介してハードディスクドライブ２１１へ記憶される。
【０３５６】
ＣＤ再生モジュール２５４は、メディアドライブ２０８に対してＣＤを再生するように制御する。
【０３５７】
そしてＣＤ再生モジュール２５４によりＣＤから再生された音声データは、音声処理部２０９に転送されることにより、最終的にスピーカ２１０から音声として出力される。
【０３５８】
ＨＤＤ再生モジュール２５５は、図示はしていないが、ハードディスクコンテンツコントローラ２４７及び著作権保護管理モジュール２４３と接続されている。
【０３５９】
これによりＨＤＤ再生モジュール２５５は、ハードディスクコンテンツコントローラ２４７の制御のもとにハードディスクドライブ２１１から読み出されたコンテンツデータとしての音声データを、著作権保護管理モジュール２４３から供給される著作権管理情報に従って再生する。
【０３６０】
そしてＨＤＤ再生モジュール２５５により著作権管理情報に従って再生された音声データは、音声処理部２０９に転送されることにより、最終的にスピーカ２１０から音声として出力される。
【０３６１】
リッピングモジュール２５６は、図示はしていないが、ハードディスクコンテンツコントローラ２４７及び著作権保護管理モジュール２４３と接続されている。
【０３６２】
これによりリッピングモジュール２５６は、ＣＤ再生モジュール２５４によりＣＤから再生された音声データを、著作権保護管理モジュール２４３から供給される、その音声データを管理するための著作権管理情報と共に、ハードディスクコンテンツコントローラ２４７の制御のもとハードディスクドライブ２１１のハードディスクに記憶される（すなわち、リッピングされる）ように、ＣＤ再生モジュール２５４、著作権保護管理モジュール２４３及びハードディスクコンテンツコントローラ２４７を制御する。
【０３６３】
ところで以上説明したプログラムモジュールにおいてＨＴＴＰメッセージプログラム２４０及びコミュニケータプログラム２４１は、図２について上述したクライアント端末２の通信制御部３２と同様の機能を実現可能なプログラムモジュールである。
【０３６４】
またコンテンツ再生モジュール２４２は、図２について上述したクライアント端末２のエンコーダ／デコーダ部３４と同様の機能を実現可能なプログラムモジュールである。
【０３６５】
さらに著作権保護管理モジュール２４３は、図２について上述したクライアント端末２の著作権管理部３５と同様の機能を実現可能なプログラムモジュールである。
【０３６６】
さらにインターネットラジオ選局再生モジュール２４４は、図２について上述したクライアント端末２の制御部２３及び音声制御部２６と同様の機能を実現可能なプログラムモジュールである。
【０３６７】
さらに楽曲購入再生モジュール２４５は、図２について上述したクライアント端末２の制御部２３及び音声制御部２６と同様の機能を実現可能なプログラムモジュールである。
【０３６８】
さらにＸＭＬブラウザ２４６は、図２について上述したクライアント端末２の入力処理部２１及びページ情報生成部３６と同様の機能を実現可能なプログラムモジュールである。
【０３６９】
さらにハードディスクコンテンツコントローラ２４７及びデータベースアクセスモジュール２４９並びにコンテンツデータアクセスモジュール２５０は、図２について上述したクライアント端末２の制御部２３と同様の機能を実現可能なプログラムモジュールである。
【０３７０】
さらにライブラリ２４８の認証ライブラリ２４８Ａは、図２について上述したクライアント端末２の認証処理部３７及び認証情報記憶部３８と同様の機能を実現可能なプログラムモジュールである。
【０３７１】
さらにライブラリ２４８のクリップライブラリ２４８Ｂは、図２について上述したクライアント端末２の制御部２３と同様の機能を実現可能なプログラムモジュールである。
【０３７２】
さらにラジオ放送情報表示モジュール２５１は、図２について上述したクライアント端末２のラジオ放送表示制御部３９と同様の機能を実現可能なプログラムモジュールである。
【０３７３】
さらにチューナ選局再生／録音モジュール２５２は、図２について上述したクライアント端末２の制御部２３及び音声制御部２６並びにチューナ部３１と同様の機能を実現可能なプログラムモジュールである。
【０３７４】
さらにオーディオユーザインタフェース２５３は、図２について上述したクライアント端末２の入力処理部２１及び制御部２３並びに表示制御部２４と同様の機能を実現可能なプログラムモジュールである。
【０３７５】
さらにＣＤ再生モジュール２５４は、図２について上述したクライアント端末２の音声制御部２６及び外部記録媒体記録再生部２８と同様の機能を実現可能なプログラムモジュールである。
【０３７６】
さらにＨＤＤ再生モジュール２５５は、図２について上述したクライアント端末２の制御部２３及び音声制御部２６と同様の機能を実現可能なプログラムモジュールである。
【０３７７】
さらにリッピングモジュール２５６は、図２について上述したクライアント端末２の制御部２３及び外部記録媒体記録再生部２８並びにエンコーダ／デコーダ部３４と同様の機能を実現可能なプログラムモジュールである。
【０３７８】
従って図１５について上述したハードウェア回路ブロックによるハードウェア構成のクライアント端末２では、ＣＰＵ２０３が上述の各種プログラムモジュールに従って、図２について上述した機能回路ブロックによるハードウェア構成のクライアント端末２と同様の処理を実行することができる。
【０３７９】
またハードウェア回路ブロックによるハードウェア構成のクライアント端末２は、後述するコンテンツ記録保持処理手順を実現可能である。
【０３８０】
そして機能ブロックによるハードウェア構成のクライアント端末２は、各機能ブロックが、それぞれハードウェア回路ブロックによるハードウェア構成のクライアント端末２に実装されているプログラムモジュールで実現可能な機能を網羅していることにより、かかるハードウェア回路ブロックによるハードウェア構成のクライアント端末２と同様に後述のコンテンツ記録保持処理手順を実現することができる。
【０３８１】
（１−１０）ポータルサーバ３の構成
次に、図１７を用いてポータルサーバ３のハードウェア回路ブロックによるハードウェア構成を説明する。ポータルサーバ３は、全体を統括的に制御するＣＰＵ３００が、ＲＯＭ３０１又はハードディスクドライブ３０２に記憶されている基本プログラムやコンテンツ記録保持支援プログラム等の各種プログラムを、バス３０３を介してＲＡＭ３０４に適宜展開しこれを実行することにより、ユーザ認証処理等の各種処理を行う。
【０３８２】
この場合、ＣＰＵ３００は、ハードディスクドライブ３０２のハードディスク内に予め構築した顧客データベースに対して、音楽関連サービス提供システム１の利用が許可されたユーザのユーザＩＤ情報、パスワード情報及びそのユーザの使用するクライアント端末２固有の端末ＩＤ情報等を対応付けて顧客情報（以下、これをユーザ登録情報と呼ぶ）として登録している。
【０３８３】
ＣＰＵ３００は、ユーザによる音楽に関する各種サービスの利用に応じてクライアント端末２からユーザＩＤ情報及びパスワード情報並びに端末ＩＤ情報が送信されると、これらをネットワークインタフェース３０５を介して受信する。そしてＣＰＵ３００は、そのユーザＩＤ情報及びパスワード情報並びに端末ＩＤ情報に基づいて、ハードディスク内の顧客データベースにすでに登録しているユーザ登録情報を検索するようにしてユーザ認証処理を実行する。
【０３８４】
その結果、ＣＰＵ３００は、ユーザ認証処理が終了すると、かかるユーザ認証処理の結果を示したポータル認証結果情報を生成し、これをネットワークインタフェース３０５を介してクライアント端末２へ送信する。
【０３８５】
（１−１１）音楽データ配信サーバＳＶ１の構成
次に、図１８を用いて音楽データ配信サーバＳＶ１のハードウェア回路ブロックによるハードウェア構成を説明する。音楽データ配信サーバＳＶ１は、全体を統括的に制御するＣＰＵ３１０が、ＲＯＭ３１１又はハードディスクドライブ３１２に記憶されている基本プログラムやデータ配信プログラム等の各種プログラムを、バス３１３を介してＲＡＭ３１４に適宜展開しこれを実行することにより、クライアント端末２に対して音楽データを配信するための処理を行う。
【０３８６】
例えばこのハードディスクドライブ３１２には、上述のＡＴＲＡＣ３形式や、ＭＰ３形式等で圧縮符号化された複数の音楽データが、コンテンツＩＤ情報と対応付けて記憶されている。
【０３８７】
音楽データ配信サーバＳＶ１のＣＰＵ３１０は、クライアント端末２からダウンロード要求信号が送信されると、これをネットワークインタフェース３１５を介して受信する。そしてＣＰＵ３１０は、かかるダウンロード要求信号に基づいて、ハードディスクドライブ３１２に記憶している複数の音楽データの中から、ユーザによってダウンロード要求された音楽データを検索する。これによりＣＰＵ３１０は、その検索した音楽データをネットワークインタフェース３１５を介してクライアント端末２に送信する。
【０３８８】
（１−１２）物販サーバＳＶ２の構成
次に、図１９を用いて物販サーバＳＶ２のハードウェア回路ブロックによるハードウェア構成を説明する。物販サーバＳＶ２は、全体を統括的に制御するＣＰＵ３２０が、ＲＯＭ３２１又はハードディスクドライブ３２２に記憶されている基本プログラムや各種プログラムを、バス３２３を介してＲＡＭ３２４に適宜展開しこれを実行することにより、物販サービスを提供するための処理を行う。
【０３８９】
ここで、この物販サービスを提供する方法の一例を説明する。例えば物販サーバＳＶ２のハードディスクドライブ３２２には、パッケージメディア販売用のページ情報等が記憶されている。このページ情報は、ＸＭＬ等の言語によって記述されている。そしてクライアント端末２のユーザは、かかるパッケージメディア販売用のページを介して、購入を希望するＣＤやＤＶＤを選択することができる。
【０３９０】
物販サーバＳＶ２のＣＰＵ３２０は、クライアント端末２からの要求に応じて、かかるパッケージメディア販売用のページ情報を、ネットワークインタフェース３２５を介してクライアント端末２に送信することにより、当該クライアント端末２のディスプレイ２０６に対し、そのパッケージメディア販売用のページ情報を映像のページとして表示させる。
【０３９１】
そしてＣＰＵ３２０は、クライアント端末２から、そのページを介して購入希望のパッケージメディアが選択されたことに応じて、購入要求信号が送信されると、これをネットワークインタフェース３２５を介して受信する。これによりＣＰＵ３２０は、かかる購入要求信号に応じて、クライアント端末２のユーザに対しバーケージメディアを販売するための処理を実行する。
【０３９２】
（１−１３）ラジオ放送情報配信サーバＳＶ３の構成
次に、図２０を用いてラジオ放送情報配信サーバＳＶ３のハードウェア回路ブロックによるハードウェア構成を説明する。ラジオ放送情報配信サーバＳＶ３は、全体を統括的に制御するＣＰＵ３３０が、ＲＯＭ３３１又はハードディスクドライブ３３２に記憶されている基本プログラムや各種プログラムを、バス３３３を介してＲＡＭ３３４に適宜展開しこれを実行することにより、ラジオ放送情報配信サービスを提供する。
【０３９３】
ここで、このラジオ放送情報配信サービスを提供する方法の一例を説明する。例えばこのラジオ放送情報配信サーバＳＶ３のハードディスクドライブ３３２には、オンエアリスト情報や、ナウオンエア情報等が記憶されている。
【０３９４】
ラジオ放送情報配信サーバＳＶ３のＣＰＵ３３０は、クライアント端末２から例えばナウオンエア情報要求信号が送信されると、これをネットワークインタフェース３３５を介して受信する。そしてＣＰＵ３３０は、ナウオンエア情報要求信号に応じて、ハードディスクドライブ３３２からナウオンエア情報を読み出し、これをネットワークインタフェース３３５を介してクライアント端末２に送信する。
【０３９５】
（１−１４）ディスク情報提供サーバＳＶ５の構成
次に、図２１を用いてディスク情報提供サーバＳＶ５のハードウェア回路ブロックによるハードウェア構成を説明する。ディスク情報提供サーバＳＶ５ば全体を統括的に制御するＣＰＵ３４０が、ＲＯＭ３４１又はハードディスクドライブ３４２のハードディスクに記憶されている基本プログラムやディスク情報提供プログラム等の各種プログラムを、バス３４３を介してＲＡＭ３４４に適宜展開しこれを実行することにより、ディスク情報提供処理等の各種処理を実行する。
【０３９６】
これによりＣＰＵ３４０は、ハードディスクドライブ３４２のハードディスク内に予め、ＣＤに関するディスク情報の登録用としてディスク情報データベースを構築している。
【０３９７】
ところでＣＤには、データ記録面に音楽データ記録領域と管理データ記録領域とが設けられている。その音楽データ記録領域には、１又は複数曲の音楽データが記録されている。また管理データ記録領域には、その音楽データ記録領域に記録されている音楽データを管理するための、個々の音楽データに対する再生時間（すなわち、個々の楽曲の演奏時間）や、再生の順番、その音楽データ記録領域における再生開始位置等のＴＯＣ（Table Of Contents ）と呼ばれる管理データが記録されている。
【０３９８】
従ってＣＰＵ３４０は、ハードディスク内のディスク情報データベースに対し、個々のＣＤに関するディスク情報（すなわち、ＣＤに音楽データとして記録されている楽曲の曲名や演奏時間、アーティスト名、個々の楽曲の音楽データに対するコンテンツＩＤ情報等でなる）と、当該ＣＤの音楽データに対する管理データに基づいて生成された、そのＣＤ固有の固有管理情報とを対応付けて登録している。
【０３９９】
ＣＰＵ３４０は、例えばクライアント端末２からＣＤの再生の際にそのＣＤに対する固有管理情報が送信されると、これをネットワークインタフェース３４５を介して受信する。そしてＣＰＵ３４０は、その固有管理情報に基づいて、ハードディスク内のディスク情報データベースに登録している複数のディスク情報の中から、当該固有管理情報に対応するディスク情報を検索する。これによりＣＰＵ３４０は、その検索したディスク情報をネットワークインタフェース３４５を介してクライアント端末２に送信する。
【０４００】
これによりＣＰＵ３４０は、クライアント端末２に対し、再生されたＣＤに関するディスク情報を提供し得るようになされている。
【０４０１】
（１−１５）課金サーバＳＶ６の構成
次に、図２２を用いて課金サーバＳＶ６のハードウェア回路ブロックによるハードウェア構成を説明する。課金サーバＳＶ６は、全体を統括的に制御するＣＰＵ３５０が、ＲＯＭ３５１又はハードディスクドライブ３５２のハードディスクに記憶されている基本プログラムや課金処理プログラム等の各種プログラムを、バス３５３を介してＲＡＭ３５４に適宜展開しこれを実行することにより、課金処理等の各種処理を実行する。
【０４０２】
この場合、ＣＰＵ３５０は、ハードディスクドライブ３５２のハードディスクに構築した課金情報データベースに対し、ユーザに対する課金処理に使用するユーザＩＤ情報や当該ユーザの口座番号等の課金処理使用情報を登録している。またＣＰＵ３５０は、かかる課金データベースに対し、コンテンツＩＤ情報にコンテンツデータの販売価格を対応付けてコンテンツ価格情報として登録している。さらにＣＰＵ３５０は、その課金情報データベースに対し、物販サーバＳＶ２を利用して購入可能なＣＤやＤＶＤ等の販売価格等も物販価格情報として登録している。
【０４０３】
ＣＰＵ３５０は、ポータルサーバ３や音楽データ配信サーバＳＶ１、物販サーバＳＶ２から、課金対象のユーザ、及びそのユーザに購入されるコンテンツデータやＣＤ等の購入対象を特定可能で、かつ当該ユーザに対する課金処理の実行を依頼する課金依頼情報が送信されると、これをネットワークインタフェース３５５を介して受信する。そしてＣＰＵ３５０は、その課金依頼情報に基づいて、ハードディスク内の課金情報データベースの中から、課金対象のユーザの課金処理使用情報と、そのユーザの購入する購入対象の価格情報（すなわち、コンテンツ価格情報及び物販価格情報）を探し出す。
【０４０４】
これによりＣＰＵ３５０は、課金情報データベースの中から探し出した課金処理使用情報及び価格情報を用いてユーザに対する課金処理を実行し、かくしてユーザに対しコンテンツデータやＣＤ等の購入対象を正しく購入させ得るようになされている。
【０４０５】
（２）データ記録保持シーケンス
次に、クライアント端末２においてＣＤに記録されている音楽データをハードディスクドライブ２１１のハードディスクに記録保持するデータ記録保持シーケンスについて説明する。
【０４０６】
（２−１）ユーザにより１台のクライアント端末２が継続的に使用されている場合の第１のデータ記録保持シーケンス
図２３及び図２４に示すように、クライアント端末２のＣＰＵ２０３は、当該クライアント端末２の使用者であるユーザ固有のユーザＩＤ情報及びパスワード情報と、そのクライアント端末２固有の端末ＩＤ情報とをポータルサーバ３に送信する。これによりＣＰＵ２０３は、ポータルサーバ３において、これらユーザＩＤ情報及びパスワード情報並びに端末ＩＤ情報が互いに対応付けられてユーザ登録情報として登録されると、図１６について上述した各種プログラムモジュールに従い第１のコンテンツ記録保持処理手順を開始する。
【０４０７】
ＣＰＵ２０３は、第１のコンテンツ記録保持処理手順を開始すると、ステップＳＰ１０１においてＣＤの再生が要求されたか否かを判断する。
【０４０８】
このステップＳＰ１０１において肯定結果が得られると、このことはユーザにより音楽の聴取用にクライアント端末２に対して所望のＣＤが装填され、操作入力部２００を介してＣＤに対する再生命令が入力されたことを表しており、このときＣＰＵ２０３は、次のステップＳＰ１０２に移る。
【０４０９】
ステップＳＰ１０２においてＣＰＵ２０３は、メディアドライブ２０８によってＣＤの管理データ記録領域及び音楽データ記録領域を順番に再生する。
【０４１０】
これによりＣＰＵ２０３は、ＣＤの管理データ記録領域から読み出した管理データに基づいて、そのＣＤに関するディスク情報を特定可能な当該ＣＤ固有の固有管理情報を生成する。またＣＰＵ２０３は、管理データ記録領域及び又は音楽データ記録領域における管理データ及び又は音楽データの再生結果に基づいて、データ記録面の傷等に起因して発生した再生エラーの回数及び当該データ記録面におけるエラー発生位置等を示すディスク再生状態情報を生成する。そしてＣＰＵ２０３は、これら固有管理情報及びディスク再生状態情報をまとめてＣＤの物理的構造の個体差に関するディスク固有情報（すなわち、個々のＣＤ固有の情報である）とし、次のステップＳＰ１０３に移る。
【０４１１】
ステップＳＰ１０３においてＣＰＵ２０３は、ディスク固有情報を、ユーザ登録情報の登録の際にハードディスク又はＲＡＭ２０５に記憶していたユーザＩＤ情報及びパスワード情報、並びにクライアント端末２の製造の際にＲＯＭ２０４又はハードディスクに記憶されていた端末ＩＤ情報と共に格納したディスク登録要求信号を生成する。これによりＣＰＵ２０３は、かかるディスク登録要求信号を通信処理部２１４及びネットワークインタフェース２１５を順次介してポータルサーバ３に送信し、次のステップＳＰ１０４に移る。
【０４１２】
ポータルサーバ３のＣＰＵ３００は、クライアント端末２を利用するユーザのユーザ登録情報を登録したことで、ＲＯＭ３０１又はハードディスクに予め記憶している第１のコンテンツ記録保持支援プログラムに従って第１のコンテンツ記録保持支援処理手順を開始している。
【０４１３】
ＣＰＵ３００は、第１のコンテンツ記録保持支援処理手順を開始すると、ステップＳＰ１２１において、クライアント端末２からＣＤの再生に応じて、そのＣＤの登録用として送信されたディスク登録要求信号をネットワークインタフェース３０５を介して受信する。そしてＣＰＵ３００は、そのディスク登録要求信号に格納されているユーザＩＤ情報及びパスワード情報並びに端末ＩＤ情報と、ハードディスク内の顧客データベースに登録しているユーザ登録情報とに基づいてユーザ認証処理を実行する。
【０４１４】
これによりＣＰＵ３００は、かかるステップＳＰ１２１において、そのユーザ認証結果に応じて、クライアント端末２のユーザによりＣＤに対するディスク登録が要求されたか否かを判断する。
【０４１５】
このステップＳＰ１２１において肯定結果が得られると、このことはクライアント端末２のユーザに対するユーザ認証処理の結果、当該ユーザを正規ユーザであると認証したことで、そのユーザによるＣＤのディスク登録の要求が正当なものであることを確認したことを表しており、このときＣＰＵ３００は、次のステップＳＰ１２２に移る。
【０４１６】
ここでＣＰＵ３００は、ハードディスク内の顧客データベースに対し、個々のユーザによるディスク登録の要求に応じて登録対象のＣＤ固有のディスク固有情報を、そのディスク登録を要求したユーザのユーザ登録情報に含まれる少なくともユーザＩＤ情報及び端末ＩＤ情報に対応付けて登録している。またＣＰＵ３００は、その顧客データベースに対し、ＣＤのレンタルショップで貸出用に取り扱われているＣＤ固有のディスク固有情報についても、そのレンタルショップ固有のショップＩＤ情報と対応付けて登録している。
【０４１７】
従ってステップＳＰ１２２においてＣＰＵ３００は、クライアント端末２から取得したディスク登録要求信号に格納されているディスク固有情報を、顧客データベース内の全てのディスク固有情報（すなわち、個々のユーザからのディスク登録の要求に応じて登録したディスク固有情報と、レンタルショップで貸出用に取り扱われているＣＤのディスク固有情報との両方である）と順次比較する。これによりＣＰＵ３００は、その比較結果に基づいて、今回クライアント端末２から取得したディスク固有情報が、顧客データベースに対し未登録であるか否かを判断する。
【０４１８】
このステップＳＰ１２２において肯定結果が得られると、このことはクライアント端末２から今回取得したディスク固有情報が、物販サーバＳＶ２を利用して購入され又はＣＤ販売店で購入されてから初めてクライアント端末２で再生されたＣＤのディスク固有情報であり、そのディスク固有情報を顧客データベースに未だ登録してはいなかったことを表している。このときＣＰＵ３００は、次のステップＳＰ１２３に移る。
【０４１９】
ステップＳＰ１２３においてＣＰＵ３００は、クライアント端末２から取得したディスク登録要求信号に格納されているユーザＩＤ情報及びパスワード情報並びに端末ＩＤ情報に基づいて顧客データベース内でそのユーザＩＤ情報及びパスワード情報並びに端末ＩＤ情報を全て含むユーザ登録情報を特定する。そしてＣＰＵ３００は、顧客データベースに対して、その特定したユーザ登録情報に含まれる少なくともユーザＩＤ情報及び端末ＩＤ情報に、ディスク固有情報を対応付けて追加登録し、次のステップＳＰ１２４に移る。
【０４２０】
ステップＳＰ１２４においてＣＰＵ３００は、ステップＳＰ１２３において顧客データベースに対し新たに登録したディスク固有情報から固有管理情報を取り出し、当該取り出した固有管理情報を格納したディスク情報要求信号を生成する。そしてＣＰＵ３００は、かかるディスク情報要求信号をネットワークインタフェース３０５を介してディスク情報提供サーバＳＶ５に送信して、次のステップＳＰ１２５に移る。
【０４２１】
このときディスク情報提供サーバＳＶ５のＣＰＵ３４０は、ＲＯＭ３４１又はハードディスクに予め記憶されているディスク情報提供プログラムに従ってディスク情報提供処理手順を開始している。
【０４２２】
そしてＣＰＵ３４０は、ディスク情報提供処理手順を開始すると、ステップＳＰ１５１においてポータルサーバ３から送信されるディスク情報要求信号の受信を待ち受け、そのディスク情報要求信号をネットワークインタフェース３４５を介して受信すると、次のステップＳＰ１５２に移る。
【０４２３】
ステップＳＰ１５２においてＣＰＵ３４０は、ディスク情報要求信号に基づいて得られる固有管理情報と、ハードディスクドライブ３４２のハードディスク内のディスク情報データベースにすでに登録している固有管理情報のうち内容が一致するものを検出する。
【０４２４】
そしてＣＰＵ３４０は、ハードディスク内のディスク情報データベースから、ディスク情報要求信号に基づいて得られた固有管理情報と内容の一致した固有管理情報に対応付けているディスク情報を、クライアント端末２で再生されたＣＤのディスク情報として読み出す。これによりＣＰＵ３４０は、そのディスク情報をディスク情報提供信号として、ネットワークインタフェース３４５を介してポータルサーバ３に送信する。
【０４２５】
このようにしてＣＰＵ３４０は、この後、ステップＳＰ１５１及びステップＳＰ１５２の処理を適宜繰り返し実行してディスク情報提供処理手順を継続する。これによりＣＰＵ３４０は、この後、ポータルサーバ３からの要求に応じてそのポータルサーバ３に対し、ディスク登録されたＣＤのディスク情報を提供し得るようになされている。
【０４２６】
このときステップＳＰ１２５においてＣＰＵ３００は、ディスク情報提供サーバＳＶ５から送信されるディスク情報提供信号の受信を待ち受けており、そのディスク情報提供信号をネットワークインタフェース３０５を介して受信すると、次のステップＳＰ１２６に移る。
【０４２７】
ステップＳＰ１２６においてＣＰＵ３００は、ハードディスク内の顧客データベースに対し、ディスク情報提供信号に基づいて得られるディスク情報を、ステップＳＰ１２３で追加登録したディスク固有情報に対応付けて登録して、次のステップＳＰ１２７に移る。
【０４２８】
ステップＳＰ１２７においてＣＰＵ３００は、クライアント端末２で再生されたＣＤに対するディスク固有情報及びディスク情報の登録が完了したことを通知する登録完了信号をネットワークインタフェース３０５を介してそのクライアント端末２に送信して、次のステップＳＰ１２８に移る。
【０４２９】
このときステップＳＰ１０４においてＣＰＵ２０３は、ポータルサーバ３からの、ＣＤに対するディスク登録の完了の有無の通知を待ち受けている。そしてＣＰＵ２０３は、ポータルサーバ３から送信された登録完了信号をネットワークインタフェース２１５及び通信処理部２１４を順次介して受信すると、ディスプレイ２０６を介してユーザに、クライアント端末２で再生したＣＤをポータルサーバ３でディスク登録したことを通知して、次のステップＳＰ１０５に移る。
【０４３０】
ステップＳＰ１０５においてＣＰＵ２０３は、クライアント端末２ですでに再生し、ポータルサーバ３に対してディスク登録も済んでいるＣＤの音楽データに対する記録保持が要求されたか否かを判断する。
【０４３１】
このステップＳＰ１０５において肯定結果が得られると、このことはユーザにより、クライアント端末２で過去に再生したＣＤを再びクライアント端末２に装填することなく、そのＣＤの音楽データをハードディスクドライブ２１１のハードディスクに記録保持するように要求されたことを表しており、このときＣＰＵ２０３は、次のステップＳＰ１０６に移る。
【０４３２】
ステップＳＰ１０６においてＣＰＵ２０３は、クライアント端末２で記録保持用に取得可能な音楽データの提示を要求する取得可能曲提示要求信号を、ユーザＩＤ情報及びパスワード情報並びに端末ＩＤ情報と共に通信処理部２１４及びネットワークインタフェース２１５を順次介してポータルサーバ３に送信して、次のステップＳＰ１０７に移る。
【０４３３】
このときステップＳＰ１２８においてＣＰＵ３００は、クライアント端末２から送信された取得可能曲提示要求信号と、ユーザＩＤ情報及びパスワード情報並びに端末ＩＤ情報とをネットワークインタフェース３０５を介して受信する。そしてＣＰＵ３００は、そのユーザＩＤ情報及びパスワード情報並びに端末ＩＤ情報と、ハードディスク内の顧客データベースに登録しているユーザ登録情報とに基づいてユーザ認証処理を実行する。
【０４３４】
これによりＣＰＵ３００は、かかるステップＳＰ１２８において、そのユーザ認証処理の結果に応じて、クライアント端末２のユーザにより取得可能曲の提示が要求されたか否かを判断する。
【０４３５】
このステップＳＰ１２８において肯定結果が得られると、このことはクライアント端末２のユーザに対するユーザ認証処理の結果、当該ユーザを正規ユーザであると認証したことで、そのユーザによる取得可能曲の提示の要求が正当なものであることを確認したことを表している。このときＣＰＵ３００は、次のステップＳＰ１２９に移る。
【０４３６】
ステップＳＰ１２９においてＣＰＵ３００は、ハードディスク内の顧客データベースに登録している複数のユーザ登録情報のうち、クライアント端末２から取得したユーザＩＤ情報及びパスワード情報並びに端末ＩＤ情報を全て含むユーザ登録情報を特定する。またＣＰＵ３００は、その特定したユーザ登録情報に含まれるユーザＩＤ情報及び端末ＩＤ情報に対応付けている全てのディスク固有情報を特定する。さらにＣＰＵ３００は、その特定した全てのディスク固有情報にそれぞれ対応付けているディスク情報に基づいて、クライアント端末２で取得可能な曲を提示するための取得可能曲提示信号を生成する。
【０４３７】
そしてＣＰＵ３００は、その取得可能曲提示信号をネットワークインタフェース３０５を介してクライアント端末２に送信して、次のステップＳＰ１３０に移る。
【０４３８】
このときステップＳＰ１０７においてＣＰＵ２０３は、ポータルサーバ３から送信される取得可能曲提示信号の受信を待ち受けている。そしてＣＰＵ２０３は、かかる取得可能曲提示信号をネットワークインタフェース２１５及び通信処理部２１４を順次介して受信すると、次のステップＳＰ１０８に移る。
【０４３９】
ステップＳＰ１０８においてＣＰＵ２０３は、取得可能曲提示信号に基づき、表示処理部２０７を介してディスプレイ２０６に、図２５に示すような取得可能曲一覧画面４００を表示する。
【０４４０】
この場合、取得可能曲一覧画面４００には、クライアント端末２ですでに再生され、かつディスク登録も済んでいるＣＤに音楽データとして記録されている全ての楽曲の曲名４０１とその音楽を演奏しているアーティスト名４０２とを一覧表として示す取得可能曲一覧表４０３が表示される。また取得可能曲一覧表４０３内には、各曲名にそれぞれ対応させて取得の有無を示すチェックボックス４０４が表示されている。
【０４４１】
因みに取得可能曲一覧画面４００では、特に表示はしていないが、取得可能曲の曲名に、当該取得可能曲の音楽データに対するコンテンツＩＤ情報が対応付けられている。
【０４４２】
従ってＣＰＵ２０３は、その取得可能曲一覧画面４００によりユーザに対して、ハードディスクに記録保持するために取得可能な全ての音楽データを一括して提示し、次のステップＳＰ１０９に移る。
【０４４３】
ステップＳＰ１０９においてＣＰＵ２０３は、操作入力部２００の操作に応じて取得可能曲一覧画面４００上で１又は複数の楽曲が記録保持対象として任意に選択される（すなわち、チェックボックス４０４にチェックマークの入れられる）と、当該取得可能曲一覧画面４００から、その選択された１曲又は複数曲の全ての楽曲に対応するコンテンツＩＤ情報を取り出す。そしてＣＰＵ２０３は、かかるコンテンツＩＤ情報を格納した曲取得要求信号を生成し、当該生成した曲取得要求信号を通信処理部２１４及びネットワークインタフェース２１５を順次介してポータルサーバ３に送信して、次のステップＳＰ１１０に移る。
【０４４４】
このときステップＳＰ１３０においてＣＰＵ３００は、クライアント端末２から送信される曲取得要求信号の受信を待ち受けている。そしてＣＰＵ３００は、その曲取得要求信号をネットワークインタフェース３０５を介して受信すると、次のステップＳＰ１３１に移る。
【０４４５】
ステップＳＰ１３１においてＣＰＵ３００は、クライアント端末２から与えられた曲取得要求信号に基づいて、記録保持対象に選択された全ての音楽データを示し（すなわち、選択された楽曲をコンテンツＩＤ情報で示し）、かつその選択された音楽データをクライアント端末２に配信するように指示する配信指示信号を生成する。そしてＣＰＵ３００は、かかる配信指示信号をネットワークインタフェース３０５を介して音楽データ配信サーバＳＶ１に送信して、次のステップＳＰ１３２に移る。
【０４４６】
因みにＣＰＵ３００は、クライアント端末２に適用された、音楽データを扱う際の圧縮符号化方式を示す情報（以下、これを圧縮符号化情報と呼ぶ）を、当該クライアント端末２からユーザ登録の際にユーザ登録情報の一部として、又は記録保持対象の音楽データの取得が要求された際に曲取得要求信号の一部として受け取っている。これによりＣＰＵ３００は、このようにして受け取った圧縮符号化情報を配信指示信号に格納してその配信指示信号を音楽データ配信サーバＳＶ１に送信している。
【０４４７】
このとき音楽データ配信サーバＳＶ１のＣＰＵ３１０は、ＲＯＭ３１１又はハードディスクに予め記憶されているデータ配信プログラムに従ってデータ配信処理手順を開始している。
【０４４８】
そしてＣＰＵ３１０は、データ配信処理手順を開始すると、ステップＳＰ１４１においてポータルサーバ３から送信される配信指示信号の受信を待ち受け、その配信指示信号をネットワークインタフェース３１５を介して受信すると、次のステップＳＰ１４２に移る。
【０４４９】
ステップＳＰ１４２においてＣＰＵ３１０は、ポータルサーバ３から与えられた配信指示信号に基づいて、ハードディスクドライブ３４２のハードディスクから、クライアント端末２で記録保持対象に選択された全ての楽曲の音楽データを読み出す。
【０４５０】
そしてＣＰＵ３１０は、ハードディスクから読み出した音楽データが全く圧縮符号化されてはいない場合や、クライアント端末２に適用されている圧縮符号化方式とは異なる圧縮符号化方式で圧縮符号化されている場合には、かかる音楽データをクライアント端末２に適用されている圧縮符号化方式で圧縮符号化する。そしてＣＰＵ３１０は、かかる記録保持対象の音楽データ（すなわち、全ての音楽データがクライアント端末２に適用されている圧縮符号化方式で圧縮符号化されている）をネットワークインタフェース３１５を介してクライアント端末２に送信する。
【０４５１】
このようにしてＣＰＵ３１０は、この後、ステップＳＰ１４１及びステップＳＰ１４２の処理を適宜繰り返し実行してデータ配信処理手順を継続する。これによりＣＰＵ３１０は、ポータルサーバ３からの指示に従い、クライアント端末２に対し記録保持対象の音楽データを配信し得るようになされている。
【０４５２】
このときステップＳＰ１１０においてＣＰＵ２０３は、音楽データ配信サーバＳＶ１から送信される音楽データの受信を待ち受けている。そしてＣＰＵ２０３は、その音楽データをネットワークインタフェース２１５及び通信処理部２１４を順次介して受信すると、次のステップＳＰ１１１に移る。
【０４５３】
ステップＳＰ１１１においてＣＰＵ２０３は、音楽データ配信サーバＳＶ１から取得した記録保持対象の全ての音楽データをハードディスクドライブ２１１のハードディスクに記録保持する。
【０４５４】
このようにしてＣＰＵ２０３は、この後、ステップＳＰ１０１乃至ステップＳＰ１１１の処理を適宜繰り返し実行して第１のコンテンツ記録保持処理手順を継続する。これによりＣＰＵ２０３は、ポータルサーバ３に対してＣＤをディスク登録しつつ、音楽データ配信サーバＳＶ１から、そのディスク登録したＣＤに記録されている音楽データのうち任意に選択された記録保持対象の音楽データを取得して記録保持し得るようになされている。
【０４５５】
因みに上述のステップＳＰ１０１において否定結果が得られると、このことはユーザにより、クライアント端末２に対してＣＤが装填されてはいないことを表しており、このときＣＰＵ２０３は、ステップＳＰ１０５に移る。
【０４５６】
また上述のステップＳＰ１０５において否定結果が得られると、このことはユーザにより、クライアント端末２で過去に再生したＣＤの音楽データをハードディスクに記録保持するように要求されてはいないことを表しており、このときＣＰＵ２０３は、ステップＳＰ１１１に引き続き再度実行されるステップＳＰ１０１に移る。
【０４５７】
ところでステップＳＰ１３２においてＣＰＵ３００は、配信指示信号を音楽データ配信サーバＳＶ１に送信したとき、又は音楽データ配信サーバＳＶ１からのクライアント端末２に対する記録保持対象の音楽データの配信が終了したとき（すなわち、音楽データ配信サーバＳＶ１から音楽データの配信の終了が通知されたとき）等の所定のタイミングで、音楽データの記録保持を要求したユーザに対し課金処理を実行するように依頼する課金処理実行依頼信号を生成する。そしてＣＰＵ３００は、かかる課金処理実行依頼信号をネットワークインタフェース３０５を介して課金サーバＳＶ６に送信する。
【０４５８】
そしてＣＰＵ３００は、この後、ステップＳＰ１２１乃至ステップＳＰ１３２の処理を適宜繰り返し実行して第１のコンテンツ記録保持支援処理手順を継続する。これによりＣＰＵ３００は、クライアント端末２からの要求に応じてＣＤをディスク登録し、そのディスク登録したＣＤに記録されている音楽データのうちユーザによって任意に選択された記録保持対象の音楽データを音楽データ配信サーバＳＶ１からクライアント端末２に配信させ、かくしてクライアント端末２に対しＣＤを音楽データの記録保持用に再生させることなくその音楽データを記録保持させ得るようになされている。
【０４５９】
因みに上述のステップＳＰ１２１において否定結果が得られると、このことはクライアント端末２でＣＤが再生されてはいないために、ディスク登録が特には要求されていないこと、又は正規ユーザとは異なる第三者によりディスク登録が不当に要求されたこと（すなわち、ディスク登録要求信号として取得したユーザＩＤ情報及びパスワード情報並びに端末ＩＤ情報の少なくとも１つが顧客データベースに登録されてはいないことでディスク登録を取り止めたこと）を表しており、このときＣＰＵ３００は、ステップＳＰ１２８に移る。
【０４６０】
また上述のステップＳＰ１２２において否定結果が得られると、このことはユーザによって、レンタルショップで借りたＣＤ（すなわち、すでにレンタルショップによりディスク登録されているＣＤ）を誤ってディスク登録するように要求されたこと、又は友人から借りたＣＤ（すなわち、すでに友人によりディスク登録されているＣＤ）を誤ってディスク登録するように要求されたことを表している。
【０４６１】
従ってＣＰＵ３００は、このときクライアント端末２で再生されたＣＤがすでにディスク登録されているために、今回はそのＣＤをディスク登録することができないことを通知する登録取止通知信号をネットワークインタフェース３０５を介してそのクライアント端末２に送信して、ステップＳＰ１２８に移る。
【０４６２】
このためＣＰＵ２０３は、このときステップＳＰ１０４においてポータルサーバ３から送信された登録取止通知信号をネットワークインタフェース２１５及び通信処理部２１４を順次介して受信する。そしてＣＰＵ２０３は、その登録取止通知信号に応じてディスプレイ２０６を介してユーザに、クライアント端末２で再生したＣＤがすでにディスク登録の済んでいるものであり、今回の要求ではディスク登録することができないことを通知して、次のステップＳＰ１０５に移る。
【０４６３】
さらに上述のステップＳＰ１２８において否定結果が得られると、このことはユーザの所有するＣＤを未だ１枚もディスク登録してはいないこと、又はユーザのＣＤをすでにディスク登録しているものの、その時点ではユーザにより音楽データの記録保持が要求されてはいないこと、さらには正規ユーザとは異なる第三者により音楽データの記録保持が不当に要求されたこと（すなわち、取得可能曲提示要求信号として取得したユーザＩＤ情報及びパスワード情報並びに端末ＩＤ情報の少なくとも１つが顧客データベースに登録されてはいないことで取得可能曲提示信号の生成を取り止めたこと）を表しており、このときＣＰＵ３００は、ステップＳＰ１３２に移る。
【０４６４】
ところでポータルサーバ３が課金処理実行依頼信号を送信したとき、課金サーバＳＶ６のＣＰＵ３５０は、ＲＯＭ３５１又はハードディスクに予め記憶されている課金処理プログラムに従って課金処理手順を開始している。
【０４６５】
ＣＰＵ３５０は、課金処理手順を開始すると、ステップＳＰ１６１においてポータルサーバ３からネットワークＮＴ経由で送信される課金処理実行依頼信号の受信を待ち受けている。そしてＣＰＵ３５０は、その課金処理実行依頼信号をネットワークインタフェース３５５を介して受信すると、次のステップＳＰ１６２に移る。
【０４６６】
ステップＳＰ１６２においてＣＰＵ３５０は、ポータルサーバ３から与えられた課金処理実行依頼信号に基づいて、ハードディスク内の課金情報データベースに登録しているユーザの課金処理使用情報と、そのユーザによって取得される記録保持対象の音楽データの価格を示すコンテンツ価格情報とを参照しながら、クライアント端末２のユーザに対して、記録保持対象の音楽データの取得に対する課金処理を実行する。
【０４６７】
このようにしてＣＰＵ３５０は、この後、ステップＳＰ１６１及びステップＳＰ１６２の処理を適宜繰り返し実行して課金処理手順を継続する。これによりＣＰＵ３５０は、クライアント端末２で音楽データ配信サーバＳＶ１から記録保持対象の音楽データを取得して記録保持する毎に、そのクライアント端末２のユーザに対して的確に課金処理を施し得るようになされている。
【０４６８】
因みに音楽関連サービス提供システム１では、音楽データ配信サーバＳＶ１から記録保持対象の音楽データをクライアント端末２に配信する際、ユーザに対しその音楽データに対する代価の支払いが生じる。しかしながら音楽関連サービス提供システム１では、ユーザにより、かかる音楽データがＣＤの形態で一度は購入されており、またかかる音楽データがユーザの個人的な利用に限定して音楽データ配信サーバＳＶ１からクライアント端末２で取得されていることにより、音楽データの価格を、ディスク登録せずにその音楽データを単独で購入する場合に比べて引き下げている。
【０４６９】
これにより音楽関連サービス提供システム１では、クライアント端末２で、ユーザによって購入されたＣＤに記録されている音楽データを記録保持する際に、音楽データ配信サーバＳＶ１による記録保持対象の音楽データの配信を利用し易くしている。
【０４７０】
このようにしてクライアント端末２は、ＣＤが音楽データの再生用に一度でも装填されると、自動的にそのＣＤをユーザの所有物としてポータルサーバ３でディスク登録する。この状態でクライアント端末２は、ディスク登録しているＣＤに記録されている音楽データをハードディスクに記録保持するように要求されたとき、当該クライアント端末２に対してそのＣＤを装填させることなく、ポータルサーバ３の管理のもとに音楽データ配信サーバＳＶ１から、記録保持対象として任意に選択された音楽データを取得してハードディスクに記録保持することができる。
【０４７１】
従ってクライアント端末２は、音楽データの記録保持のためだけにＣＤを装填させることなく、いつでもＣＤに記録されている音楽データをハードディスクに容易に記録保持するこができる。
【０４７２】
（２−２）ユーザによって使用されるクライアント端末２が変更された場合の第２のデータ記録保持シーケンス
以下には、音楽関連サービス提供システム１において、ポータルサーバ３でユーザＩＤ情報及びパスワード情報と、クライアント端末２固有の端末ＩＤ情報とがユーザ登録情報として登録されていたものの、ユーザによりそれまで使用されていたクライアント端末２（以下の説明では適宜、このクライアント端末２を過去使用クライアント端末２と呼ぶ）に替えて同様構成の他のクライアント端末が使用された場合の第２のデータ記録保持シーケンスについて説明する。
【０４７３】
図２３及び図２４との対応部分に同一符号を付して示す図２６及び図２７において、ユーザにより過去使用クライアント端末２に替えて使用され始めた他のクライアント端末のＣＰＵは、当該過去使用クライアント端末２との交換後に例えば初めてネットワークＮＴに接続されると、図１６について上述した各種プログラムモジュールに従って第２のコンテンツ記録保持処理手順を開始する。
【０４７４】
他のクライアント端末のＣＰＵは、第２のコンテンツ記録保持処理手順を開始すると、ステップＳＰ２０１においてポータルサーバ３に対し、当該他のクライアント端末が過去使用クライアント端末２に替えて使用され始めたことを通知するように要求されることを待ち受ける。そしてＣＰＵは、過去使用クライアント端末２から他のクライアント端末への変更の通知が要求されると、次のステップＳＰ２０２に移る。
【０４７５】
ステップＳＰ２０２において他のクライアント端末のＣＰＵは、ユーザのユーザＩＤ情報及びパスワード情報並びに過去使用クライアント端末２固有の端末ＩＤ情報と共に、他のクライアント端末のＲＯＭ又はハードディスクに予め記憶されている当該他のクライアント端末２固有の端末ＩＤ情報を格納した端末変更通知信号を生成する。そしてＣＰＵは、かかる端末変更通知信号を通信処理部及びネットワークインタフェースを順次介してポータルサーバ３に送信して、次のステップＳＰ１０１に移る。
【０４７６】
このときポータルサーバ３のＣＰＵ３００は、ＲＯＭ３０１又はハードディスクに予め記憶されている第２のコンテンツ記録保持支援プログラムに従って第２のコンテンツ記録保持支援処理手順を開始している。
【０４７７】
そしてＣＰＵ３００は、第２のコンテンツ記録保持支援処理手順を開始すると、ステップＳＰ２１１において、クライアント端末から送信された端末変更通知信号をネットワークインタフェース３０５を介して受信する。そしてＣＰＵ３００は、その端末変更通知信号に格納されているユーザＩＤ情報及びパスワード情報並びに過去使用クライアント端末２固有の端末ＩＤ情報と、ハードディスク内の顧客データベースに登録しているユーザ登録情報とに基づいてユーザ認証処理を実行する。
【０４７８】
これによりステップＳＰ２１１においてＣＰＵ３００は、かかるユーザ認証処理の結果に応じて、他のクライアント端末からユーザの使用するクライアント端末の変更が通知されたか否かを判断する。
【０４７９】
このステップＳＰ２１１において肯定結果が得られると、このことは他の顧客データベースのユーザを正規ユーザであると認証したことで、そのユーザによるクライアント端末の変更の通知が正当なものであることを確認したことを表している。このときＣＰＵ３００は、次のステップＳＰ２１２に移る。
【０４８０】
ステップＳＰ２１２においてＣＰＵ３００は、他のクライアント端末のユーザに対するユーザ認証処理で特定したユーザ登録情報について、これに含まれる過去使用クライアント端末２固有の端末ＩＤ情報を、端末変更通知信号に格納されている他のクライアント端末固有の端末ＩＤ情報に替えて内容を更新する。これによりＣＰＵ３００は、この後、ユーザに対し他のクライアント端末を使用していても音楽関連サービス提供システム１で提供可能な各種サービスを受けることができるようにして、次のステップＳＰ２１３に移る。
【０４８１】
そして他のクライアント端末のＣＰＵは、このようにして当該他のクライアント端末固有の端末ＩＤ情報をユーザ登録情報の一部としてポータルサーバ３に登録すると、ステップＳＰ２０２に続くステップＳＰ１０１及びステップＳＰ１０２の処理を順次実行して、続くステップＳＰ２０３に移る。
【０４８２】
ステップＳＰ２０３において他のクライアント端末のＣＰＵは、ディスク固有情報を、ユーザＩＤ情報及びパスワード情報並びに他のクライアント端末固有の端末ＩＤ情報と共に格納したディスク登録要求信号を生成する。そしてＣＰＵは、かかるディスク登録要求信号を通信処理部及びネットワークインタフェースを順次介してポータルサーバ３に送信して、次のステップＳＰ１０４に移る。
【０４８３】
このときステップＳＰ２１３においてＣＰＵ３００は、他のクライアント端末２からＣＤの再生に応じて、そのＣＤの登録用として送信されたディスク登録要求信号をネットワークインタフェース３０５を介して受信する。そしてＣＰＵ３００は、そのディスク登録要求信号に格納されているユーザＩＤ情報及びパスワード情報並びに他のクライアント端末固有の端末ＩＤ情報と、ハードディスク内の顧客データベースに登録しているユーザ登録情報とに基づいてユーザ認証処理を実行する。
【０４８４】
これによりステップＳＰ２１３においてＣＰＵは、かかるユーザ認証処理の結果に応じて、他のクライアント端末のユーザによりＣＤに対するディスク登録が要求されたか否かを判断する。
【０４８５】
このステップＳＰ２１３において肯定結果が得られると、このことは他のクライアント端末のユーザを正規ユーザであると認証したことで、そのユーザによるＣＤのディスク登録の要求が正当なものであることを確認したことを表している。このときＣＰＵ３００は、次のステップＳＰ１２２に移る。
【０４８６】
これにより他のクライアント端末のＣＰＵは、ステップＳＰ２０３の処理に引き続きステップＳＰ１０４及びステップＳＰ１０５の処理を順次実行し、そのステップＳＰ１０５において肯定結果を得ると、次のステップＳＰ２０４に移る。
【０４８７】
またポータルサーバ３のＣＰＵ３００は、ステップＳＰ２１３の処理に引き続きステップＳＰ１２２乃至ステップＳＰ１２７の処理を順次実行することにより、他のクライアント端末で再生されたＣＤをディスク登録して、次のステップＳＰ２１４に移る。
【０４８８】
従ってステップＳＰ２０４において他のクライアント端末のＣＰＵは、当該他のクライアント端末で記録保持用に取得可能な音楽データの提示を要求する取得可能曲提示要求信号をユーザＩＤ情報及びパスワード情報並びに他のクライアント端末固有の端末ＩＤ情報と共に通信処理部及びネットワークインタフェースを順次介してポータルサーバ３に送信する。そしてＣＰＵは、次のステップＳＰ１０７に移り、そのステップＳＰ１０７からステップＳＰ１１１までの処理を順次実行した後、ステップＳＰ１０１乃至ステップＳＰ１１１の処理を適宜繰り返し実行して第２のコンテンツ記録保持処理手順を継続する。
【０４８９】
このときステップＳＰ２１４においてＣＰＵ３００は、他のクライアント端末から送信された取得可能曲提示要求信号と、ユーザＩＤ情報及びパスワード情報並びに他のクライアント端末固有の端末ＩＤ情報とをネットワークインタフェース３０５を介して受信する。そしてＣＰＵ３００は、そのユーザＩＤ情報及びパスワード情報並びに他のクライアント端末固有の端末ＩＤ情報と、ハードディスク内の顧客データベースに登録しているユーザ登録情報とに基づいてユーザ認証処理を実行する。
【０４９０】
これによりステップＳＰ２１４においてＣＰＵ３００は、かかるユーザ認証処理の結果に応じて、他のクライアント端末のユーザにより取得可能曲の提示が要求されたか否かを判断する。
【０４９１】
このステップＳＰ２１４において肯定結果が得られると、このことは他のクライアント端末のユーザを正規ユーザであると認証したことで、そのユーザによる取得可能曲の提示の要求が正当なものであることを確認したことを表している。このときＣＰＵ３００は、次のステップＳＰ２１５に移る。
【０４９２】
ステップＳＰ２１５においてＣＰＵ３００は、ハードディスク内の顧客データベースに登録している複数のユーザ登録情報のうち、他のクライアント端末から取得したユーザＩＤ情報及びパスワード情報並びに他のクライアント端末固有の端末ＩＤ情報を全て含むユーザ登録情報を特定する。そしてＣＰＵ３００は、その特定したユーザ登録情報に含まれるユーザＩＤ情報及び他のクライアント端末固有の端末ＩＤ情報に対応付けている全てのディスク固有情報を特定する。
【０４９３】
因みに、ユーザ登録情報に含まれるユーザＩＤ情報及び他のクライアント端末固有の端末ＩＤ情報に対応付けられている全てのディスク固有情報は、ユーザにより過去使用クライアント端末２に替えて他のクライアント端末が使用されてからディスク登録したＣＤのディスク固有情報を含むことはもちろん、過去使用クライアント端末２を使用してディスク登録していたＣＤのディスク固有情報も含んでいる。
【０４９４】
すなわちＣＰＵ３００は、過去使用クライアント端末２固有の端末ＩＤ情報に対応付けていたディスク固有情報を、他のクライアント端末固有の端末ＩＤ情報を登録したときに当該他のクライアント端末固有の端末ＩＤ情報に対応付け直している。
【０４９５】
従ってＣＰＵ３００は、ハードディスク内の顧客データベース上で特定した全てのディスク固有情報にそれぞれ対応付けているディスク情報（すなわち、過去使用クライアント端末２を使用しているときにディスク登録したＣＤのディスク情報と、他のクライアント端末を使用していてディスク登録したＣＤのディスク情報の両方である）に基づいて、他のクライアント端末で取得可能な曲を提示するための取得可能曲提示信号を生成する。
【０４９６】
そしてＣＰＵ３００は、その取得可能曲提示信号をネットワークインタフェース３０５を介して他のクライアント端末に送信して、次のステップＳＰ１２９に移る。これによりＣＰＵ３００は、そのステップＳＰ１２９からステップＳＰ１３２までの処理を順次実行した後、ステップＳＰ２１１乃至ステップＳＰ１３２の処理を適宜繰り返し実行して第２のコンテンツ記録保持支援処理手順を継続する。
【０４９７】
因みに上述のステップＳＰ２１１において否定結果が得られると、このことは正規ユーザとは異なる第三者により、記録保持対象の音楽データを不当に取得して記録保持するために端末の変更が偽装されて要求されたこと（すなわち、端末変更通知信号として取得したユーザＩＤ情報及びパスワード情報並びに過去使用クライアント端末２固有の端末ＩＤ情報の少なくとも１つが顧客データベースに登録されてはいないことで、新たに使用された他のクライアント端末固有の端末ＩＤ情報の登録を取り止めたこと）を表しており、このときＣＰＵ３００は、ステップＳＰ２１４に移る。
【０４９８】
これにより正規ユーザの使用する他のクライアント端末のＣＰＵは、ポータルサーバ３に対してＣＤをディスク登録しつつ、過去使用クライアント端末２が使用されていたときにディスク登録したＣＤに記録されている音楽データと、当該他のクライアント端末が使用されてからディスク登録したＣＤに記録されている音楽データとのうち記録保持対象として任意に選択された音楽データを音楽データ配信サーバＳＶ１から取得してハードディスクに記録保持し得るようになされている。
【０４９９】
このようにして他のクライアント端末のＣＰＵは、ユーザにより過去使用クライアント端末２に替えて当該他のクライアント端末が使用された場合でも、その過去使用クライアント端末２を使用してディスク登録していたＣＤと、他のクライアント端末を使用してディスク登録したＣＤとの何れに記録されている音楽データでも、記録保持対象として任意に選択させ、ポータルサーバ３の管理のもとに音楽データ配信サーバＳＶ１から、当該選択された記録保持対象の音楽データを取得してハードディスクに対し容易に記録保持することができる。
【０５００】
（３）動作及び効果
以上の構成において、音楽関連サービス提供システム１のクライアント端末２は、音楽の聴取等のためにＣＤが装填されたとき、自動的にそのＣＤの物理的構造の固体差に関するディスク固有情報を生成してポータルサーバ３に登録する。
【０５０１】
そしてクライアント端末２は、音楽データをハードディスクに記録保持するように要求されたとき、ポータルサーバ３から、そのクライアント端末２を用いたすでにディスク登録していたＣＤの音楽データを示す取得可能曲一覧表（すなわち、記録保持対象として選択可能な音楽データのリスト）を取得してユーザに提示する。
【０５０２】
その結果、クライアント端末２は、取得可能曲一覧表上で記録保持対象の音楽データが任意に選択されると、その選択された音楽データをポータルサーバ３に通知することで、当該ポータルサーバ３の管理のもとに、音楽データ提供サーバ４からその記録保持対象の音楽データを取得してハードディスクに記録保持する。
【０５０３】
またポータルサーバ３は、ユーザの使用しているクライアント端末２が他のクライアント端末に変更されたとき、変更前のクライアント端末２固有の端末ＩＤ情報を当該他のクライアント端末固有の端末ＩＤ情報に替えてユーザ登録情報の一部として追加登録することで、そのユーザ登録情報に含まれるユーザＩＤ情報と、当該他のクライアント端末固有の端末ＩＤ情報とに対し、過去のすでに登録していたディスク固有情報を対応付け直すと共に、新たなディスク固有情報も対応付けて登録する。
【０５０４】
そして他のクライアント端末は、ポータルサーバ３で、当該他のクライアント端末固有の端末ＩＤ情報をユーザ登録情報の一部として登録すると、この後は、上述と同様にして、ポータルサーバ３の管理のもとに、音楽データ提供サーバ４から、任意に選択された記録保持対象の音楽データを取得してハードディスクに記録保持する。
【０５０５】
以上の構成によれば、クライアント端末２においてＣＤが装填されたときに、自動的にそのＣＤの物理的構造の固体差に関するディスク固有情報を生成してポータルサーバ３に登録し、この状態で音楽データの記録保持が要求されると、ポータルサーバ３からディスク登録しているＣＤの音楽データを示す取得可能曲一覧表を取得してユーザに提示し、その結果、記録保持対象の音楽データが任意に選択されると、音楽データ提供サーバ４からその選択された記録保持対象の音楽データを取得してハードディスクに記録保持するようにしたことにより、ユーザに対して、クライアント端末２に音楽データの記録保持のためにわざわざＣＤを装填させるような煩雑な作業を何ら行わせることなく、すでに自動的にディスク登録していた、ＣＤに記録されている音楽データのうち記録保持対象の音楽データを任意に選択させるたけで、当該選択された記録保持対象の音楽データをネットワークＮＴ経由で取得してハードディスクに記録保持することができ、かくしてクライアント端末２に対しＣＤに記録されている音楽データを容易に記録保持させることができる。
【０５０６】
また音楽関連サービス提供システム１では、ＣＤのディスク登録の際に、そのＣＤの物理的構造の固体差に関するディスク固有情報を用いることで、ユーザによりクライアント端末２を使用し始める前にすでに所有されている過去のＣＤや、ごく最近購入されたＣＤのようにどのようなＣＤについても、クライアント端末２に例えば曲の内容の確認用としてＣＤを一度だけ装填させて再生すれば、その時点でＣＤをディスク登録して個別に特定可能な状態にすることができる。
【０５０７】
ところで従来の読取装置では、ＣＤから音楽データを再生して内蔵型記録媒体に記録保持する場合、その音楽データに対して音楽の演奏時間とほぼ同等な再生時間が必要となり、その再生時間がそのまま記録保持の時間に反映されるため、その記録保持に多大な時間がかかる。
【０５０８】
これに対して音楽関連サービス提供システム１では、クライアント端末２に対して、ＣＤから音楽データを再生させるわけではなく、音楽データ配信サーバＳＶ１から記録保持対象に任意に選択された音楽データを圧縮符号化して送信し記録保持させることで、クライアント端末２において記録保持対象の音楽データを短時間で音楽データ配信サーバＳＶ１から取得し、かつハードディスクにその音楽データを短時間で記録保持することができ、かくして音楽データの記録保持に要する時間を、ＣＤからの音楽データの再生時間よりも格段的に短縮して、音楽データに対する記録保持の処理全体が煩雑化することも未然に回避することができる。
【０５０９】
そして音楽関連サービス提供システム１では、ポータルサーバ３が選択可能曲提示要求に応じて、ディスク固有情報に対応付けて登録している全てのディスク情報に基づいて選択可能曲停止信号を生成してクライアント端末２に提供していることで、そのクライアント端末２で複数の光ディスクにそれぞれ記録されている記録保持対象の音楽データを一括して選択させ、当該選択された多数の音楽データを記録保持させることができる。
【０５１０】
従ってこの音楽関連サービス提供システム１では、記録保持対象の種々の音楽データが記録されているＣＤが複数存在する場合でも、クライアント端末２においてそのＣＤの枚数だけこれらＣＤの装填と音楽データの記録保持とを繰り返し行わせることなく、複数枚のＣＤに記録されている多数の音楽データをまとめて比較的短時間に記録保持させることができる。
【０５１１】
さらにこの音楽関連サービス提供システム１では、ポータルサーバ３において、クライアント端末２からディスク登録や選択可能曲の提示が要求されたときに、ユーザＩＤ情報及びパスワード情報並びに端末ＩＤ情報を用いてユーザ認証処理を実行し、ユーザを正規ユーザと認証したときにのみかかる要求に応じるようにしたことで、ＣＤをディスク登録してはいない第三者によって音楽データが不当に取得され記録保持されることをほぼ確実に回避することができる。
【０５１２】
これに加えて音楽関連サービス提供システム１では、ユーザの使用するクライアント端末２が他のクライアント端末に変更されたときには、当該他のクライアント端末固有の端末ＩＤ情報をユーザ登録情報の一部として追加登録し、ユーザＩＤ情報と、その新たな端末ＩＤ情報とに過去のすでに登録していたディスク固有情報を対応付け直すと共に、新たなディスク固有情報も対応付けて登録することで、ユーザの使用するクライアント端末２が変更されても、その変更前と変更後で何ら変わりなく音楽データを記録保持させることができる。
【０５１３】
そしてかかる音楽関連サービス提供システム１では、このようにユーザの使用するクライアント端末２が変更されたとき、ユーザＩＤ情報と、新たに使用される他のクライアント端末固有の端末ＩＤ情報とに過去のすでに登録していたディスク固有情報を対応付け直すと共に、新たなディスク固有情報も対応付けて登録することで、過去使用クライアント端末２でディスク登録していたＣＤを、新たに使用される他のクライアント端末でディスク登録し直したり、当該過去使用クライアント端末２でディスク登録していたＣＤに記録されている音楽データを、新たに使用される他のクライアント端末で記録保持し得なくなることを未然に回避することができる。
【０５１４】
従って音楽関連サービス提供システム１では、ユーザの使用するクライアント端末２が変更されたときに、新たに使用される他のクライアント端末に対し、ネットワークＮＴ上のポータルサーバ３及び音楽データ配信サーバＳＶ１並びにディスク情報提供サーバＳＶ５を利用して、過去使用クライアント端末２における音楽データの記録保持の状況を容易に再現することができる。
【０５１５】
（４）他の実施の形態
なお上述の実施の形態においては、ユーザの使用するクライアント端末２が他のクライアント端末に変更されたときに、当該ユーザのユーザ登録情報に含まれる過去使用クライアント端末２固有の端末ＩＤ情報を他のクライアント端末固有の端末ＩＤ情報に替えて当該ユーザ登録情報の内容を更新するようにした場合について述べたが、本発明はこれに限らず、ユーザの使用するクライアント端末２が他のクライアント端末に変更されたときに、顧客データベースに対して、当該ユーザのユーザ登録情報に含まれる過去使用クライアント端末２固有の端末ＩＤ情報をそのまま残しつつ、当該ユーザ登録情報に含まれる少なくともユーザＩＤ情報及びその端末ＩＤ情報に他のクライアント端末固有の端末ＩＤ情報を対応付けて登録すると共に、これらユーザＩＤ情報と、２種類の端末ＩＤ情報とに全てのディスク固有情報を対応付けるようにしても良い。このようにすれば、ユーザにより複数台のクライアント端末２が使用されているような場合に、これら複数台のクライアント端末２の何れにおいても、上述した実施の形態と同様に記録保持対象の音楽データをハードディスクに記録保持することができる。
【０５１６】
また上述の実施の形態においては、ポータルサーバ３がＣＤをディスク登録した際にディスク情報提供サーバＳＶ５からそのディスク登録したＣＤのディスク情報を取得して登録するようにした場合について述べたが、本発明はこれに限らず、クライアント端末２がＣＤを再生した際にディスク情報提供サーバＳＶ５からその再生したＣＤのディスク情報を取得し、その再生したＣＤのディスク固有情報と共に当該取得したディスク情報をポータルサーバ３に送信して登録させるようにしても良く、このようにすれば、ポータルサーバ３に対してディスク登録の際の処理負荷を低減させることができる。因みに、上述の実施の形態によれば、ＣＤを特定するために固有管理情報及びディスク再生状態情報からなるディスク固有情報を用いるようにしたが、かかるディスク固有情報にＩＳＲＤ（International Standard Recording Code）と呼ばれるディスク登録情報や、個々のＣＤ固有のディスクＩＤ情報を加えても良く、ディスク情報の取得の際に固有管理情報と共にそのディスク登録情報やディスクＩＤ情報を併用すれば、個々のＣＤをさらに確実に特定することができる。
【０５１７】
さらに上述の実施の形態においては、ポータルサーバ３でユーザのユーザＩＤ情報及びパスワード情報並びに端末ＩＤ情報をユーザ登録情報として登録しておき、これらユーザＩＤ情報及びパスワード情報並びに端末ＩＤ情報を用いてユーザ認証処理を実行するようにした場合について述べたが、本発明はこれに限らず、ポータルサーバ３でユーザのユーザＩＤ情報及びパスワード情報をユーザ登録情報として登録しておき、これらユーザＩＤ情報及びパスワード情報を用いてユーザに対する認証処理を実行するようにしても良い。このようにすれば、認証処理に用いる情報を減らす分、ポータルサーバ３に対してユーザ認証処理の際の処理負荷を低減させることができる。
【０５１８】
さらに上述の実施の形態においては、本発明によるコンテンツ提供装置を、図１乃至図２７について上述したポータルサーバ３及び音楽データ配信サーバＳＶ１に適用するようにした場合について述べたが、本発明はこれに限らず、パーソナルコンピュータ等の情報処理装置や、ポータルサーバ３と音楽データ配信サーバＳＶ１とを一体構成にしたコンテンツ提供装置等のように、この他種々の構成のコンテンツ提供装置に広く適用することができる。
【０５１９】
さらに上述の実施の形態においては、本発明によるコンテンツ記録保持端末を、図１乃至図２７について上述したクライアント端末２及び他のクライアント端末に適用するようにした場合について述べたが、本発明はこれに限らず、パーソナルコンピュータや、携帯電話機、ＰＤＡ（Personal Digital Assistance ）、ゲーム機器、コンパクトディスクプレーヤやＤＶＤプレーヤ等の情報処理装置のように、光ディスクに記録されているコンテンツデータを記録保持することができれば、この他種々のコンテンツ記録保持端末に広く適用することができる。
【０５２０】
すなわち上述の実施の形態においては、ハードウェア回路ブロック、機能回路ブロック及びプログラムモジュールをクライアント端末２に実装した場合について述べたが、本発明はこれに限らず、これらを携帯電話機やパーソナルコンピュータ等、クライアント端末２以外の種々の端末に実装するようにしても良く、これらハードウェア回路ブロック、機能回路ブロック及びプログラムモジュールを実装した端末であれば、上述したクライアント端末２と同様の処理を実現することができる。
【０５２１】
さらに上述の実施の形態においては、クライアント端末２が受信可能な放送としてラジオ局から放送されるラジオ放送を適用するようにした場合について述べたが、本発明はこれに限らず、クライアント端末２がテレビジョン用の放送局から放送されるテレビジョン放送を受信し、そのテレビジョン放送のテレビジョン番組に関する各種放送情報等をネットワークＮＴ上のサーバから取得することも可能である。
【０５２２】
さらに上述の実施の形態においては、本発明によるコンテンツ記録保持プログラムを、クライアント端末２のＲＯＭ２０４又はハードディスクに予め記憶している図１６について上述した各種プログラムモジュールに適用し、当該クライアント端末２のＣＰＵ２０３がその各種プログラムモジュールに従って図２３及び図２４並びに図２６及び図２７について上述した第１及び第２のコンテンツ記録保持処理手順を実行するようにした場合について述べたが、本発明はこれに限らず、この他種々の構成のコンテンツ記録保持プログラムを適用し、そのコンテンツ記録保持プログラムが格納されたプログラム格納媒体をクライアント端末２にインストールすることにより第１及び第２のコンテンツ記録保持処理手順を実行するようにしても良い。
【０５２３】
さらに上述の実施の形態においては、本発明によるコンテンツ提供プログラムをポータルサーバ３のＲＯＭ３０１又はハードディスクに予め記憶している第１及び第２のコンテンツ記録保持支援プログラムと、音楽データ配信サーバＳＶ１のＲＯＭ３１１又はハードディスクに予め記憶しているデータ配信プログラムとに適用し、当該ポータルサーバ３のＣＰＵ３００がその第１及び第２のコンテンツ記録保持支援プログラムに従って図２３及び図２４並びに図２６及び図２７について上述した第１及び第２のコンテンツ記録保持支援処理手順を実行し、かつ音楽データ配信サーバＳＶ１のＣＰＵ３１０がそのデータ配信プログラムに従って図２３及び図２４並びに図２６及び図２７について上述したデータ配信処理手順を実行するようにした場合について述べたが、本発明はこれに限らず、この他種々の構成のコンテンツ提供プログラムを適用し、そのコンテンツ提供プログラムが格納されたプログラム格納媒体を例えば、一体化されたポータルサーバ３及び音楽データ配信サーバＳＶ１でなるコンテンツ提供装置にインストールすることによりコンテンツ記録保持支援処理手順及びデータ配信処理手順に相当するコンテンツ提供処理を実行するようにしても良い。
【０５２４】
さらに上述の実施の形態においては、コンテンツ記録保持端末で光ディスクから再生されるコンテンツデータとして、図１乃至図２７について上述したクライアント端末２でＣＤから再生される音楽データを適用するようにした場合について述べたが、本発明はこれに限らず、ＣＤ−ＲＯＭ等の光ディスクから再生されるゲームプログラム、写真や動画像等の画像データ、テキストデータ等のように、この他種々の光ディスクから再生されるコンテンツデータを広く適用することができる。
【０５２５】
さらに上述の実施の形態においては、ユーザ毎のユーザ識別情報とパスワード情報とを対応付けてユーザ登録情報として登録するためのデータベースが構築され、当該データベースにユーザ登録情報が登録された登録用記憶媒体として、図１乃至図２７について上述したポータルサーバ３の顧客データベース部５４や、ハードディスクドライブ３０２を適用するようにした場合について述べたが、本発明はこれに限らず、ポータルサーバ３の外部に設けられた記録媒体等のように、この他種々の登録用記録媒体を広く適用することができる。
【０５２６】
さらに上述の実施の形態においては、コンテンツ記録保持端末から送信された、ユーザ識別情報及びパスワード情報と、当該コンテンツ記録保持端末で、コンテンツデータの記録された光ディスクの再生結果に基づいて生成された当該光ディスクの物理的構造の個体差に関するディスク固有情報とを受信する情報受信手段として、図１乃至図２７について上述したポータルサーバ３の通信制御部５２や、ＣＰＵ３００及びネットワークインタフェース３０５を適用するようにした場合について述べたが、本発明はこれに限らず、コンテンツ記録保持端末から送信された、ユーザ識別情報及びパスワード情報と、当該コンテンツ記録保持端末で、コンテンツデータの記録された光ディスクの再生結果に基づいて生成された当該光ディスクの物理的構造の個体差に関するディスク固有情報とを受信するハードウェア回路構成の情報受信回路や、ポータルサーバ３とクライアント端末２との間で利用する通信方式に応じた無線通信インタフェース等のように、この他種々の情報受信手段を広く適用することができる。
【０５２７】
さらに上述の実施の形態においては、情報受信手段によって受信されたユーザ識別情報及びパスワード情報に基づいて、登録用記憶媒体内のデータベースに登録されているユーザ登録情報を検索することにより当該受信されたユーザ識別情報及びパスワード情報を含むユーザ登録情報を特定し、登録用記憶媒体内のデータベースに対してディスク固有情報を、当該特定したユーザ登録情報の少なくともユーザ識別情報に対応付けて登録すると共に、ディスク固有情報によって特定される光ディスクに記録されているコンテンツデータを特定可能なディスク情報を当該ディスク固有情報に対応付けて登録する登録手段として、図１乃至図２７について上述したポータルサーバ３の制御部５０や、ＣＰＵ３００を適用するようにした場合について述べたが、本発明はこれに限らず、登録処理を専用に実行するハードウェア回路構成の登録処理回路等のように、この他種々の登録手段を広く適用することができる。
【０５２８】
さらに上述の実施の形態においては、ディスク情報によって特定可能なコンテンツデータを記憶するコンテンツ記憶媒体として、図１乃至図２７について上述した音楽データ配信サーバＳＶ１の音楽データ記憶部７８や、ハードディスクドライブ３１２を適用するようにした場合について述べたが、本発明はこれに限らず、音楽データ配信サーバＳＶ１の外部に設けられた記録媒体や、ポータルサーバ３のハードディスクドライブ３０２等のように、この他種々のコンテンツ記憶媒体を広く適用することができる。
【０５２９】
さらに上述の実施の形態においては、コンテンツ記録保持端末から送信された、ユーザ識別情報及びパスワード情報と、取得可能コンテンツ提示要求信号とを受信する提示要求受信手段として、図１乃至図２７について上述したポータルサーバ３の通信制御部５２や、ＣＰＵ３００及びネットワークインタフェース３０５を適用するようにした場合について述べたが、本発明はこれに限らず、コンテンツ記録保持端末から送信された、ユーザ識別情報及びパスワード情報と、取得可能コンテンツ提示要求信号とを受信するハードウェア回路構成の提示要求受信回路や、ポータルサーバ３とクライアント端末２との間で利用する通信方式に応じた無線通信インタフェース等のように、この他種々の提示要求受信手段を広く適用することができる。
【０５３０】
さらに上述の実施の形態においては、提示要求受信手段によって受信されたユーザ識別情報及びパスワード情報に基づいて、登録用記憶媒体内のデータベースに登録されているユーザ登録情報を検索することにより、当該受信されたユーザ識別情報及びパスワード情報を含むユーザ登録情報のユーザ識別情報に対応付けられて登録されているディスク固有情報を特定し、当該特定したディスク固有情報に対応付けられて登録されているディスク情報に基づいて取得可能コンテンツ提示情報を生成する提示情報生成手段として、図１乃至図２７について上述したポータルサーバ３の制御部５０や、ＣＰＵ３００を適用するようにした場合について述べたが、本発明はこれに限らず、取得可能コンテンツ提示情報を生成する専用のハードウェア回路構成の提示情報生成回路等のように、この他種々の提示情報生成手段を広く適用することができる。
【０５３１】
さらに上述の実施の形態においては、提示情報生成手段によって生成された取得可能コンテンツ提示情報をコンテンツ記録保持端末に送信する情報送信手段として、図１乃至図２７について上述したポータルサーバ３の通信制御部５２や、ＣＰＵ３００及びネットワークインタフェース３０５を適用するようにした場合について述べたが、本発明はこれに限らず、提示情報生成手段によって生成された取得可能コンテンツ提示情報をコンテンツ記録保持端末に送信するハードウェア回路構成の情報送信回路や、ポータルサーバ３とクライアント端末２との間で利用する通信方式に応じた無線通信インタフェース等のように、この他種々の情報送信手段を広く適用することができる。
【０５３２】
さらに上述の実施の形態においては、コンテンツ記録保持端末から送信された、取得可能コンテンツ提示情報の中で任意に選択された記録保持対象のコンテンツデータを示すコンテンツ取得要求信号を受信する取得要求受信手段として、図１乃至図２７について上述したポータルサーバ３の通信制御部５２や、ＣＰＵ３００及びネットワークインタフェース３０５を適用するようにした場合について述べたが、本発明はこれに限らず、コンテンツ取得要求信号を受信するハードウェア回路構成の取得要求受信回路や、ポータルサーバ３とクライアント端末２との間で利用する通信方式に応じた無線通信インタフェース等のように、この他種々の取得要求受信手段を広く適用することができる。
【０５３３】
さらに上述の実施の形態においては、取得要求受信手段によって受信されたコンテンツ取得要求信号に基づいて、コンテンツ記憶媒体から記録保持対象のコンテンツデータを読み出してコンテンツ記録保持端末に送信するデータ送信手段として、図１乃至図２７について上述した音楽データ配信サーバＳＶ１の制御部７０及び通信制御部７２や、ＣＰＵ３１０及びネットワークインタフェース３１５を適用するようにした場合について述べたが、本発明はこれに限らず、コンテンツ記録保持端末に送信するハードウェア回路構成のデータ送信回路等のように、この他種々のデータ送信手段を広く適用することができる。
【０５３４】
さらに上述の実施の形態においては、他のコンテンツ記録保持端末から送信されたユーザ識別情報及びパスワード情報並びに当該他のコンテンツ記録保持端末固有の他の端末識別情報を受信する登録情報受信手段として、図１乃至図２７について上述したポータルサーバ３の通信制御部５２や、ＣＰＵ３００及びネットワークインタフェース３０５を適用するようにした場合について述べたが、本発明はこれに限らず、他のコンテンツ記録保持端末から送信されたユーザ識別情報及びパスワード情報並びに当該他のコンテンツ記録保持端末固有の他の端末識別情報を受信するハードウェア回路構成の登録情報受信回路や、ポータルサーバ３とクライアント端末２との間で利用する通信方式に応じた無線通信インタフェース等のように、この他種々の登録情報受信手段を広く適用することができる。
【０５３５】
さらに上述の実施の形態においては、登録情報受信手段によって受信されたユーザ識別情報及びパスワード情報に基づいて、登録用記憶媒体内のデータベースに登録されているユーザ登録情報を検索することにより、当該受信されたユーザ識別情報及びパスワード情報を含むユーザ登録情報を特定し、登録用記憶媒体内のデータベースに対して他の端末識別情報を、当該特定したユーザ登録情報の少なくともユーザ識別情報に対応付けて登録して、特定したユーザ登録情報の内容を更新する登録情報更新手段として、図１乃至図２７について上述したポータルサーバ３の制御部５０や、ＣＰＵ３００を適用するようにした場合について述べたが、本発明はこれに限らず、データベースに登録しているユーザ登録情報の内容を更新する専用のハードウェア回路構成の登録情報更新回路等のように、この他種々の登録情報更新手段を広く適用することができる。
【０５３６】
さらに上述の実施の形態においては、コンテンツデータの記録された光ディスクを再生する再生手段として、図１乃至図２７について上述したクライアント端末２の外部記録媒体記録再生部２８や、ＣＰＵ２０３及びメディアドライブ２０８を適用するようにした場合について述べたが、本発明はこれに限らず、ＣＤ−ＲＯＭドライブのように、コンテンツデータの記録された光ディスクを再生するハードウェア回路構成の再生回路等のように、この他種々の再生手段を広く適用することができる。
【０５３７】
さらに上述の実施の形態においては、再生手段による光ディスクの再生結果に基づいて、当該光ディスクの物理的構造の個体差に関するディスク固有情報を生成する生成手段として、図１乃至図２７について上述したクライアント端末２の制御部２３や、ＣＰＵ２０３を適用するようにした場合について述べたが、本発明はこれに限らず、ディスク固有情報を生成する専用のハードウェア回路構成の生成回路等のように、この他種々の生成手段を広く適用することができる。
【０５３８】
さらに上述の実施の形態においては、予めユーザ毎のユーザ識別情報とパスワード情報とを対応付けてユーザ登録情報として登録しているコンテンツ提供装置に対して、ユーザ識別情報及びパスワード情報と、生成手段によって生成されたディスク固有情報とを送信することにより、当該送信したユーザ識別情報及びパスワード情報を含むユーザ登録情報を特定させ、当該特定させたユーザ登録情報の少なくともユーザ識別情報にディスク固有情報を対応付けて追加登録させると共に、当該ディスク固有情報によって特定される光ディスクに記録されているコンテンツデータを特定可能なディスク情報をディスク固有情報にさらに対応付けて登録させる情報送信手段として、図１乃至図２７について上述したクライアント端末２の制御部２３及び通信制御部３２や、ＣＰＵ２０３及び通信処理部２１４並びにネットワークインタフェース２１５を適用するようにした場合について述べたが、本発明はこれに限らず、予めユーザ毎のユーザ識別情報とパスワード情報とを対応付けてユーザ登録情報として登録しているコンテンツ提供装置に対して、ユーザ識別情報及びパスワード情報と、生成手段によって生成されたディスク固有情報とを送信することにより、当該送信したユーザ識別情報及びパスワード情報を含むユーザ登録情報を特定させ、当該特定させたユーザ登録情報の少なくともユーザ識別情報にディスク固有情報を対応付けて追加登録させると共に、当該ディスク固有情報によって特定される光ディスクに記録されているコンテンツデータを特定可能なディスク情報をディスク固有情報にさらに対応付けて登録させるハードウェア回路構成の情報送信回路等のように、この他種々の情報送信手段を広く適用することができる。
【０５３９】
さらに上述の実施の形態においては、記録保持用に取得可能なコンテンツデータの提示を要求するための取得可能コンテンツ提示要求信号を、ユーザ識別情報及びパスワード情報と共にコンテンツ提供装置に送信する提示要求送信手段として、図１乃至図２７について上述したクライアント端末２の制御部２３及び認証処理部３７並びに通信制御部３２や、ＣＰＵ２０３及び通信処理部２１４並びにネットワークインタフェース２１５を適用するようにした場合について述べたが、本発明はこれに限らず、記録保持用に取得可能なコンテンツデータの提示を要求するための取得可能コンテンツ提示要求信号を、ユーザ識別情報及びパスワード情報と共にコンテンツ提供装置に送信するハードウェア回路構成の提示要求送信回路等のように、この他種々の提示要求送信手段を広く適用することができる。
【０５４０】
さらに上述の実施の形態においては、提示要求送信手段による取得可能コンテンツ提示要求信号の送信に応じてコンテンツ提供装置から、当該提示要求送信手段によって送信されたユーザ識別情報及びパスワード情報を含むユーザ登録情報の当該ユーザ識別情報に対応付けられて登録されているディスク固有情報が特定され、当該特定されたディスク固有情報にさらに対応付けられて登録されているディスク情報に基づいて生成されて送信された取得可能コンテンツ提示情報を受信する情報受信手段として、図１乃至図２７について上述したクライアント端末２の制御部２３及び通信制御部３２や、ＣＰＵ２０３及び通信処理部２１４並びにネットワークインタフェース２１５を適用するようにした場合について述べたが、本発明はこれに限らず、提示要求送信手段による取得可能コンテンツ提示要求信号の送信に応じてコンテンツ提供装置から、当該提示要求送信手段によって送信されたユーザ識別情報及びパスワード情報を含むユーザ登録情報の当該ユーザ識別情報に対応付けられて登録されているディスク固有情報が特定され、当該特定されたディスク固有情報にさらに対応付けられて登録されているディスク情報に基づいて生成されて送信された取得可能コンテンツ提示情報を受信するハードウェア回路構成の情報受信回路等のように、この他種々の情報受信手段を広く適用することができる。
【０５４１】
さらに上述の実施の形態においては、情報受信手段によって受信された取得可能コンテンツ提示情報の中で任意に選択された記録保持対象のコンテンツデータを示すコンテンツ取得要求信号をコンテンツ提供装置に送信する取得要求送信手段として、図１乃至図２７について上述したクライアント端末２の制御部２３及び通信制御部３２や、ＣＰＵ２０３及び通信処理部２１４並びにネットワークインタフェース２１５を適用するようにした場合について述べたが、本発明はこれに限らず、情報受信手段によって受信された取得可能コンテンツ提示情報の中で任意に選択された記録保持対象のコンテンツデータを示すコンテンツ取得要求信号をコンテンツ提供装置に送信するハードウェア回路構成の取得要求送信回路等のように、この他種々の取得要求送信手段を広く適用することができる。
【０５４２】
さらに上述の実施の形態においては、取得要求送信手段によるコンテンツ取得要求信号の送信に応じて、コンテンツ提供装置から送信された、記録保持対象のコンテンツデータを受信するデータ受信手段として、図１乃至図２７について上述したクライアント端末２の通信制御部３２や、通信処理部２１４及びネットワークインタフェース２１５を適用するようにした場合について述べたが、本発明はこれに限らず、取得要求送信手段によるコンテンツ取得要求信号の送信に応じて、コンテンツ提供装置から送信された、記録保持対象のコンテンツデータを受信するハードウェア回路構成のデータ受信回路等のように、この他種々のデータ受信手段を広く適用することができる。
【０５４３】
さらに上述の実施の形態においては、データ受信手段によって受信されたコンテンツデータを記録保持する記録保持手段として、図１乃至図２７について上述したクライアント端末２の記憶媒体２９や、ハードディスクドライブ２１１を適用するようにした場合について述べたが、本発明はこれに限らず、クライアント端末２内の半導体メモリ等のように、この他種々の記録保持手段を広く適用することができる。
【産業上の利用可能性】
【０５４４】
本発明は、パーソナルコンピュータ及び音楽再生装置等のコンテンツ記録保持端末や、ネットワーク上のパーソナルコンピュータ等のコンテンツ提供装置に利用することができる。
【図面の簡単な説明】
【０５４５】
【図１】本実施の形態における音楽関連サービス提供システムの全体構成を示す略線図である。
【図２】クライアント端末の機能回路ブロックによるハードウェア構成を示すブロック図である。
【図３】ディレクトリ構成を示す略線図である。
【図４】ポータルサーバの機能回路ブロックによるハードウェア構成を示すブロック図である。
【図５】音楽データ配信サーバの機能回路ブロックによるハードウェア構成を示すブロック図である。
【図６】物販サーバの機能回路ブロックによるハードウェア構成を示すブロック図である。
【図７】ラジオ放送情報配信サーバの機能回路ブロックによるハードウェア構成を示すブロック図である。
【図８】ディスク情報提供サーバの機能回路ブロックによるハードウェア構成を示すブロック図である。
【図９】クライアント端末及びポータルサーバ間のユーザ認証処理手順を示すシーケンスチャートである。
【図１０】クライアント端末及び音楽データ配信サーバ間のユーザ認証処理手順を示すシーケンスチャートである。
【図１１】音楽データ配信サービス提供処理手順を示すシーケンスチャートである。
【図１２】物販サービス提供処理手順を示すシーケンスチャートである。
【図１３】ラジオ放送情報（オンエアリスト情報）配信サービス提供処理手順（１）を示すシーケンスチャートである。
【図１４】ラジオ放送情報（ナウオンエア情報）配信サービス提供処理手順（２）を示すシーケンスチャートである。
【図１５】クライアント端末のハードウェア回路ブロックによるハードウェア構成を示すブロック図である。
【図１６】クライアント端末のプログラムモジュールを示す略線図である。
【図１７】ポータルサーバのハードウェア回路ブロックによるハードウェア構成を示すブロック図である。
【図１８】音楽データ配信サーバのハードウェア回路ブロックによるハードウェア構成を示すブロック図である。
【図１９】物販サーバのハードウェア回路ブロックによるハードウェア構成を示すブロック図である。
【図２０】ラジオ放送情報配信サーバのハードウェア回路ブロックによるハードウェア構成を示すブロック図である。
【図２１】ディスク情報提供サーバのハードウェア回路ブロックによるハードウェア構成を示すブロック図である。
【図２２】課金サーバのハードウェア回路ブロックによるハードウェア構成を示すブロック図である。
【図２３】第１のデータ記録保持シーケンス（１）を示すシーケンスチャートである。
【図２４】第１のデータ記録保持シーケンス（２）を示すシーケンスチャートである。
【図２５】取得可能曲一覧画面の構成を示す略線図である。
【図２６】第２のデータ記録保持シーケンス（１）を示すシーケンスチャートである。
【図２７】第２のデータ記録保持シーケンス（２）を示すシーケンスチャートである。
【符号の説明】
【０５４６】
１……音楽関連サービス提供システム、２……クライアント端末２……ポータルサーバ、ＳＶ１……音楽データ配信サーバ、２３、５０……制御部、２８……外部記録媒体記録再生部、２９……記憶媒体、３２、５２、７２……通信制御部、２０３、３００、３１０……ＣＰＵ、２０８……メディアドライブ、２１１、３０２、３１２……ハードディスクドライブ、２１４……通信処理部、２１５、３０５、３１５……ネットワークインタフェース。
【図１】
2005332478.tif 000003
【図２】
2005332478.tif 000004
【図３】
2005332478.tif 000005
【図４】
2005332478.tif 000006
【図５】
2005332478.tif 000007
【図６】
2005332478.tif 000008
【図７】
2005332478.tif 000009
【図８】
2005332478.tif 000010
【図９】
2005332478.tif 000011
【図１０】
2005332478.tif 000012
【図１１】
2005332478.tif 000013
【図１２】
2005332478.tif 000014
【図１３】
2005332478.tif 000015
【図１４】
2005332478.tif 000016
【図１５】
2005332478.tif 000017
【図１６】
2005332478.tif 000018
【図１７】
2005332478.tif 000019
【図１８】
2005332478.tif 000020
【図１９】
2005332478.tif 000021
【図２０】
2005332478.tif 000022
【図２１】
2005332478.tif 000023
【図２２】
2005332478.tif 000024
【図２３】
2005332478.tif 000025
【図２４】
2005332478.tif 000026
【図２５】
2005332478.tif 000027
【図２６】
2005332478.tif 000028
【図２７】
2005332478.tif 000029